(57)【特許請求の範囲】
【請求項１】
無線通信ネットワークの干渉緩和（ＩＭ；ｉｎｔｅｒｆｅｒｅｎｃｅ ｍｉｔｉｇａｔｉｏｎ）を行うことができる閉鎖加入者グループ（ＣＳＧ；Ｃｌｏｓｅｄ ＳｕｂｓｃｒｉｂｅｒＧｒｏｕｐ）基地局において、
加入者端末（ＳＳ；ｓｕｂｓｃｒｉｂｅｒ ｓｔａｔｉｏｎ）と通信を行うように構成された無線通信ユニット；及び
前記無線通信ユニットに連結された制御機；
を含み、
前記制御機は、
前記無線通信ユニットを介して非会員加入者端末からランダムアクセス要請メッセージのランダムアクセス目的指示子を直接受信することに応答して、
ローカルで伝送パワーを減少させること、そして前記ＣＳＧ基地局がＣＳＧ閉鎖状態にあれば、ＣＳＧ閉鎖状態からＣＳＧ開放状態に変更することを含むあらかじめ定められた干渉緩和方法のうち選択的に干渉緩和が行われるように構成されることを特徴とする干渉緩和を行うことができるＣＳＧ基地局。
【請求項２】
前記ランダムアクセス目的指示子は、
非会員加入者端末がフェムト干渉を経験していることを示すことを特徴とする請求項１に記載の干渉緩和を行うことができるＣＳＧ基地局。
【請求項３】
前記制御機は、
干渉緩和を開始するための条件を満たすか否かを判断し、
前記干渉緩和を開始するための条件を満たすとき、前記干渉緩和を行うようにさらに構成され、
前記干渉緩和を開始するための条件は、
干渉緩和開始のための要請が前記ＣＳＧ基地局に対して例外的な非会員接続を示すこと；
前記非会員加入者端末が前記ＣＳＧ基地局の非会員であり、適法なシステムユーザとして検証されること；
前記非会員加入者端末が探すことができるすべての基地局及び前記探すことができるすべての基地局各々の信号強度を前記ＣＳＧ基地局に報告すること；
前記ＣＳＧ基地局が、前記非会員加入者端末がいかなる接続可能な基地局にも連結することができないようにする干渉基地局であること；及び
前記ＣＳＧ基地局がすべての干渉基地局のうち最も高い信号強度を有すること；
のうち少なくとも１つを含むことを特徴とする請求項１に記載の干渉緩和を行うことができるＣＳＧ基地局。
【請求項４】
前記制御機は、
前記干渉緩和を終了するための条件を満たすとき、前記干渉緩和を終了するようにさらに構成され、
前記干渉緩和を終了するための条件は、
前記干渉緩和のためのタイマーが満了すること；
前記非会員加入者端末が前記ＣＳＧ基地局から離れること；
前記非会員加入者端末が他の基地局にハンドオーバーすること；
前記非会員加入者端末が接続可能な基地局の信号強度が少なくとも第１臨界期間の間に第１臨界値より高いものと判断すること；
前記非会員加入者端末が前記ＣＳＧ基地局の信号強度が少なくとも第２臨界期間の間に第２臨界値より低いものと判断すること；
前記非会員加入者端末が前記ＣＳＧ基地局の信号強度が前記接続可能な基地局の信号強度より少なくとも第３臨界期間の間に第３臨界値だけ低いものと判断すること；及び前記非会員加入者端末が前記ＣＳＧ基地局の信号強度が少なくとも第４臨界期間の間にスキャンされた基地局のうち最も高くないものと判断すること；
のうち少なくとも１つを含むことを特徴とする請求項１に記載の干渉緩和を行うことができるＣＳＧ基地局。
【請求項５】
無線通信ネットワークの干渉緩和（ＩＭ；ｉｎｔｅｒｆｅｒｅｎｃｅ ｍｉｔｉｇａｔｉｏｎ）を行うことができる閉鎖加入者グループ（ＣＳＧ；Ｃｌｏｓｅｄ Ｓｕｂｓｃｒｉｂｅｒ Ｇｒｏｕｐ）基地局において、
加入者端末（ＳＳ；ｓｕｂｓｃｒｉｂｅｒ ｓｔａｔｉｏｎ）と通信を行うように構成された無線通信ユニット；及び
前記無線通信ユニットに連結された制御機；
を含み、
前記制御機は、
前記無線通信ユニットを介して非会員加入者端末からランダムアクセス要請メッセージのランダムアクセス目的指示子を直接受信することに応答して、
前記ＣＳＧ基地局がＣＳＧ閉鎖状態にあれば、前記ＣＳＧ基地局をＣＳＧ閉鎖状態からＣＳＧ開放状態に変更するように構成され、
前記ランダムアクセス目的指示子は、加入者端末がフェムト干渉を経験していることを示し、
前記ＣＳＧ基地局のＣＳＧ閉鎖状態は、非会員加入者端末が前記ＣＳＧ基地局に接続することを許容しないことを特徴とする干渉緩和を行うことができるＣＳＧ基地局。
【請求項６】
無線通信ネットワークで使用のために、干渉緩和（ＩＭ；ｉｎｔｅｒｆｅｒｅｎｃｅｍｉｔｉｇａｔｉｏｎ）を行うことができる閉鎖加入者グループ（ＣＳＧ；ＣｌｏｓｅｄＳｕｂｓｃｒｉｂｅｒ Ｇｒｏｕｐ）基地局において、
加入者端末（ＳＳ；ｓｕｂｓｃｒｉｂｅｒ ｓｔａｔｉｏｎ）と通信を行うように構成された無線通信ユニット；及び
前記無線通信ユニットに連結された制御機；
を含み、
前記制御機は、
前記無線通信ユニットを介して非会員加入者端末からランダムアクセス要請メッセージを受信することに応答して、
前記ランダムアクセス要請メッセージは、ランダムアクセス目的指示子を含み、
干渉緩和を開始するための条件を満たす場合、干渉緩和を行うように構成されることを特徴とする干渉緩和を行うことができるＣＳＧ基地局。
【請求項７】
前記干渉緩和を開始するための条件は、
干渉緩和開始のための要請が前記ＣＳＧ基地局に対して例外的な非会員接続を示すこと；
前記非会員加入者端末が前記ＣＳＧ基地局の非会員であり、適法なシステムユーザとして検証されること；
前記非会員加入者端末が探すことができるすべての基地局及び前記探すことができるすべての基地局各々の信号強度を前記ＣＳＧ基地局に報告すること；
前記ＣＳＧ基地局が前記非会員加入者端末がいかなる接続可能な基地局にも連結することができないようにする干渉基地局であること；及び
前記ＣＳＧ基地局がすべての干渉基地局のうち最も高い信号強度を有すること；
のうち少なくとも１つを含むことを特徴とする請求項６に記載の干渉緩和を行うことができるＣＳＧ基地局。
【請求項８】
前記制御機は、
前記干渉緩和を開始するための条件を満たすか否かを判断するために、前記非会員加入者端末から少なくとも１つのスキャン報告を受信するように構成されることを特徴とする請求項６に記載の干渉緩和を行うことができるＣＳＧ基地局。
【請求項９】
前記制御機は、
ＣＳＧ基地局がＣＳＧ閉鎖形式にある場合、非会員加入者端末が前記ＣＳＧ基地局に対する接続を許容するように、ＣＳＧ閉鎖形式からＣＳＧ開放形式に変更する段階であって、前記ＣＳＧ基地局がＣＳＧ閉鎖形式にある場合、非会員加入者端末が前記ＣＧＳ基地局に接続するように許容しない、変更する段階；
前記非会員加入者端末が前記ＣＳＧ基地局に臨時に接続するように許容する段階であって、前記ＣＳＧ基地局が臨時に接続するように許容する間に、前記非会員加入者端末は、
会員加入者端末より低い優先順位でサービスされる、許容する段階；
下りリンク伝送パワーを調節する段階；及び
周波数割当を変更する段階；
のうち少なくとも１つによって前記干渉緩和を行うようにさらに構成されることを特徴とする請求項６に記載の干渉緩和を行うことができるＣＳＧ基地局。
【請求項１０】
前記ランダムアクセス目的指示子は、
前記非会員加入者端末が、前記ＣＳＧ基地局が前記干渉緩和を行うように要請していること、及び
前記非会員加入者端末がＣＳＧ基地局から干渉を経験していること、
のうち少なくとも１つを示すことを特徴とする請求項６に記載の干渉緩和を行うことができるＣＳＧ基地局。
【請求項１１】
前記制御機は、
干渉緩和を終了するための条件を満たす場合、前記干渉緩和を終了するようにさらに構成されることを特徴とする請求項６に記載の干渉緩和を行うことができるＣＳＧ基地局。
【請求項１２】
前記干渉緩和を終了するための条件は、
前記干渉緩和のためのタイマーが満了すること；
前記非会員加入者端末が前記ＣＳＧ基地局から離れること；
前記非会員加入者端末が他の基地局にハンドオーバーすること；
前記非会員加入者端末が接続可能な基地局の信号強度が少なくとも第１臨界期間の間に第１臨界値より高いものと判断すること；
前記非会員加入者端末が前記ＣＳＧ基地局の信号強度が少なくとも第２臨界期間の間に第２臨界値より低いものと判断すること；
前記非会員加入者端末が前記ＣＳＧ基地局の信号強度が前記接続可能な基地局の信号強度より少なくとも第３臨界期間の間に第３臨界値だけ低いものと判断すること；及び
前記非会員加入者端末が前記ＣＳＧ基地局の信号強度が少なくとも第４臨界期間の間にスキャンされた基地局のうち最も高くないものと判断すること；
のうち少なくとも１つを含むことを特徴とする請求項１１に記載の干渉緩和を行うことができるＣＳＧ基地局。
【請求項１３】
前記タイマーは、
干渉緩和の形式、前記非会員加入者端末の速度、及び前記非会員加入者端末から受信された少なくとも１つのスキャン報告のうち少なくとも１つによって調節することができることを特徴とする請求項１２に記載の干渉緩和を行うことができるＣＳＧ基地局。
【請求項１４】
前記制御機は、
バックホールを及びＳＯＮ（ｓｅｌｆ−ｏｒｇａｎｉｚｉｎｇ ｎｅｔｗｏｒｋ）サーバーのうち少なくとも１つを介してネットワークエンティティーと干渉緩和属性を交渉し、干渉緩和を行うようにさらに構成されることを特徴とする請求項６に記載の干渉緩和を行うことができるＣＳＧ基地局。
【請求項１５】
前記制御機は、
前記非会員加入者端末がサービング基地局に連結されるとき、前記非会員加入者端末の代わりに交渉するサービング基地局から調整された干渉緩和を開始するようにする要請を受信するようにさらに構成されることを特徴とする請求項６に記載の干渉緩和を行うことができるＣＳＧ基地局。
【請求項１６】
無線通信ネットワークで使用のための、閉鎖加入者グループ（ＣＳＧ；ＣｌｏｓｅｄＳｕｂｓｃｒｉｂｅｒ Ｇｒｏｕｐ）基地局の干渉緩和（ＩＭ；ｉｎｔｅｒｆｅｒｅｎｃｅ ｍｉｔｉｇａｔｉｏｎ）を行うための方法において、
無線通信ユニットを介して非会員加入者端末からランダムアクセス要請メッセージを受信する段階であって、前記ランダムアクセス要請メッセージは、ランダムアクセス目的指示子を含む、ランダムアクセス要請メッセージを受信する段階；及び
前記ランダムアクセス要請メッセージを受信する段階に応答して干渉緩和を開始するための条件を満たす場合、干渉緩和を行う段階；
を含むＣＳＧ基地局の干渉緩和を行うための方法。
【請求項１７】
前記干渉緩和を開始するための条件は、
干渉緩和開始のための要請が前記ＣＳＧ基地局に対して例外的な非会員接続を示すこと；
前記非会員加入者端末が前記ＣＳＧ基地局の非会員であり、適法なシステムユーザとして検証されること；
前記非会員加入者端末が探すことができるすべての基地局及び前記探すことができるすべての基地局各々の信号強度を前記ＣＳＧ基地局に報告すること；
前記ＣＳＧ基地局が、前記非会員加入者端末がいかなる接続可能な基地局にも連結することができないようにする干渉基地局であること；及び
前記ＣＳＧ基地局がすべての干渉基地局ののうち最も高い信号強度を有すること；
のうち少なくとも１つを含むことを特徴とする請求項１６に記載のＣＳＧ基地局の干渉緩和を行うための方法。
【請求項１８】
前記干渉緩和を開始するための条件を満たすか否かを判断するために前記非会員加入者端末から少なくとも１つのスキャン報告を受信する段階；
をさらに含むことを特徴とする請求項１６に記載のＣＳＧ基地局の干渉緩和を行うための方法。
【請求項１９】
ＣＳＧ基地局がＣＳＧ閉鎖形式にある場合、非会員加入者端末が前記ＣＳＧ基地局に対する接続を許容するように、ＣＳＧ閉鎖形式からＣＳＧ開放形式に変更する段階であって、前記ＣＳＧ基地局がＣＳＧ閉鎖形式にある場合、非会員加入者端末が前記ＣＧＳ基地局に接続するように許容しない、変更する段階；
前記非会員加入者端末が前記ＣＳＧ基地局に臨時に接続するように許容する段階であって、前記ＣＳＧ基地局が臨時に接続するように許容する間に、前記非会員加入者端末は、会員加入者端末より低い優先順位でサービスされることを特徴とする、許容する段階；
下りリンク伝送パワーを調節する段階；及び
周波数割当を変更する段階；
のうち少なくとも１つの段階によって前記干渉緩和を行う段階；
をさらに含むことを特徴とする請求項１６に記載のＣＳＧ基地局の干渉緩和を行うための方法。
【請求項２０】
前記ランダムアクセス目的指示子は、
前記非会員加入者端末が、前記ＣＳＧ基地局が前記干渉緩和を行うように要請していること、及び
前記非会員加入者端末がＣＳＧ基地局から干渉を経験していること、
のうち少なくとも１つを示すことを特徴とする請求項１６に記載のＣＳＧ基地局の干渉緩和を行うための方法。
【請求項２１】
干渉緩和を終了するための条件を満たす場合、前記干渉緩和を終了する段階；
をさらに含むことを特徴とする請求項１６に記載のＣＳＧ基地局の干渉緩和を行うための方法。
【請求項２２】
前記干渉緩和を終了するための条件は、
前記干渉緩和のためのタイマーが満了すること；
前記非会員加入者端末が前記ＣＳＧ基地局から離れること；
前記非会員加入者端末が他の基地局にハンドオーバーすること；
前記非会員加入者端末が、接続可能な基地局の信号強度が少なくとも第１臨界期間の間に第１臨界値より高いものと判断すること；
前記非会員加入者端末が、前記ＣＳＧ基地局の信号強度が少なくとも第２臨界期間の間に第２臨界値より低いものと判断すること；
前記非会員加入者端末が、前記ＣＳＧ基地局の信号強度が前記接続可能な基地局の信号強度より少なくとも第３臨界期間の間に第３臨界値だけ低いものと判断すること；及び
前記非会員加入者端末が、前記ＣＳＧ基地局の信号強度が少なくとも第４臨界期間の間にスキャンされた基地局ののうち最も高くないものと判断すること；
のうち少なくとも１つを含むことを特徴とする請求項２１に記載のＣＳＧ基地局の干渉緩和を行うための方法。
【請求項２３】
前記タイマーは、
干渉緩和の形式、前記非会員加入者端末の速度、及び前記非会員加入者端末から受信された少なくとも１つのスキャン報告のうち少なくとも１つによって調節することができることを特徴とする請求項２２に記載のＣＳＧ基地局の干渉緩和を行うための方法。
【請求項２４】
バックホールを及びＳＯＮ（ｓｅｌｆ−ｏｒｇａｎｉｚｉｎｇ ｎｅｔｗｏｒｋ）サーバーのうち少なくとも１つを介してネットワークエンティティーと干渉緩和属性を交渉し、干渉緩和を行う段階；
をさらに含むことを特徴とする請求項１６に記載のＣＳＧ基地局の干渉緩和を行うための方法。
【請求項２５】
前記非会員加入者端末がサービング基地局に連結されるとき、前記非会員加入者端末の代わりに交渉するサービング基地局から調整された干渉緩和を開始するようにする要請を受信する段階；
をさらに含むことを特徴とする請求項１６に記載のＣＳＧ基地局の干渉緩和を行うための方法。
【請求項２６】
無線通信ネットワークの使用のために、加入者端末（ＳＳ；ｓｕｂｓｃｒｉｂｅｒ ｓｔａｔｉｏｎ）が干渉を経験するとき、干渉緩和（ＩＭ；ｉｎｔｅｒｆｅｒｅｎｃｅ ｍｉｔｉｇａｔｉｏｎ）を支援することができるサービング基地局において、
加入者端末と通信を行うように構成される無線通信ユニット；及び
前記無線通信ユニットと連結される制御機；
を含み、
前記制御機は、
干渉緩和を開始するためのスキャン報告に基づいて、前記加入者端末がいかなる隣り合う基地局にもハンドオーバーすることができず、干渉緩和を開始するための条件を満たすとき、干渉基地局が干渉緩和を行うように要請し、
干渉緩和を終了するためのスキャン報告に基づいて、干渉緩和を終了するための条件を満たすとき、前記干渉基地局が前記干渉緩和を終了するように要請するために構成されることを特徴とする干渉緩和を支援することができるサービング基地局。
【請求項２７】
前記制御機は、
前記干渉基地局が前記干渉緩和を行うように要請すること、そして、前記干渉基地局が前記干渉緩和を終了するように要請することのうち少なくとも１つのために、バックホールを介して、前記干渉基地局と通信を行うように構成されることを特徴とする請求項２６に記載の干渉緩和を支援することができるサービング基地局。
【請求項２８】
基地局によってサービスされる加入者端末（ＳＳ；ｓｕｂｓｃｒｉｂｅｒ ｓｔａｔｉｏｎ）が干渉を経験するとき、サービング基地局の干渉緩和（ＩＭ；ｉｎｔｅｒｆｅｒｅｎｃｅ ｍｉｔｉｇａｔｉｏｎ）を支援するための方法において、
干渉緩和を開始するためのスキャン報告に基づいて、前記加入者端末がいかなる隣り合う基地局にもハンドオーバーすることができず、干渉緩和を開始するための条件を満たす時、干渉基地局が干渉緩和を行うように要請する段階；及び
干渉緩和を終了するためのスキャン報告に基づいて、干渉緩和を終了するための条件を満たすとき、前記干渉基地局が前記干渉緩和を終了するように要請する段階；
を含むサービング基地局の干渉緩和を支援するための方法。
【請求項２９】
バックホールと通信を行うことによって、
前記干渉基地局が前記干渉緩和を行うように要請する段階；及び
前記干渉基地局が前記干渉緩和を終了するように要請する段階；
のうち少なくとも１つの段階を行うことを特徴とする請求項２８に記載のサービング基地局の干渉緩和を支援するための方法。
【請求項３０】
無線通信ネットワークの使用のために、干渉を経験するとき、干渉緩和（ＩＭ；ｉｎｔｅｒｆｅｒｅｎｃｅ ｍｉｔｉｇａｔｉｏｎ）を支援することができる加入者端末（ＳＳ；ｓｕｂｓｃｒｉｂｅｒ ｓｔａｔｉｏｎ）において、
基地局からメッセージを受信するために構成される受信機；
基地局にメッセージを伝送するために構成される送信機；及び
前記受信機及び前記送信機と連結される制御機；
を含み、
前記制御機は、
前記加入者端末がサービング基地局に連結されれば、他の基地局にハンドオーバーが可能ではなく、干渉緩和開始のためにスキャン報告を伝送するためのトリガー条件を満たすとき、干渉基地局とともに干渉緩和を開始するための第１スキャン報告を前記サービング基地局に伝送し、
前記加入者端末がいかなる基地局にも連結されなければ、前記干渉基地局にハンドオーバーが可能ではなく、干渉緩和開始のために干渉基地局にシグナリングするための条件を満たすとき、干渉緩和を開始するために干渉基地局にランダムアクセス目的指示子を含むランダムアクセス要請を伝送するために構成されることを特徴とする干渉緩和を支援することができる加入者端末。
【請求項３１】
加入者端末が会員であるＣＳＧ（ｃｌｏｓｅｄｓｕｂ ｓｃｒｉｂｅｒ ｇｒｏｕｐ）を識別するローカルホワイトリストを格納するために構成されるメモリ；
をさらに含み、
前記制御機は、
前記干渉基地局が前記ローカルホワイトリストにＣＳＧのうち少なくとも１つに属するＣＳＧ基地局であるか否かを前記スキャン報告に示すためにさらに構成されることを特徴とする請求項３０に記載の干渉緩和を支援することができる加入者端末。
【請求項３２】
前記制御機は、
前記加入者端末が前記サービング基地局に連結されれば、干渉緩和終了のためにスキャン報告を伝送するためのトリガー条件を満たすとき、前記干渉基地局と干渉緩和を終了するために前記サービング基地局に第２スキャン報告を伝送するためにさらに構成されることを特徴とする請求項３０に記載の干渉緩和を支援することができる加入者端末。
【請求項３３】
無線通信ネットワークで干渉を経験するとき、加入者端末（ＳＳ；ｓｕｂｓｃｒｉｂｅｒ ｓｔａｔｉｏｎ）の干渉緩和（ＩＭ；ｉｎｔｅｒｆｅｒｅｎｃｅ ｍｉｔｉｇａｔｉｏｎ）を支援するための方法において、
前記加入者端末がサービング基地局に連結されれば、他の基地局にハンドオーバーが可能ではなく、干渉緩和開始のためにスキャン報告を伝送するためのトリガー条件を満たすとき、干渉基地局とともに干渉緩和を開始するための第１スキャン報告を前記サービング基地局に伝送する段階；及び
前記加入者端末がいかなる基地局にも連結されなければ、前記干渉基地局にハンドオーバーが可能ではなく、干渉緩和開始のために干渉基地局にシグナリングするための条件を満たすとき、干渉緩和を開始するために干渉基地局にランダムアクセス目的指示子を含むランダムアクセス要請を伝送する段階；
を含む加入者端末の干渉緩和を支援するための方法。
【請求項３４】
加入者端末が会員であるＣＳＧ（ｃｌｏｓｅｄ ｓｕｂｓｃｒｉｂｅｒ ｇｒｏｕｐ）を識別するローカルホワイトリストを格納する段階；及び
前記干渉基地局が前記ローカルホワイトリストにＣＳＧのうち少なくとも１つに属するＣＳＧ基地局であるか否かを前記スキャン報告に示す段階；
をさらに含むことを特徴とする請求項３３に記載の加入者端末の干渉緩和を支援するための方法。
【請求項３５】
前記加入者端末が前記サービング基地局に連結されれば、干渉緩和終了のためにスキャン報告を伝送するためのトリガー条件を満たすとき、前記干渉基地局と干渉緩和を終了するために前記サービング基地局に第２スキャン報告を伝送する段階；
をさらに含むことを特徴とする請求項３３に記載の加入者端末の干渉緩和を支援するための方法。
【発明の詳細な説明】
【技術分野】
【０００１】
本発明は、通信システムで干渉管理に関し、より詳細には、フェムトセルのような小さいセルが重畳（ｏｖｅｒｌａｙ）されるマクロセルを有する通信システムで干渉管理（ｉｎｔｅｒｆｅｒｅｎｃｅ ｍａｎａｇｅｍｅｎｔ）を支援するための方法及び装置に関する。
【背景技術】
【０００２】
干渉管理は、マルチティア（Ｍｕｌｔｉ−Ｔｉｅｒ）無線通信システムで重要な問題である。セルラシステムが利用できる制限されたスペクトルに起因して、マルチティアセルは、同一のチャネル干渉（ｃｏ−ｃｈａｎｎｅｌ ｉｎｔｅｒｆｅｒｅｎｃｅ）を誘発することができる同一の周波数キャリアを利用することができる。さらに、マルチティアシステムは、異種のセルを含むことができる。例えば、一部のセルは、ただ加入者のみにセルに接近するように許容する閉鎖加入者グループ（ＣＳＧ；Ｃｌｏｓｅｄ Ｓｕｂｓｃｒｉｂｅｒ Ｇｒｏｕｐ）の形式になることができる。ＣＳＧフェムトセル基地局（ＦＢＳ；ｆｅｍｔｏｃｅｌｌ ｂａｓｅ ｓｔａｔｉｏｎ）のようなＦＢＳは、重畳マクロセル基地局と同一の周波数割当（ＦＡ；ｆｒｅｑｕｅｎｃｙ ａｌｌｏｃａｔｉｏｎ）またはキャリア周波数を使用して、基地局（ＢＳ）（しかし、重畳ＣＳＧフェムトセルの会員（ｍｅｍｂｅｒ）ではない）によってサービスを提供される加入者端末（ＳＳ；ｓｕｂｓｃｒｉｂｅｒ ｓｔａｔｉｏｎ）は、ＣＳＧ ＦＢＳに近接するほどＭＢＳとの連結が弱くなるか、または切断されるようにすることができるＣＳＧ ＦＢＳによって誘発される干渉に直面することができる。
【０００３】
さらに、ＣＳＧ ＦＢＳが非会員（ｎｏｎ−ｍｅｍｂｅｒｓ）に閉鎖されていれば（すなわち、これがＣＳＧ−Ｃｌｏｓｅｄ ＦＢＳなら）、加入者端末（ＳＳ）は、ＣＳＧ ＦＢＳにハンドオーバーすることができない。すなわち、加入者端末（ＳＳ）は、ＣＳＧ ＦＢＳから干渉を経験し、これは、カバレッジホール（ｃｏｖｅｒａｇｅ ｈｏｌｅ）になることができる。このような状況で、干渉緩和（ＩＭ；ｉｎｔｅｒｆｅｒｅｎｃｅ ｍｉｔｉｇａｔｉｏｎ）は、ＣＳＧ ＦＢＳがまだ良好なカバレッジを有している間に、加入者端末（ＳＳ）に満足なサービス品質（ＱｏＳ；Ｑｕａｌｉｔｙ ｏｆ Ｓｅｒｖｉｃｅ）を提供するために、下りリンク（ＤＬ；ｄｏｗｎｌｉｎｋ）及び上りリンク（ＵＬ；ｕｐｌｉｎｋ）制御及びデータチャネルの両方に必要である。
【発明の概要】
【発明が解決しようとする課題】
【０００４】
したがって、無線通信システムで干渉緩和（ＩＭ）を支援するためのさらに向上した技術が必要である。特に、すべての形式の基地局によって使用されることができる干渉緩和を開始及び終了するための強健な（ｒｏｂｕｓｔ）トリガーを使用する方法及び装置が要求されている。
【課題を解決するための手段】
【０００５】
無線通信ネットワークの干渉緩和（ＩＭ；ｉｎｔｅｒｆｅｒｅｎｃｅ ｍｉｔｉｇａｔｉｏｎ）を行うことができる閉鎖加入者グループ（ＣＳＧ；Ｃｌｏｓｅｄ ＳｕｂｓｃｒｉｂｅｒＧｒｏｕｐ）基地局が提供される。ＣＳＧ基地局は、加入者端末（ＳＳ；ｓｕｂｓｃｒｉｂｅｒ ｓｔａｔｉｏｎ）と通信を行うように構成された無線通信ユニットを含む。制御機は、前記無線通信ユニットと連結される。前記制御機は、前記無線通信ユニットを介して非会員加入者端末からレインジング（ｒａｎｇｉｎｇ）要請メッセージのレインジング目的指示子を直接受信する。また、前記制御機は、ローカルで伝送パワーを減少させること、そして、前記ＣＳＧ基地局がＣＳＧ閉鎖状態にあれば、ＣＳＧ閉鎖状態からＣＳＧ開放状態に変更することのうち少なくとも１つを含むあらかじめ定められた干渉緩和方法から干渉緩和を選択的に行う。
【０００６】
無線通信ネットワークで干渉を経験しているとき、干渉緩和（ＩＭ；ｉｎｔｅｒｆｅｒｅｎｃｅ ｍｉｔｉｇａｔｉｏｎ）を支援するための閉鎖加入者グループ（ＣＳＧ；ＣｌｏｓｅｄＳｕｂｓｃｒｉｂｅｒ Ｇｒｏｕｐ）基地局の方法が提供される。前記方法は、無線通信ユニットを介して非会員加入者端末からレインジング要請メッセージのレインジング目的指示子を直接受信する段階を含む。あらかじめ定められた干渉緩和方法のうち選択的に干渉緩和が行われる。前記あらかじめ定められた干渉緩和の形式は、ローカルで伝送パワーを減少させること、そして、前記ＣＳＧ基地局がＣＳＧ閉鎖状態にあれば、ＣＳＧ閉鎖状態からＣＳＧ開放状態に変更することのうち少なくとも１つを含む。
【０００７】
無線通信ネットワークの干渉緩和（ＩＭ；ｉｎｔｅｒｆｅｒｅｎｃｅ ｍｉｔｉｇａｔｉｏｎ）を行うことができる閉鎖加入者グループ（ＣＳＧ；Ｃｌｏｓｅｄ Ｓｕｂｓｃｒｉｂｅｒ Ｇｒｏｕｐ）基地局が提供される。前記ＣＳＧ基地局は、加入者端末（ＳＳ；ｓｕｂｓｃｒｉｂｅｒ ｓｔａｔｉｏｎ）と通信を行うように構成された無線通信ユニットを含む。制御機は、前記無線通信ユニットと連結される。前記制御機は、前記無線通信ユニットを介して非会員加入者端末からレインジング要請メッセージのレインジング目的指示子を直接受信する。前記制御機は、前記ＣＳＧ基地局がＣＳＧ閉鎖状態にあれば、前記ＣＳＧ基地局をＣＳＧ閉鎖状態からＣＳＧ開放状態に変更する。前記レインジング目的指示子は、加入者端末がフェムト干渉を経験していることを示す。前記ＣＳＧ基地局のＣＳＧ閉鎖状態は、非会員加入者端末が前記ＣＳＧ基地局に接続することを許容しない。
【０００８】
無線通信ネットワークで干渉を経験するとき、干渉緩和（ＩＭ；ｉｎｔｅｒｆｅｒｅｎｃｅ ｍｉｔｉｇａｔｉｏｎ）を支援するための閉鎖加入者グループ（ＣＳＧ；Ｃｌｏｓｅｄ Ｓｕｂｓｃｒｉｂｅｒ Ｇｒｏｕｐ）基地局の方法が提供される。前記方法は、無線通信ユニットを介して非会員加入者端末からレインジング要請メッセージのレインジング目的指示子を直接受信する段階を含む。前記ＣＳＧ基地局は、前記ＣＳＧ基地局がＣＳＧ閉鎖状態にあれば、前記ＣＳＧ閉鎖状態からＣＳＧ開放状態に変更される。前記レインジング目的指示子は、加入者端末がフェムト干渉を経験していることを示す。前記ＣＳＧ基地局のＣＳＧ閉鎖状態は、非会員加入者端末が前記ＣＳＧ基地局に接続することを許容しない。
【０００９】
干渉緩和（ＩＭ；ｉｎｔｅｒｆｅｒｅｎｃｅ ｍｉｔｉｇａｔｉｏｎ）を行うことができる閉鎖加入者グループ（ＣＳＧ；Ｃｌｏｓｅｄ Ｓｕｂｓｃｒｉｂｅｒ Ｇｒｏｕｐ）基地局が提供される。ＣＳＧ基地局は、加入者端末（ＳＳ；ｓｕｂｓｃｒｉｂｅｒ ｓｔａｔｉｏｎ）と通信を行うように構成された無線通信ユニットを含む。制御機は、前記無線通信ユニットと連結される。前記制御機は、前記無線通信ユニットを介して非会員加入者端末からレインジング要請メッセージを受信する。前記レインジング要請メッセージは、レインジング目的指示子を含む。前記制御機は、干渉緩和を開始するための条件を満たす場合、干渉緩和を行う。
【００１０】
無線通信ネットワークで干渉を経験するとき、干渉緩和（ＩＭ；ｉｎｔｅｒｆｅｒｅｎｃｅ ｍｉｔｉｇａｔｉｏｎ）を支援することができる閉鎖加入者グループ（ＣＳＧ；Ｃｌｏｓｅｄ Ｓｕｂｓｃｒｉｂｅｒ Ｇｒｏｕｐ）基地局が提供される。前記方法は、無線通信ユニットを介して非会員加入者端末からレインジング要請メッセージを受信する段階を含む。前記レインジング要請メッセージは、レインジング目的指示子を含む。干渉緩和を開始するための条件を満たす場合、干渉緩和が行われる。
【００１１】
加入者端末（ＳＳ；ｓｕｂｓｃｒｉｂｅｒ ｓｔａｔｉｏｎ）が干渉を経験するとき、干渉緩和（ＩＭ；ｉｎｔｅｒｆｅｒｅｎｃｅ ｍｉｔｉｇａｔｉｏｎ）を支援することができるサービング基地局が提供される。前記サービング基地局は、加入者端末と通信を行うように構成される無線通信ユニットと、前記無線通信ユニットと連結される制御機とを含む。前記制御機は、干渉緩和を開始するためのスキャン報告に基づいて、前記加入者端末がいかなる隣り合う基地局にハンドオーバーすることができず、干渉緩和を開始するための条件を満たすとき、干渉基地局が干渉緩和を行うように要請する。さらに、前記制御機は、干渉緩和を終了するためのスキャン報告に基づいて、干渉緩和を終了するための条件を満たすとき、前記干渉基地局が前記干渉緩和を終了するように要請する。
【００１２】
基地局によってサービスされる加入者端末（ＳＳ；ｓｕｂｓｃｒｉｂｅｒ ｓｔａｔｉｏｎ）が干渉を経験するとき、サービング基地局の干渉緩和（ＩＭ；ｉｎｔｅｒｆｅｒｅｎｃｅ ｍｉｔｉｇａｔｉｏｎ）を支援するための方法が提供される。前記方法は、干渉緩和を開始するためのスキャン報告に基づいて、前記加入者端末がいかなる隣り合う基地局にハンドオーバーすることがができず、干渉緩和を開始するための条件を満たすとき、干渉基地局が干渉緩和を行うように要請する段階を含む。前記干渉基地局は、干渉緩和を終了するためのスキャン報告に基づいて、干渉緩和を終了するための条件を満たすとき、前記干渉緩和を終了するように要請される。
【００１３】
干渉を経験するとき、干渉緩和（ＩＭ；ｉｎｔｅｒｆｅｒｅｎｃｅ ｍｉｔｉｇａｔｉｏｎ）を支援することができる加入者端末（ＳＳ；ｓｕｂｓｃｒｉｂｅｒ ｓｔａｔｉｏｎ）が提供される。前記加入者端末は、基地局からメッセージを受信するための受信機を含む。送信機は、基地局にメッセージを伝送する。制御機は、前記受信機及び前記送信機と連結される。前記制御機は、前記送信機を介して前記加入者端末がサービング基地局に連結されれば、他の基地局にハンドオーバーが可能ではなく、干渉緩和開始のためにスキャン報告を伝送するためのトリガー条件を満たすとき、干渉基地局とともに干渉緩和を開始するための第１スキャン報告を前記サービング基地局に伝送する。前記制御機は、前記送信機を介して前記加入者端末がいかなる基地局にも連結されなければ、前記干渉基地局にハンドオーバーが可能ではなく、干渉緩和開始のために干渉基地局にシグナリングするための条件を満たすとき、干渉緩和を開始するために干渉基地局にレインジング目的指示子を含むレインジング要請を伝送する。
【００１４】
無線通信ネットワークで干渉を経験するとき、加入者端末（ＳＳ；ｓｕｂｓｃｒｉｂｅｒ ｓｔａｔｉｏｎ）の干渉緩和（ＩＭ；ｉｎｔｅｒｆｅｒｅｎｃｅ ｍｉｔｉｇａｔｉｏｎ）を支援するための方法が提供される。前記方法は、前記加入者端末がサービング基地局に連結されれば、他の基地局にハンドオーバーが可能ではなく、干渉緩和開始のためにスキャン報告を伝送するためのトリガー条件を満たすとき、干渉基地局とともに干渉緩和を開始するための第１スキャン報告を前記サービング基地局に伝送する段階と、前記加入者端末がいかなる基地局にも連結されなければ、前記干渉基地局にハンドオーバーが可能ではなく、干渉緩和開始のために干渉基地局にシグナリングするための条件を満たすとき、干渉緩和を開始するために干渉基地局にレインジング目的指示子を含むレインジング要請を伝送する段階と；を含む。
【００１５】
下記のような本発明の詳細な説明に入るに先立って、本特許文献全体にわたって使用される任意の単語、そして構文の一部に対する定義について説明するのが有利であろう。用語“備える（ｉｎｃｌｕｄｅ）、”そして“含む（ｃｏｍｐｒｉｓｅ）”は、それから派生したものと共に、制限なしに含まれることを意味する；用語“または（ｏｒ）”は、及び／または（ａｎｄ／ｏｒ）の意味を含むことができる；構文“それと関連した（ａｓｓｏｃｉａｔｅｄ ｗｉｔｈ）”そして“それとともに関連した（ａｓｓｏｃｉａｔｅｄ ｔｈｅｒｅｗｉｔｈ）”は、それから派生したものと共に、備える（ｉｎｃｌｕｄｅ）、その中に備えられる（ｂｅ ｉｎｃｌｕｄｅｄ ｗｉｔｈｉｎ）、互いに連結する（ｉｎｔｅｒｃｏｎｎｅｃｔ ｗｉｔｈ）、含む（ｃｏｎｔａｉｎ）、内に含まれる（ｂｅ ｃｏｎｔａｉｎｅｄ ｗｉｔｈｉｎ）、何にまたは何と連結する（ｃｏｎｎｅｃｔ ｔｏ ｏｒ ｗｉｔｈ）、何にまたは何と対で連結する（ｃｏｕｐｌｅ ｔｏ ｏｒ ｗｉｔｈ）、何と通信することができる（ｂｅ ｃｏｍｍｕｎｉｃａｂｌｅ ｗｉｔｈ）、何に協力する（ｃｏｏｐｅｒａｔｅ ｗｉｔｈ）、挟みこむ（ｉｎｔｅｒｌｅａｖｅ）、並置する（ｊｕｘｔａｐｏｓｅ）、何に近似する（ｂｅ ｐｒｏｘｉｍａｔｅ ｔｏ）、それとまたはそれに対して境界を成す（ｂｅ ｂｏｕｎｄ ｔｏ ｏｒ ｗｉｔｈ）、有する（ｈａｖｅ）、何の資産を有する（ｈａｖｅ ａ ｐｒｏｐｅｒｔｙ ｏｆ）などの意味になることができる。用語“制御機（ｃｏｎｔｒｏｌｌｅｒ）”は、ハードウェア、ファームウエア、ソフトウェアまたは前述したもの（ハードウェア、ファームウエア、ソフトウェア）のうち少なくとも２個の組合で具現されるそのような装置の少なくとも１つの動作を制御する任意の装置、システムまたはそれらの一部を意味する。ある個別制御機に関連した機能は、近接、または遠隔で、中央集中されるか、または分散されることができることに留意しなければならない。単語及び構文に対する定義は、この特許文献全体にわたって提供され、この技術分野における通常の知識を有する者は、多くの場合に、あるいは、そうではなければ大部分の場合で、そのように定義された単語と構文の今後の使用と共に、先立って適用されたそのような定義を理解することができる。
【発明の効果】
【００１６】
本発明は、無線通信システムで干渉緩和支援を向上させる。本発明において、すべての形式の基地局によって使用されることができる干渉緩和を開始及び終了するための強健な（ｒｏｂｕｓｔ）トリガーを使用する方法及び装置を提供する。
【００１７】
本発明の実施例と本発明の利得に対するさらに明確な理解のために、参照は、添付の図面とともに取られる次の詳細な説明に使用される。図面で、同一の参照番号は、同一の部分を示す。
【図面の簡単な説明】
【００１８】
【図１】図１は、本発明の原理による無線ネットワークを示す。
【図２】図２は、本発明の実施例によるマクロセル基地局１０３を示す。
【図３】図３は、本発明の一実施例によるさらに詳細なフェムトセル基地局（ＦＢＳ；ｆｅｍｔｏｃｅｌｌ ｂａｓｅｓｔａｔｉｏｎ）１６０を示す。
【図４】図４は、本発明の実施例による無線加入者端末（ＳＳ；ｓｕｂｓｃｒｉｂｅｒ ｓｔａｔｉｏｎ）１１６を示す。
【図５】図５は、本発明の実施例によって、加入者端末がサービング基地局に連結されていないとき、干渉緩和実行可否を決定するための干渉基地局でのプロセスを示す。
【図６】図６は、本発明の実施例によって、行われた干渉緩和を維持、終了または調節するか否かを決定するための干渉基地局でのプロセスを示す。
【図７】図７は、本発明のいくつかの実施例によって、非会員加入者端末がサービング基地局に連結されていないとき、干渉管理のために非会員加入者端末とＣＳＧ閉鎖基地局との間の直接通信を表現する上位レベル信号フローを示す。
【図８】図８は、本発明の実施例によるＣＳＧ閉鎖基地局（例えば、フェムトセル基地局１６０）がＣＳＧ閉鎖形式からＣＳＧ開放形式に変更することによって干渉緩和を行うときに対するタイムライン（ｔｉｍｅｌｉｎｅ）を示す。
【図９】図９は、本発明の実施例によってＣＳＧ閉鎖基地局（例えば、フェムトセル基地局１６０）が仮想ＣＳＧ開放形式で臨時的になることによって干渉緩和を行うときに対するタイムライン（ｔｉｍｅｌｉｎｅ）を示す。
【図１０】図１０は、本発明の実施例によるＣＳＧ閉鎖基地局が、非会員加入者端末が接続可能な基地局に連結することを支援するために、ＣＳＧ閉鎖基地局の伝送（Ｔｘ）パワーを減少させることによって干渉緩和（ＩＭ）を行うときに対するタイムライン（ｔｉｍｅｌｉｎｅ）を示す。
【図１１】図１１は、本発明の実施例によって加入者端末がサービング基地局に連結されたとき、干渉基地局と干渉緩和（ＩＭ）交渉を開始するか否かを決定するためのプロセスを示す。
【図１２】図１２は、本発明の実施例によって加入者端末がサービング基地局に連結されたとき、干渉基地局とともに干渉緩和（ＩＭ）を終了するかまたは調節するか否かを決定するためのプロセスを示す。
【図１３】図１３は、本発明のいくつかの実施例によって、加入者端末の代わりにサービング基地局が干渉緩和（ＩＭ）開始及び干渉緩和（ＩＭ）終了を要請するとき、加入者端末と加入者端末のサービング基地局との間の通信を表現する前記レベル信号フローを示す。
【図１４】図１４は、本発明の実施例によるトリガー条件に基づく干渉緩和（ＩＭ）中に加入者端末がスキャン結果をサービング基地局にレポートするときのタイムラインを示す。
【図１５】図１５は、本発明の実施例による加入者端末がサービング基地局から命令に基づいて干渉緩和（ＩＭ）中にサービング基地局に対するスキャン結果を報告するときのタイムラインを示す。
【図１６】図１６は、本発明の実施例によって、干渉基地局が干渉緩和（ＩＭ）タイマーに基づいて干渉緩和（ＩＭ）を逆転する（reverse）ときのタイムラインを示す。
【図１７】図１７は、本発明の実施例によって調節することができるタイマーに基づいて干渉基地局が干渉緩和（ＩＭ）を逆転するときに対するタイムラインを示す。
【図１８】図１８は、ネットワークトポロジーの変化または移動端末（ＭＳ）連結状態がまだ満了しない干渉緩和（ＩＭ）タイマーをオーバーライド（ｏｖｅｒｒｉｄｅ）するときのタイムラインを示す。
【発明を実施するための形態】
【００１９】
この特許文献で本発明の原理を説明するために使用された図１ないし図１８及び様々な実施例は、ただ説明のための目的で使用され、本発明の範囲を制限するものに解釈すべきではない。この技術分野における通常の知識を有する者なら適切に定められたいかなる無線通信システムにも本発明の原理が具現されることができることを理解することができる。
【００２０】
本発明の実施例は、マルチティア無線通信システムで干渉管理を支援する。干渉緩和（Ｉｎｔｅｒｆｅｒｅｎｃｅ Ｍｉｔｉｇａｔｉｏｎ）のいくつかの形式は、２００９年１２月公開されたＩＥＥＥ Ｐ８０２．１６ｍ／Ｄ３、“Ｄｒａｆｔ ａｍｅｎｄｍｅｎｔ ｆｏｒ ＩＥＥＥ ８０２．１６ｍ”；２００９年１１月公開されたＩＥＥＥＣ ８０２．１６ｍ−０９／２４０５ｒ１、“Ｉｎｔｅｒｆｅｒｅｎｃｅ Ｍｉｔｉｇａｔｉｏｎ ｉｎ Ｆｅｍｔｏ ＡＢＳ（１５．４．１１）”；２００９年７月公開されたＩＥＥＥ Ｐ８０２．１６ｍ／Ｄ１、“Ｄｒａｆｔ ａｍｅｎｄｍｅｎｔ ｆｏｒ ＩＥＥＥ ８０２．１６ｍ”；２００９年１０月公開されたＩＥＥＥＰ ８０２．１６ｍ／Ｄ２、“Ｄｒａｆｔ ａｍｅｎｄｍｅｎｔ ｆｏｒ ＩＥＥＥ ８０２．１６ｍ”；２００９年１月公開されたＩＥＥＥ ８０２．１６ｍ−０７／００２ｒ８、“ＩＥＥＥ ８０２．１６ｍ Ｓｙｓｔｅｍ Ｒｅｑｕｉｒｅｍｅｎｔｓ Ｄｏｃｕｍｅｎｔ（ＳＲＤ）”；２００９年６月公開されたＩＥＥＥ ８０２．１６ｍ−０８／００３ｒ９ａ、“ＩＥＥＥ ８０２．１６ｍ Ｓｙｓｔｅｍ Ｄｅｓｃｒｉｐｔｉｏｎ Ｄｏｃｕｍｅｎｔ（ＳＤＤ）”；及び２０１０年４月公開されたＩＥＥＥ ８０２．１６、“Ｐ８０２．１６ｍ．Ｄ５”に示されていて、このコンテンツは、参照としてこの文献に含まれる。したがって、本発明の詳細な説明は、ＩＥＥＥ ８０２．１６ｍシステムに合わせて調整されたいくつかの用語を使用することができる。しかし、詳細な説明でアイディア及び解決策は、ＩＥＥＥ ８０２．１６ｍシステムに限定されるものではなく、他の名称として称される用語を有するいかなる通信システム及びネットワークで使用されることができる。
【００２１】
通信システムで干渉緩和（ＩＭ；Ｉｎｔｅｒｆｅｒｅｎｃｅ Ｍｉｔｉｇａｔｉｏｎ）に対する技術に関連して以下で説明する本発明の実施例は、フェムトセル基地局（ｆｅｍｔｏｃｅｌｌ ｂａｓｅｓｔａｔｉｏｎ）を含むことができる。次の詳細な説明は、説明の簡略化のためにただ多様な標準で使用される用語を引用することができることを理解しなれればならない。例えば、次の説明は、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１６ｍ標準または３ＧＰＰ（３ｒｄ Ｇｅｎｅｒａｔｉｏｎ Ｐａｒｔｎｅｒｓｈｉｐ Ｐｒｏｊｅｃｔ）ＬＴＥ（Ｌｏｎｇ Ｔｅｒｍ Ｅｖｏｌｕｔｉｏｎ）標準で使用される用語を引用することができる。しかし、この説明は、ＩＥＥＥ ８０２．１６ｍまたは３ＧＰＰ ＬＴＥ標準によって制限されるように解釈してはならない。ハンドオフ（ｈａｎｄｏｆｆ）のために使用されるメカニズムとは関係なく、干渉緩和（ＩＭ）を行うことが好ましく、標準化されたメカニズムを守る能力が有利である。
【００２２】
この文献の実施例がＩＥＥＥ ８０２．１６ｍシステムに合わせて調整された用語によるもののように特定の通信標準を引用するとしても、本発明の実施例は、ＩＥＥＥ ８０２．１６ｍシステムに限定されるのではなく、異なる名称によって引用される用語を有するいかなる通信システム及びネットワークでも使用されることができる。次は、いくつかの例である。モバイルステーション（ＭＳ；Ｍｏｂｉｌｅ ｓｔａｔｉｏｎ）またはアドバンスモバイルステーション（ＡＭＳ；Ａｄｖａｎｃｅｄ ｍｏｂｉｌｅ ｓｔａｔｉｏｎ）は、加入者端末（ＳＳ）を引用することを意味する。本発明の目的のために、基地局（ＢＳ；Ｂａｓｅｓｔａｔｉｏｎ）またはアドバンス基地局（ＡＢＳ；Ａｄｖａｎｃｅｄ ｂａｓｅ ｓｔａｔｉｏｎ）は、マクロセル、マイクロセル、ピコセル、フェムトセルなどを含むいかなる形式の基地局を一般的に引用することを意味する。セル識別子（Ｃｅｌｌ ＩＤ）またはプリアンブル（Ｐｒｅａｍｂｌｅ）は、一般的に同期チャネルで伝達される基地局の物理階層識別子を示す。セル識別子（ｃｅｌｌ ＩＤ）は、基地局の形式内で再使用されることができる。周波数割当（ＦＡ；Ｆｒｅｑｕｅｎｃｙ ａｌｌｏｃａｔｉｏｎ）またはキャリア周波数は、基地局によって使用される周波数キャリア（スペクトル）を言う。ハンドオーバー（ＨＯ；Ｈａｎｄｏｖｅｒ）は、移動端末（ＭＳ；Ｍｏｂｉｌｅ Ｓｔａｔｉｏｎ）がサービング基地局をターゲット基地局にハンドオーバーすることを言う。ハンドオーバー命令（ＨＯ−ＣＭＤ；Ｈａｎｄｏｖｅｒ ｃｏｍｍａｎｄ）は、移動端末（ＭＳ）がどのように／いつハンドオーバーするかを通知するために使用されるメッセージを言う。基地局識別子（ＢＳＩＤ；Ｂａｓｅ ｓｔａｔｉｏｎ ｉｄｅｎｔｉｆｉｅｒ）は、基地局の全域的に固有な識別子を言う。スーパーフレームヘッダー（ＳＦＨ；Ｓｕｐｅｒ ｆｒａｍｅ ｈｅａｄｅｒ）は、放送チャネル（ＢＣＨ；ｂｒｏａｄｃａｓｔ ｃｈａｎｎｅｌ）の一部である。スーパーフレームヘッダー（ＳＦＨ）は、大部分の重要なシステム情報を含む。アドバンスエア干渉（ＡＡＩ；Ａｄｖａｎｃｅｄ ａｉｒ ｉｎｔｅｒｆａｃｅ）は、いくつかの制御メッセージのプレフィックスとして使用されることができる。そして、それらは、そのようなプレフィックスなしにそのようなメッセージに代替することができる。
【００２３】
フェムトセルコンセプト（ｆｅｍｔｏｃｅｌｌ ｃｏｎｃｅｐｔ）が、物理的障害によって誘発されるチャネル悪化がある地域、陰影地域のサービス制限を扱いながら、加入者端末（ＳＳ）に対するユビキタス連結及び無線容量の増加のために提案される。フェムトセルは、商業的な広帯域ネットワークまたは無線通信システムのバックホール（ｂａｃｋｈａｕｌ）に対する無線連結を介して無線通信コアネットワーク（ＣＮ、Ｃｏｒｅ Ｎｅｔｗｏｒｋ）に接続するフェムトセル基地局（ＦＢＳ）によってサービスされる小さいセルカバレッジ領域である。以下では、用語“フェムトセル（ｆｅｍｔｏｃｅｌｌ）”は、用語“フェムトセル基地局（ＦＢＳ）”に代替して使用されることができる。フェムトセルの配置は、無線通信システムのカバレッジ及び容量の両方を向上させる。将来は、フェムトセルの利点は、無線通信システムにおいてますますさらに影響力があるものと予想される。なぜなら、フェムトセルカバレッジ領域は、マクロセルカバレッジ領域より非常に小さいので、複数のフェムトセルは、重畳マクロセル基地局（ＭＢＳ；ｍａｃｒｏｃｅｌｌ ｂａｓｅ ｓｔａｔｉｏｎ）のカバレッジ領域内に同時に存在することができる。以下では、用語“ＭＢＳ”は、用語“基地局”または“基地局（ＢＳ）”に代替して使用されることもできる。フェムトセル基地局（ＦＢＳ）は、多数の加入者端末（ＳＳ）にサービスを提供することができる基地局（ＢＳ）とは異なって、比較的小さい数の加入者端末（ＳＳ）にサービスを提供することができる。フェムトセル基地局は、典型的に、ライセンスされた（ｌｉｃｅｎｓｅｄ）スペクトルで動作し、基地局（ＢＳ）と同一であるかまたは異なる周波数を使用することができる。さらに、フェムトセル基地局によってサービスされる加入者端末（ＳＳ）は、固定（stationary）されるか、または低い速度（すなわち、歩行速度）で移動することができる。基地局（ＢＳ）間のハンドオフに要求されるものと同様に、フェムトセル基地局（ＦＢＳ）と基地局（ＢＳ）間のハンドオフ、及びフェムトセル間のハンドオフは、加入者端末の安定的なサービス連続性が重要な機能である。
【００２４】
フェムトセル基地局（ＦＢＳ）は、家または小さい事務室／ホームオフィス（ＳＯＨＯ；Ｓｍａｌｌ Ｏｆｆｉｃｅ／Ｈｏｍｅ Ｏｆｆｉｃｅ）のように、サービスを提供するための意図で、内部または宅内空間に隣接して設置される。フェムトセル基地局（ＦＢＳ）の設置は、基地局（ＢＳ）の設置に比べて著しく簡単であり、フェムトセル基地局（ＦＢＳ）は、無線通信システムとともに使用するために加入者によって購買され、設置されることができる。ここで、加入者またはサービス提供者は、フェムトセル基地局（ＦＢＳ）に対する接続を制限し、ただ認証された加入者端末（ＳＳ）に対する接続のみを提供することを希望する。このような処理を容易に行うために、閉鎖加入者グループ（ＣＳＧ；Ｃｌｏｓｅｄ Ｓｕｂｓｃｒｉｂｅｒ Ｇｒｏｕｐ）フェムト基地局（ＦＢＳ）が採択されることができる。ＣＳＧフェムト基地局は、ＣＳＧ閉鎖（ＣＳＧ−Ｃｌｏｓｅｄ）及びＣＳＧ−開放（ＣＳＧ−Ｏｐｅｎ）フェムトセル基地局にさらに分類されることができる。ＣＳＧ閉鎖フェムト基地局（ＣＳＧ−Ｃｌｏｓｅｄ ＦＢＳ）は、緊急サービス及びＮＳ／ＥＰ（Ｎａｔｉｏｎａｌ Ｓｅｃｕｒｉｔｙ／Ｅｍｅｒｇｅｎｃｙ Ｐｒｅｐａｒｅｄｎｅｓｓ）サービスを除いて、ただ認証された加入者端末（ＳＳ）にのみ接続を提供することができる。ＣＳＧ−開放フェムトセル基地局（ＣＳＧ−Ｏｐｅｎ ＦＢＳ）は、主としてＣＳＧに属する加入者端末（ＳＳ）が接続することができる。さらに、ＣＳＧ−開放フェムトセル基地局は、ＣＳＧの非加入者が、ＣＳＧで加入者端末（ＳＳ）のサービス品質（ＱｏＳ；Ｑｕａｌｉｔｙ ｏｆ Ｓｅｒｖｉｃｅ）が妥協されない限りの最善努力（ｂｅｓｔ−ｅｆｆｏｒｔ）接続、または低い優先順位接続を行うように許容することができる。その代案として、開放加入者グループ（ＯＳＧ；Ｏｐｅｎ Ｓｕｂｓｃｒｉｂｅｒ Ｇｒｏｕｐ）フェムトセル基地局が配置されてもよい。このＯＳＧフェムトセル基地局は、いかなる加入者端末にも接続を提供する。
【００２５】
フェムトセル基地局（ＦＢＳ）は、基地局（ＢＳ）とは異なる動作要求条件を有する。この要求条件の特定は、フェムトセル基地局（ＦＢＳ）が具現される無線通信システムによって変わることができる。例えば、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１６ｍ標準によって動作する無線通信システムにおいて、無線インターフェース（ａｉｒ ｉｎｔｅｒｆａｃｅ）は、加入者端末（ＳＳ）がフェムトセル基地局（ＦＢＳ）に対してスキャンすることを制限するように要求される特徴を支援する。さらに、もしＣＳＧの一部として指定されれば、無線インターフェースは、ＣＳＧフェムトセル基地局に対して接続し、ハンドオーバー（ＨＯ）することができる加入者端末（ＳＳ）を支援することが要求される。さらに、無線インターフェースは、それらの指定されたフェムトセル基地局（ＦＢＳ）に対して移動端末（ＭＳ）の好ましい接続及びハンドオーバー（ＨＯ）を支援することが要求される。また、無線インターフェースがフェムトセル基地局（ＦＢＳ）及びワイファイ（ＷｉＦｉ；Ｗｉｒｅｌｅｓｓ ｉｄｅｌｉｔｙ）接続システム間に最適化され、シームレスな（ｓｅａｍｌｅｓｓ）セッション連続性及びハンドオーバー（ＨＯ）を支援することが要求される。しかも、無線インターフェースが無線通信システムにおいて多数のフェムトセルの高密度配置を許容することが要求される。
【００２６】
したがって、本発明の実施例において干渉緩和（ＩＭ；ｉｎｔｅｒｆｅｒｅｎｃｅ ｍｉｔｉｇａｔｉｏｎ）は、接続不可能な基地局（ＢＳ）に制限されないことを言及する。干渉緩和（ＩＭ）は、干渉を誘発するいかなる基地局（ＢＳ）でも開始されることができる。図面または実施例が、接続不可能な基地局（ＢＳ）またはＣＳＧ閉鎖フェムトセル基地局（ＦＢＳ）を引用するとしても、本発明は、接続可能なまたは接続不可能ないかなる基地局（ＢＳ）に拡張されることができる。例えば、干渉緩和（ＩＭ）は、加入者端末（ＳＳ）と当該加入者端末のサービング基地局（ＢＳ）との間の通信を干渉する接続可能な基地局（ＢＳ）で行われることもできる。
【００２７】
さらに、本発明の実施例において使用される用語“干渉緩和（ｉｎｔｅｒｆｅｒｅｎｃｅ ｍｉｔｉｇａｔｉｏｎ）”及び“干渉緩和（ＩＭ）”は、その中でも、干渉回避（ｉｎｔｅｒｆｅｒｅｎｃｅ ａｖｏｉｄａｎｃｅ）、干渉消去（ｉｎｔｅｒｆｅｒｅｎｃｅｃａｎ ｃｅｌｌａｔｉｏｎ）、干渉調整（ｉｎｔｅｒｆｅｒｅｎｃｅ ｃｏｏｒｄｉｎａｔｉｏｎ）を含むいかなる形式の干渉管理を言う。
【００２８】
本発明の実施例において“トリガー条件（ｔｒｉｇｇｅｒ ｃｏｎｄｉｔｉｏｎ）”は、“条件”に代替することができる。
【００２９】
図１は、本発明の原理による無線ネットワーク１００を示す。本実施例において、無線ネットワーク１００は、バックホール１０１、基地局（ＢＳ）１０２、基地局（ＢＳ）１０３及び他の類似の基地局（図示せず）を含む。バックホール１０１は、基地局１０２及び基地局１０３、無線ゲートウェイ（ＷＧＷ；Ｗｉｒｅｌｅｓｓ Ｇａｔｅｗａｙ）１６５及び無線ソフトスイッチ（ＷＳＳ；Ｗｉｒｅｌｅｓｓ ＳｏｆｔＳ ｗｉｔｃｈ）１６７と通信を行う。また、バックホール１０１は、インターネット（１３０）または類似のＩＰ基盤ネットワーク（図示せず）と通信を行う。
【００３０】
基地局１０２は、基地局１０２のカバレッジ領域１２０内で第１複数の加入者端末にインターネット１３０に対する無線広帯域接続（バックホール１０１を介して）を提供する。第１複数の加入者端末は、小さい事業場（ＳＳ；Ｓｍａｌｌ ｂｕｓｉｎｅｓｓ）に位置することができる加入者端末（ＳＳ）１１１、大企業（ｅｎｔｅｒｐｒｉｓｅ；Ｅ）に位置することができる加入者端末（ＳＳ）１１２、ワイファイ（ＷｉＦｉ；ｗｉｒｅｌｅｓｓ ｆｉｄｅｌｉｔｙ）ホットスポット（ＨＳ）に位置することができる加入者端末（ＳＳ）１１３、第１居住地（Ｒ）に位置することができる加入者端末（ＳＳ、１１４）及び第２居住地（Ｒ）に位置することができる加入者端末（ＳＳ）１１５を含む。
【００３１】
基地局１０３は、基地局１０３のカバレッジ領域１２５内の第２複数の加入者端末にインターネット１３０に対する無線広帯域接続（バックホール１０１を介して）を提供する。第２複数の加入者端末は、セルラフォン、無線ラップトップ、無線ＰＤＡなどのような移動端末（ＭＳ；ｍｏｂｉｌｅ ｓｔａｔｉｏｎ）になることができる加入者端末１１５及び加入者端末１１６を含む。実施例において、基地局１０１〜１０３は、ＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）またはＯＦＤＭＡ（Ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）技術を利用して相互、そして加入者端末（ＳＳ）１１１〜１１６と通信を行うことができる。
【００３２】
本発明の一実施例において、基地局１０２及び基地局１０３の各々は、基地局制御機（ＢＳＣ；ｂａｓｅｓｔａｔｉｏｎ ｃｏｎｔｒｏｌｌｅｒ）及び１つ以上の基地局送受信ザブシステム（ＢＴＳ；ｂａｓｅ ｔｒａｎｓｃｅｉｖｅｒ ｓｕｂｓｙｓｔｅｍ）を含む。基地局制御機及び基地局送受信ザブシステムは、この技術分野における通常の知識を有する者によく知られている。基地局制御機は、無線通信ネットワーク内の特定セルのために、基地局送受信ザブシステムを含む、無線通信リソースを管理する装置である。基地局送受信ザブシステムは、各セルサイトに位置するＲＦ送受信機、アンテナ、及び他の電子装置を含む。この装置は、条件ユニット（ｃｏｎｄｉｔｉｏｎｉｎｇ ｕｎｉｔｓ）、ヒーティングユニット（ｈｅａｔｉｎｇ ｕｎｉｔｓ）、電子サプライ（ｅｌｅｃｔｒｉｃａｌ ｓｕｐｐｌｉｅｓ）、電話ラインインターフェース及びＲＦ送信機及びＲＦ受信機を含むことができる。本発明の動作を説明するにあたって簡略化及び明確化の目的のために、各セル１２０、１２５、１７０で基地局送受信ザブシステム及び各基地局送受信ザブシステムに関連した基地局制御機は、基地局１０２、基地局１０３及びフェムト基地局（ＦＢＳ）１６０の各々によって集合的に表現される。
【００３３】
また、無線ネットワーク１００は、フェムトセル基地局（ＦＢＳ）１６０を含む。フェムトセル基地局１６０は、基地局１０３のカバレッジ領域１２５内に位置し、基地局１０２及び基地局１０３で発見されるものと類似のコンポネントを含む。このようなフェムトセル基地局１６０は、フェムトセル基地局制御機（ＦＢＳＣ；ｆｅｍｔｏ ｂａｓｅ ｓｔａｔｉｏｎ ｃｏｎｔｒｏｌｌｅｒ）及び１つ以上のフェムトセル送受信ザブシステム（ＦＢＴＳ；ｆｅｍｔｏ ｂａｓｅ ｔｒａｎｓｃｅｉｖｅｒ ｓｕｂｓｙｓｔｅｍ）を含む。フェムトセル基地局１６０、ＣＳＧ−閉鎖フェムトセル基地局は、そのサービスされる領域でそのＣＳＧ（加入者端末１１７のような）に属する加入者端末と通常的に通信を行う。フェムトセル基地局１６０は、開放加入者グループフェムトセル基地局（ＯＳＧ  ＦＢＳ）、閉鎖加入者グループ閉鎖フェムトセル基地局（ＣＳＧ−Ｃｌｏｓｅｄ ＦＢＳ）または閉鎖加入者グループ開放フェムトセル基地局（ＣＳＧ−ＯｐｅｎそＦＢＳ）になることができる。
【００３４】
バックホール１０１は、さらに多い数またはさらに少ない数の基地局と通信を行うことができる。しかも、ただ７個の加入者端末が図１に示されているが、無線ネットワーク１００は、追加の加入者端末に無線広帯域接続を提供することもできることを理解しなければならない。加入者端末１１５は、カバレッジ領域１２０及びカバレッジ領域１２５の両方のエッジ上に位置することを言及する。加入者端末１１５は、基地局１０２及び基地局１０３の両方と通信を行い、この技術分野における通常の知識を有する者に知られたように、ハンドオフモードで動作すると言われることができる。
【００３５】
加入者端末１１１〜１１７は、インターネット１３０を介して音声、データ、ビデオ、ビデオ会議、及び／または他の広帯域サービスに接続することができる。一実施例において、１つ以上の加入者端末１１１〜１１７は、ワイファイ無線ラン（ＷｉＦｉ ＷＬＡＮ）のアクセスポイント（ＡＰ；ａｃｃｅｓｓ ｐｏｉｎｔ）に関連することができる。加入者端末１１６及び加入者端末１１７は、無線連結可能なラップトップコンピュータ、ＰＤＡ（ｐｅｒｓｏｎａｌ ｄａｔａ ａｓｓｉｓｔａｎｔ）、ノートパソコン、携帯用装置、または他の無線連結可能な装置を含むいかなる複数のモバイル装置になることができる。加入者端末１１４及び１１５は、例えば、無線連結可能なパソコン（ＰＣ）、ラップトップコンピュータ、ゲートウェイ、または他の装置になることができる。
【００３６】
音声ベアラトラフィックは、通信回線１６１、ＷＧＷ（Ｗｉｒｅｌｅｓｓ Ｇａｔｅｗａｙ）１６５を介してフェムトセル基地局１６０及びＩＳ−４１ネットワーク（例えば、ＰＳＴＮ）の間に伝達される。シグナリング／制御トラフィックは、通信回線１６８及びＷＳＳ（Ｗｉｒｅｌｅｓｓ Ｓｏｆｔ Ｓｗｉｔｃｈ）１６７を介してフェムトセル基地局１６０とＩＳ−４１ネットワークとの間で伝達される。ＷＧＷ １６５及びＷＳＳ １６７は、例えば、ＩＳ−４１のようなバックホール連結（図示せず）を介してモバイルスイッチングセンター（ＭＳＣ；ｍｏｂｉｌｅ ｓｗｉｔｃｈｉｎｇ ｃｅｎｔｅｒ）に連結される。ＷＧＷ １６５は、ＩＳ−４１を介してフェムトセル基地局１６０とＭＳＣ １４０とのベアラ経路（ｂｅａｒｅｒ ｐａｔｈ）を提供する。ＷＳＳ １６７は、ＩＳ−４１を介してフェムトセル基地局１６０及びＷＧＷ １６５及びＭＳＣ １４０にシグナリング経路を提供する。図１に示されていないが、フェムトセル基地局１６０及び基地局１０３は、バックホールを介して相互間に通信を行うこともできる。
【００３７】
本発明の実施例を通じて、そして、特に明記しない限り、フェムトセル基地局１６０は、基地局１０３、重畳マクロセル基地局と同一の周波数割当（ＦＡ）またはキャリア周波数で動作するＣＳＧ−Ｃｌｏｓｅｄフェムトセル基地局として見なされることができる。しかし、この公開された実施例は、同一の周波数割当（ＦＡ）の場合に限定されず、この実施例は、フェムトセル基地局及びマクロ基地局が異なる周波数割当（ＦＡ）にある場合に適用することができる。以下、基地局１０３は、“重畳基地局１０３”または“サービング基地局１０３”として参照されることもできる。加入者端末１１７がフェムトセル基地局１６０に接続することが認証されない。加入者端末１１６は、フェムトセル基地局１６０に接続することが認証されない。以下では、加入者端末１１６は、“非会員加入者端末１１６”として参照されることができ、加入者端末１７７は、“会員加入者端末１１７”として参照されることができる。図示のように、会員加入者端末１１７は、非会員加入者端末１１６がフェムトセル基地局１６０のカバレッジ領域１７０に進入するとき、フェムトセル基地局１６０からサービスを受信している。加入者端末１１６がカバレッジ領域１７０に進入するとき、加入者端末１１６は、フェムトセル基地局１６０から強い信号を受信する。フェムトセル基地局１６０の信号は、加入者端末１１６には、強い干渉を誘発するので、それによって、加入者端末１１６が基地局１０３からサービスを受信することを防ぐ。フェムトセル基地局１６０が接続を許可しない限り、フェムトセル基地局１６０のＣＳＧに属しない加入者端末１１６は、サービング基地局１０３からフェムトセル基地局１６０にハンドオーバーすることができず、サービスのためにフェムトセル基地局１６０の強い信号をうまく利用することができない。
【００３８】
本発明の実施例によって、非会員加入者端末がＣＳＧ−Ｃｌｏｓｅｄフェムトセル基地局にハンドオーバーすることができず、任意のトリガー条件が発生するとき、サービング基地局１０３または加入者端末１１６は、バックホールまたはネットワークを介して干渉フェムトセル基地局との干渉緩和の終了または干渉緩和（ＩＭ）を開始する。干渉緩和は、ＣＳＧ−Ｃｌｏｓｅｄフェムトセル基地局が重畳基地局及び他の近くの基地局と同一の周波数割当（ＦＡ）またはキャリア周波数で動作するとき、下りリンク／上りリンク制御チャネル及びデータチャネルに影響を及ぼす。さらに論議するように、トリガー条件は、サービング基地局１０３及び／またはフェムトセル基地局１６０の受信電界強度（ＲＳＳＩ；Ｒｅｃｅｉｖｅｄ Ｓｉｇｎａｌ Ｓｔｒｅｎｇｔｈ Ｉｎｄｉｃａｔｉｏｎ）、利用可能なマクロセル基地局及びフェムトセル基地局の決定、臨界値ＲＳＳＩ、及び干渉の期間のうち少なくとも１つに基礎することができる。
【００３９】
また、本発明の実施例は、どのように加入者端末が不要なスキャンを回避することによって最小パワー消費をしながら、加入されたフェムトセル基地局を効果的に検出するかを明らかにする。しかも、本発明の実施例による加入者端末は、低い義務モード（ｌｏｗ ｄｕｔｙ ｍｏｄｅ）または待機状態（ｉｄｌｅ ｓｔａｔｅ）にあるフェムトセル基地局を覚ますこともできる。
【００４０】
図１で、点線は、フェムトセル基地局１６０が位置するカバレッジ領域１７０の近似境界を示すことを言及する。カバレッジ領域は、ただ図示及び説明の目的のためにほぼ円形で示された。各セル１２０、１２５及び１７０が選択されたセル構成及び自然的にそして人工的に作った障害物によって不規則的な形状を有することができることを明確に理解することができる。さらに、セル１７０の境界は、セル１２５の以前境界に拡張することができる。
【００４１】
図２は、本発明の実施例によるマクロセル基地局１０３を示す。図２に示された基地局１０３の実施例は、ただ図示のためのものである。基地局１０３の他の実施例が本発明の範囲を逸脱することなく使用されることもできる。基地局１０３がただ図示及び例示のためのものと説明されるが、説明は、基地局１０２にも同一に適用することができる。
【００４２】
基地局１０３は、基地局制御機（ＢＳＣ）２１０及び基地局送受信ザブシステム（ＢＴＳ）２２０を含む。基地局制御機及び基地局送受信ザブシステムが図１と関連して前に説明された。基地局制御機２１０は、セルサイト１２５で基地局送受信サービスシステム２２０を含み、リソースを管理する。基地局送受信サービスシステム２２０は、ＢＴＳ制御機２２５、チャネル制御機２３５、送受信インターフェース（ＩＦ）２４５、ＲＦ送受信ユニット２５０及びアンテナアレイ２５５を含む。チャネル制御機２３５は、例示的なチャネル要素２４０を含む複数のチャネル要素を含む。また、ＢＴＳ２２０は、ハンドオフ制御機２６０を含む。ＢＴＳ２２０内に含まれたハンドオフ制御機２６０及びメモリ２７０の実施例は、ただ図示のためのものである。ハンドオフ制御機２６０及びメモリ２７０は、本発明の範囲を逸脱することなく、基地局１０３の他の部分に位置することができる。
【００４３】
ＢＴＳ制御機２２５は、ＢＳＣ ２１０と通信を行うオペレーティングプログラムを実行することができるプロセッシング回路及びメモリを含み、ＢＴＳ ２２０の全体的な動作を制御する。一般的な条件下で、ＢＴＳ制御機２２５は、チャネル制御機２３５の動作を指示する。チャネル制御機２３５は、チャネル要素２４０を含み、これは、多数のチャネル要素を含む。チャネル要素２４０は、順方向チャネル及び逆方向チャネルで双方向通信を行う。順方向チャネルは、信号が基地局から移動端末に伝送されるチャネルを言う。逆方向チャネルは、信号が移動端末から基地局に伝送されるチャネルを言う。一実施例において、チャネル要素は、セル１２５で移動端末とコード分割多重接続（ＣＤＭＡ；ｃｏｄｅ ｄｉｖｉｓｉｏｎ ｍｕｌｔｉｐｌｅ ａｃｃｅｓｓ）プロトコルによって通信を行う。追加及び代案的な実施例において、チャネル要素は、セル１２５でモバイル端末とＯＦＤＭＡプロトコルによって通信を行う。送受信インターフェース２４５は、チャネル制御機２４０とＲＦ送受信ユニット２５０との間に双方向チャネル信号を伝達する。
【００４４】
アンテナアレイ２５５は、ＲＦ送受信ユニット２５０から受信された順方向チャネル信号を基地局１０３のカバレッジ領域で移動端末に伝送する。また、アンテナアレイ２５５は、送受信機２５０に基地局１０３のカバレッジ領域で移動端末から受信した逆方向チャネル信号を伝送する。いくつかの実施例において、アンテナアレイ２５５は、３−セクターアンテナのようなマルチセクターアンテナである。ここで、各アンテナセクターは、カバレッジ領域の円弧１２０で送信及び受信を担当する。さらに、ＲＦ送受信機２５０は、送信及び受信動作中にアンテナアレイ２５５で互いに異なるアンテナのうち選択するためのアンテナ選択ユニットを含むことができる。
【００４５】
いくつかの実施例によって、ハンドオフ制御機２６０は、ハンドオフのために、他のマクロセル基地局及びフェムトセル基地局を含む候補ターゲット基地局のリストを決定することができる。ハンドオフ制御機２６０は、周波数間（ｉｎｔｅｒ−ｆｒｅｑｕｅｎｃｙ）（すなわち、他の周波数）ハードハンドオフに使用するための臨界パラメータを動的に調節するように構成される。ハンドオフ制御機２６０は、また、周波数内（ｉｎｔｒａ−ｆｒｅｑｕｅｎｃｙ）（すなわち、同一の周波数）ハードハンドオフに使用される臨界パラメータを動的に調節するように構成される。ハンドオフ制御機２６０は、メモリ２７０に前記臨界パラメータ及び候補ターゲット基地局のリストを格納するように動作することができる。
【００４６】
メモリ２７０は、いかなるコンピュータ読み取り可能な媒体になることができる。例えば、メモリ２７０は、マイクロプロセッサーまたは他のコンピュータ連関システムまたは方法による使用のためのコンピュータプログラム、ソフトウェア、ファームウエア、またはデータを包含、格納、通信、拡散または伝送することができるいかなる電子、磁気、電磁気、光学、電光学、電気−機械、及び／または他の物理装置になることができる。メモリ２７０は、ＲＡＭ（ｒａｎｄｏｍ ａｃｃｅｓｓ ｍｅｍｏｒｙ）を含み、メモリ２７０の他の部分は、ＲＯＭ（ｒｅａｄ−ｏｎｌｙ ｍｅｍｏｒｙ）として動作するフラッシュメモリを含む。
【００４７】
図３は、本発明の一実施例によるフェムトセル基地局（ＦＢＳ）１６０をより詳細に示す。図３に示されたフェムトセル基地局１６０の実施例は、ただ図示のためのものである。フェムトセル基地局１６０の他の実施例が本発明の範囲を逸脱することなく使用されることができる。
【００４８】
フェムトセル基地局１６０は、フェムトセル基地局制御機（ＦＢＳＣ）３８０及びフェムトセル基地局送受信ザブシステム（ＦＢＴＳ）３８５を含む。また、ＦＢＴＳ ３８５は、ハンドオフ制御機３６０を含む。ＦＢＴＳ ３８５内に含まれたハンドオフ制御機３６０及びメモリ３７０は、ただ図示のためのものである。ハンドオフ制御機３６０及びメモリ３７０は、本発明の範囲を逸脱することなく、フェムトセル基地局１６０の他の部分に位置することができる。
【００４９】
フェムトセル基地局制御機（ＦＢＳＣ）３８０は、ＦＢＴＳ ３８５の全体的な動作を制御するオペレーティングプログラムを実行することができるプロセッシング回路及びメモリを含む。一般的な条件下で、ＦＢＳＣ ３８０は、チャネル制御機３３５の動作を指示する。チャネル制御機３３５は、チャネル要素３４０を含み、これは、多数のチャネル要素を含む。チャネル要素３４０は、順方向チャネル及び逆方向チャネルで双方向通信を行う。順方向チャネルは、信号が基地局から移動端末に伝送されるチャネルを言う。逆方向チャネルは、信号が移動端末から基地局に伝送されるチャネルを言う。送受信インターフェース３４５は、チャネル制御機３４０とＲＦ送受信ユニット３５０との間で双方向チャネル信号を伝達する。
【００５０】
アンテナアレイ３５５は、ＲＦ送受信ユニット３５０から受信された順方向チャネル信号をフェムトセル基地局１６０のカバレッジ領域で移動端末に伝送する。また、アンテナアレイ３５５は、送受信機３５０にフェムトセル基地局１６０のカバレッジ領域で移動端末から受信した逆方向チャネル信号を伝送する。本発明の好ましい実施例において、アンテナアレイ３５５は、３−セクターアンテナのようなマルチセクターアンテナである。ここで、各アンテナセクターは、カバレッジ領域の円弧１２０で送信及び受信を担当する。さらに、ＲＦ送受信機３５０は、送信及び受信動作中にアンテナアレイ３５５で互いに異なるアンテナのうち選択するためのアンテナ選択ユニットを含むことができる。
【００５１】
本発明の実施例によって、ハンドオフ制御機３６０は、ハンドオフのために、候補ターゲット基地局のリストを決定することができる。ハンドオフ制御機３６０は、周波数間（ｉｎｔｅｒ−ｆｒｅｑｕｅｎｃｙ）（すなわち、他の周波数）ハードハンドオフに使用するための臨界パラメータを動的に調節するように構成される。ハンドオフ制御機３６０は、また、周波数内（ｉｎｔｒａ−ｆｒｅｑｕｅｎｃｙ）（すなわち、同一の周波数）ハードハンドオフに使用される臨界パラメータを動的に調節するように構成される。また、ハンドオフ制御機３６０は、メモリ３７０に前記臨界パラメータ及び候補ターゲット基地局のリストを格納するように動作することができる。
【００５２】
メモリ３７０は、いかなるコンピュータ読み取り可能な媒体になることができる。例えば、メモリ３７０は、マイクロプロセッサーまたは他のコンピュータ連関システムまたは方法による使用のためのコンピュータプログラム、ソフトウェア、ファームウエア、またはデータを包含、格納、通信、拡散または伝送することができるいかなる電子、磁気、電磁気、光学、電光学、電気−機械、及び／または他の物理装置になることができる。メモリ２７０は、ＲＡＭ（ｒａｎｄｏｍ ａｃｃｅｓｓ ｍｅｍｏｒｙ）を含み、メモリ３７０の他の部分は、ＲＯＭ（ｒｅａｄ−ｏｎｌｙ ｍｅｍｏｒｙ）として動作するフラッシュメモリを含む。いくつかの実施例において、メモリ３７０は、ＣＳＧ識別子（ＣＳＧＩＤ）３７５を含む。ＣＳＧ識別子は、フェムトセル基地局１６０のアイデンティティーを示し、フェムトセル基地局１６０が閉鎖加入者グループフェムトセル基地局であることを示すか、またはその両方を示す。
【００５３】
図４は、本発明の実施例による無線加入者端末（ＳＳ）１１６を示す。図４に示された加入者端末１１６の実施例は、ただ示すためのものである。加入者端末１１６の他の実施例が本発明の範囲を逸脱することなく使用されることができる。加入者端末１１６がただ図示及び例示ために説明されているが、この説明が加入者端末１１１〜１１５及び１１７にも同一に適用することができることを理解しなければならない。
【００５４】
加入者端末１１６は、アンテナ４０５、無線周波数（ＲＦ；ｒａｄｉｏ ｆｒｅｑｕｅｎｃｙ）送受信機４１０、送信（Ｔｘ）プロセッシング回路４１５、マイクロホン４２０及び受信（ＲＸ）プロセッシング回路４２５を含む。また、加入者端末１１６は、スピーカー４３０、メインプロセッサ４４０、入出力（Ｉ／Ｏ；ｉｎｐｕｔ／ｏｕｔｐｕｔ）インターフェース（ＩＦ）４４５、キーパッド４５０、ディスプレイ４５５及びメモリ４６０を含む。メモリ４６０は、基本運営体制（ＯＳ；ｏｐｅｒａｔｉｎｇ ｓｙｓｔｅｍ）プログラム４６１及び複数のＣＳＧ識別子（ＣＳＧＩＤｓ）及び／または基地局識別子（ＢＳＩＤｓ）を含むホワイトリスト（ｗｈｉｔｅ−ｌｉｓｔ）４６２をさらに含む。
【００５５】
無線周波数（ＲＦ）送受信機４１０は、アンテナ４０５から無線ネットワーク１００の基地局（例えば、マクロセル基地局またはフェムトセル基地局）によって伝送された入力（ｉｎｃｏｍｉｎｇ）ＲＦ信号を受信する。無線周波数（ＲＦ）送受信機４１０は、中間周波数（ＩＦ）または基底帯域信号を生成するために入力（ｉｎｃｏｍｉｎｇ）ＲＦ信号をダウンコンバート（ｄｏｗｎ−ｃｏｎｖｅｒｔ）する。中間周波数または基底帯域信号は、基底帯域または中間周波数信号をフィルタリング、デコーディング及び／または二進化（ｄｉｇｉｔｉｚｉｎｇ）することによって処理された基底帯域信号を生成する受信（ＲＸ）プロセッシング回路４２５に伝送される。受信（ＲＸ）プロセッシング回路４２５は、追加処理のために（例えば、ウェブブラウジング）処理された基底帯域信号をスピーカー４３０（すなわち、音声データ）またはメインプロセッサ４４０に伝送する。
【００５６】
伝送（Ｔｘ）処理回路４１５は、マイクロホン４２０からアナログまたはデジタル音声データまたはメインプロセッサ４４０から他の出力（ｏｕｔｇｏｉｎｇ）基底帯域データ（例えば、ウェブデータ、電子メール、インタラクティブビデオゲームデータ）を受信する。送信（Ｔｘ）プロセッシング回路４１５は、処理された基底帯域または中間周波数（ＩＦ）信号を生成するために出力（ｏｕｔｇｏｉｎｇ）基底帯域データをエンコード、多重化、及び／または二進化（ｄｉｇｉｔｉｚｅ）する。無線周波数（ＲＦ）送受信機４１０は、送信（Ｔｘ）プロセッシング回路（４１５）からの出力（ｏｕｔｇｏｉｎｇ）処理された基底帯域または中間周波数（ＩＦ）信号を受信する。無線周波数（ＲＦ）送受信機４１０は、基底帯域または中間周波数（ＩＦ）信号をアンテナ４０５を介して伝送される無線周波数（ＲＦ）信号にアップコンバート（ｕｐ−ｃｏｎｖｅｒｔ）する。
【００５７】
本発明のいくつかの実施例において、メインプロセッサ４４０は、マイクロプロセッサーまたはマイクロコントローラである。メモリ４６０は、メインプロセッサ４４０と連結される。いくつかの実施例において、メモリ４６０の一部は、ＲＡＭ（ｒａｎｄｏｍ ａｃｃｅｓｓ ｍｅｍｏｒｙ）を含み、メモリ４６０の他の部分は、ＲＯＭ（ｒｅａｄ−ｏｎｌｙ ｍｅｍｏｒｙ）として動作するフラッシュメモリを含む。
【００５８】
メインプロセッサ４４０は、加入者端末１１６の全体的な動作を制御するためにメモリ４６０に格納された基本的な運営体制（ＯＳ；ｏｐｅｒａｔｉｎｇ ｓｙｓｔｅｍ）プログラム４６１を実行させる。このような１つの動作において、メインプロセッサ４４０は、よく知られた原理によって無線周波数（ＲＦ）送受信機４１０、受信（ＲＸ）プロセッシング回路４２５、及び送信（Ｔｘ）プロセッシング回路４１５によって逆方向チャネル信号の送信及び順方向チャネル信号の受信を制御する。
【００５９】
メインプロセッサ４４０は、メモリ４６０に常駐する他のプロセス及びプログラムを実行させることができる。メインプロセッサ４４０は、実行プロセスの定められるところにより、データをメモリ４６０内にまたはメモリ４６０外に移動させることができる。また、メインプロセッサ４４０は、Ｉ／Ｏインターフェース４４５に連結されることができる。Ｉ／Ｏインターフェース４４５は、移動端末１１１にラップトップコンピュータ及び携帯用コンピュータのような他の装置に連結することができる能力を提供する。Ｉ／Ｏインターフェース４４５は、このようなアクセサリーとメイン制御機４４０との間の通信経路である。
【００６０】
また、メインプロセッサ４４０は、キーパッド４５０及びディスプレイユニット４５５に連結される。加入者端末１１６のオペレータは、加入者端末１１６にデータを入力するためにキーパッド４５０を使用する。ディスプレイ４５５は、ウェブサイトからテキスト及び／または少なくとも制限されたグラフィックをレンダリングすることができるＬＣＤ（ｌｉｑｕｉｄ ｃｒｙｓｔａｌ ｄｉｓｐｌａｙ）になることができる。代案的な実施例は、他の形式のディスプレイを使用することもできる。
【００６１】
メインプロセッサ１０５は、いつそのようなハンドオフが行われるか、または行われることができるかに対する条件を決定するために、メモリ４６０で複数の命令を実行するように構成される。また、メインプロセッサ４４０は、ＣＳＧフェムトセル基地局（ＦＢＳ）への接続に使用するために、メモリ４６０のホワイトリスト４６２に１つ以上のＣＳＧＩＤ（ＣＳＧ識別子）を格納するように構成される。ユーザがＣＳＧの会員（例えば、加入者）であるとき、ユーザは、１つ以上の各々のフェムトセル基地局に接続するために１つ以上のＣＳＧＩＤが提供される。いくつかの実施例において、ユーザの無線装置（例えば、加入者端末１１６）は、加入者端末１１６と基地局ＢＳ及び／または加入者端末１１６とフェムトセル基地局（ＦＢＳ）の間の１つ以上の無線連結を介して無線でＣＳＧＩＤを受信する。いくつかの実施例において、ユーザは、１つ以上のＩ／Ｏインターフェース４４５、キーパッド４５０及びディスプレイ４５５を利用して無線装置（例えば、加入者端末１１６）にＣＳＧＩＤを入力する。しかも、ユーザは、多重ＣＳＧに加入することができる。したがって、加入が確立し、それらすべてがホワイトリスト４６２に格納された多様なＣＳＧに対応する多重ＣＳＧＩＤを受信することができる。
【００６２】
いくつかの実施例において、加入者端末（ＳＳ）は、ＣＳＧ基地局が、加入者端末（ＳＳ）が加入した基地局のうち１つであるか否かを決定するためにホワイトリスト４６２に格納されたＣＳＧＩＤを使用する。加入者端末（ＳＳ）が加入された基地局に対する検索のために、加入者端末（ＳＳ）は、次のように検索を行う。加入者端末（ＳＳ）は、プリアンブルまたは基地局のセル識別子（ｃｅｌｌ ＩＤ）を含む基地局の同期チャネルを得ることができる。プリアンブルまたは基地局のセル識別子（ｃｅｌｌ ＩＤ）は、分割されて（ｐａｒｔｉｔｉｏｎｅｄ）いてもよい。したがって、各形式のセル（マクロ、ＣＳＧ−閉鎖、ＣＳＧ−開放、開放などのような）は、プリアンブルの個別セットを使用することができる。加入者端末は、どんな形式のセルがどんなプリアンブルのセットを使用するかに対する情報を有することができる。受信されたプリアンブルに基づいて、加入者端末は、その形式の基地局（マクロ、ＣＳＧ−閉鎖、ＣＳＧ−開放、開放などのような）を判断することができる。加入者端末（ＳＳ）は、同期チャネル上で基地局の信号強度を測定することもできる。
【００６３】
加入者端末（ＳＳ）は、放送チャネルを得てデコードすることを選択することができる。この放送チャネルで加入者端末（ＳＳ）は、ＣＳＧ基地局のＣＳＧＩＤを得ることができる。それで、加入者端末（ＳＳ）は、受信されたＣＳＧＩＤをホワイトリスト４６２に格納されたＣＳＧＩＤと比較することができる。もし、受信されたＣＳＧＩＤがホワイトリスト４６２にある場合、専用ＣＳＧ基地局は、加入者端末が加入されたＣＳＧセルのうち１つである。セルに基づいて、加入者端末（ＳＳ）は、検出されたセルが加入者端末（ＳＳ）が加入したＣＳＧ−閉鎖基地局であるか否かを判断することができる（もしそうなら、そのセル識別子（Ｃｅｌｌ ＩＤ）がホワイトリース４６２に含まれたＣＳＧ−閉鎖基地局は、加入者端末（ＳＳ）が会員なので、加入者端末（ＳＳ）に接続することができる；もしそうでなければ、ＣＳＧ−閉鎖基地局は、加入者端末（ＳＳ）が非会員なので、加入者端末（ＳＳ）に接続することができない）。また、加入者端末（ＳＳ）は、検出されたセルが加入者端末（ＳＳ）が加入したＣＳＧ−開放基地局であるか否かを決定することができる（もしそうなら、ＣＳＧ−開放基地局は、高い優先順位で接続することができ、移動端末（ＭＳ）は、その会員である；もしそうでなければ、フェムトセルは、接続することができるが、低い優先順位を有し、移動端末（ＭＳ）は、その非会員である）。
【００６４】
いくつかの実施例において、加入者端末１１６が相変らず基地局１０３と連結されている間に干渉を経験するとき、加入者端末１１６及び基地局１０３は、信号条件（サービング基地局（すなわち、基地局１０３）及び他の接続可能な基地局の受信信号強度（ＲＳＳＩ；Ｒｅｃｅｉｖｅｄ Ｓｉｇｎａｌ Ｓｔｒｅｎｇｔｈ Ｉｎｄｉｃａｔｉｏｎ））を測定するためにスキャンプロシージャ（ｓｃａｎｎｉｎｇ ｐｒｏｃｅｄｕｒｅ）に従うように構成される。以下では、接続可能な及び接続不可能な基地局は、マクロセル基地局及びフェムトセル基地局を含むすべての形式の基地局でも集合的に含む。ＣＳＧフェムトセル基地局に対して接続することができる基地局は、加入者端末１１６が加入したＣＳＧ閉鎖フェムトセル基地局のような、移動端末１１６が接続が許容されたＣＳＧフェムトセル基地局、及びＣＳＧ開放フェムトセル基地局を含む。ＣＳＧフェムトセルに対して、接続可能な基地局は、移動端末１１６が加入しないＣＳＧ閉鎖フェムトセル基地局を含む。もし、サービング基地局１０３から信号が弱くなり、報告された候補接続可能な基地局の信号強度がハンドオーバーするには不十分である場合、接続不可能な基地局は、干渉緩和（ＩＭ）のための任意のトリガー条件を満たすか否かを判断するためにスキャンされる。もしそうなら、干渉緩和（ＩＭ）が開始される。
【００６５】
いくつかの実施例において、加入者端末（ＳＳ）１１６が他の基地局（例えば、フェムトセル基地局１６０）から干渉を経験し、サービング基地局（例えば、基地局１０３）に連結されていない場合、加入者端末１１６は、干渉基地局（すなわち、フェムトセル基地局１６０）に干渉緩和（ＩＭ）を要請するシグナリングを行うことができる。
【００６６】
本発明の実施例は、マクロセル基地局をサービング基地局として、フェムトセル基地局を干渉基地局として説明する。しかし、これは、ただ説明のためのものであり、本発明の実施例がマクロセルまたはフェムトセルに限定されるものではない。すなわち、次の実施例において基地局１０３及びフェムトセル基地局１６０は、マクロセル、フェムトセル、ピコセル基地局などのいかなる基地局によっても交替されることができる。例えば、サービング基地局は、フェムトセル基地局になることができ、干渉基地局は、マクロセル基地局になることもできる。他の実施例において、サービング基地局及び干渉基地局は、両方ともフェムトセル基地局になることもできる。
【００６７】
加入者端末（ＳＳ）がサービング基地局（ＳｅｒｖｉｎｇＢＳ）に連結されていない場合、干渉緩和（ＩＭ）
図５は、本発明の実施例によって加入者端末（ＳＳ）がサービング基地局に連結されていない場合、干渉緩和（ＩＭ）を行うか否かを決定するための干渉基地局でプロセスを示す。本質的に、プロセス５００は、加入者端末（例えば、加入者端末１１６）の代わりに、干渉基地局（例えば、フェムトセル基地局１６０）と干渉緩和を交渉することができるサービング基地局がない場合にも適用することができる。図５を参照すれば、図１のフェムトセル基地局１６０は、ＣＳＧ閉鎖基地局を仮定し、加入者端末１１６は、フェムトセル基地局１６０の会員ではない。
【００６８】
加入者端末１１６が基地局１０３または他のサービング基地局に連結されていない場合、加入者端末１１６は、（非会員加入者端末がＣＳＧ閉鎖基地局から干渉を経験していることを示すためにＣＳＧ閉鎖基地局に直接信号を伝送するトリガー条件のような）任意の条件を満足すれば、干渉緩和（ＩＭ）を要請するためにまたは加入者端末１１６がＣＳＧ閉鎖フェムトセル基地局１６０から干渉を経験していることをフェムトセル基地局１６０に示すためにフェムトセル基地局１６０に直接信号を伝送する。
【００６９】
非会員加入者端末がＣＳＧ閉鎖基地局から干渉を経験していることを示すためにまたは干渉緩和（ＩＭ）を要請するためにＣＳＧ閉鎖基地局に直接信号を伝送する条件は、これに限定されないが、非会員加入者端末が基地局との連結を失った場合；臨界期間より長い一定期間、ＣＳＧ閉鎖基地局が可能な干渉基地局の場合；ＣＳＧ閉鎖基地局が非会員加入者端末がいかなる接続可能な基地局（マクロ、マイクロ、開放フェムト、ＣＳＧ開放フェムト、その加入されたＣＳＧ閉鎖フェムトなど）に対しても聴取することができないようにする最大信号強度を有する干渉基地局の場合；接続不可能な基地局が一定の期間臨界値によって最大信号強度（ＲＳＳＩのような）及び／または次の最大信号強度（ＲＳＳＩのような）より大きい信号強度を有する場合；及び／または接続不可能な基地局が、一定期間加入者端末が基地局に接続するための最小で収容可能なＲＳＳＩより高い（ＲＳＳＩのような）信号強度を有する基地局の場合；を含むことができる。信号強度は、平均または瞬時ＳＩＮＲ（干渉及びノイズの和と信号の比率）、ＣＩＮＲ（干渉及びノイズの和とキャリアの比率）、ＣＩＲ（キャリアノイズの比率）、ＣＮＲ（キャリアノイズの比率）、ＲＳＳＩ（受信信号電界強度）、ＣＱＩ（チャネル品質指示子）などのような、基地局の下りリンク（例えば、スーパーフレームヘッダー、パイロットなどのような、同期チャネル、放送チャネル）信号の測定になることができる。本発明の実施例によって論議されるすべての条件は、前述した条件及び／または他の条件の１つ以上の組合になることができる。
【００７０】
いくつかの実施例において、加入者端末１１６は、なぜなら、加入者端末１１６がフェムトセル基地局１６０によって誘発されるカバレッジホール（ｃｏｖｅｒａｇｅ ｈｏｌｅ）にあるので、干渉緩和（ＩＭ）を要請するか、または加入者端末がフェムト干渉を経験していることを示すために、指示子（ｉｎｄｉｃａｔｉｏｎ）（例えば、予約されたまたは割当されたレインジング目的指示（Ｒａｎｇｉｎｇ ｐｕｒｐｏｓｅ ｉｎｄｉｃａｔｉｏｎ）コード）を含むレインジング要請メッセージ（ＲＮＧ−ＲＥＱ；ｒａｎｇｉｎｇ ｒｅｑｕｅｓｔ ｍｅｓｓａｇｅ）を通じて基地局に非会員加入者端末が干渉を経験していることを示すか、または干渉緩和（ＩＭ）のためにフェムトセル基地局１６０に直接要請することができる。指示子は、ＣＳＧ閉鎖基地局に対する非会員接続のための例外的な状況を表現することができる。例えば、もし、非会員加入者端末（例えば、加入者端末１１６）が（加入者端末１１６が加入されていないＣＳＧ閉鎖フェムトセル基地局１６０のような）、干渉し且つ接続不可能な（干渉を誘発すると同時に接続不可能な）基地局によって、事故状態（ｏｕｔａｇｅ）であり、加入者端末１１６が隣り合う基地局とのいかなる連結をも有することができなければ、加入者端末１１６は、レインジング要請メッセージにそのような目的のための特定レインジング目的指示（Ｒａｎｇｉｎｇ ｐｕｒｐｏｓｅ ｉｎｄｉｃａｔｉｏｎ）コードを利用するもののように、任意接続プロシージャで信号を伝送し、干渉ＣＳＧ閉鎖フェムトセル基地局１６０にこの問題を示す。
【００７１】
ブロック５１０で、フェムトセル基地局１６０は、フェムトセル基地局１６０に非会員加入者端末１１６が干渉を経験していることを示すか、または干渉緩和（ＩＭ）を要請するために、加入者端末１１６からこの目的のために設定された目的指示子を有するレインジング要請（ＲＮＧ−ＲＥＱ）のような信号を受信する。非会員加入者端末１１６が干渉を経験していることを示すか、または干渉緩和（ＩＭ）のための要請するための指示子をデコードするものと決定すれば、フェムトセル基地局１６０は、ブロック５２０で、そのような干渉緩和（ＩＭ）（すなわち、加入者端末から直接要請される干渉緩和）が許容されるか否かを決定するためにその政策を検査する。
【００７２】
もし、政策がそのような干渉緩和を許容しなければ、フェムトセル基地局１６０は、ブロック５３０で、加入者端末１１６に要請が拒否されたことを示すメッセージ（例えば、ＲＮＧ−ＲＳＰ）で応答する。また、一実施例において、メッセージは、加入者端末１１６に再度試みないことを通知する。例えば、ＲＮＧ−ＲＳＰは、‘００’に設定された２ビット指示子（ＩＭ指示子）を有することができる。これは、干渉緩和（ＩＭ）が許容されず、再度試みることを許容しないことを意味する。もし、政策がそのような干渉緩和（ＩＭ）を許容すれば、ＣＳＧ閉鎖フェムトＡＢＳは、ブロック５４０で、加入者端末１１６を考慮する保安検査をさらに行うことができる。保安検査は、加入者端末１１６が非会員であるにもかかわらず、適法のユーザであるか否かを決定するためのものであることができる。保安検査プロセスは、認証（ａｕｔｈｅｎｔｉｃａｔｉｏｎ）、認可（ａｕｔｈｏｒｉｚａｔｉｏｎ）、勘定（ａｃｃｏｕｎｔｉｎｇ）を含むことができる関連したプロセスＡＡＡ（ａｕｔｈｅｎｔｉｃａｔｉｏｎ、ａｕｔｈｏｒｉｚａｔｉｏｎ、ａｃｃｏｕｎｔｉｎｇ）になることができる。保安検査は、基地局１０３及びバックホールネットワークのようなネットワークエンティティーで動作を含むことができる。もし、ブロック５５０で保安検査が加入者端末１１６が適法でないという結果になる場合、これは、‘００’に設定されたＩＭ指示子を有するＲＮＧ−ＲＳＰを伝送することによって加入者端末１１６からのいかなる要請も拒否される（すなわち、干渉緩和（ＩＭ）は、許容されず、再度試みないこと）。
【００７３】
もし、保安検査の結果として、加入者端末１１６が非会員であるが、適法なユーザになると、それで、フェムトセル基地局１６０は、ブロック５６０で、トリガー条件が干渉緩和（ＩＭ）を開始するための加入者端末（ＳＳ）と直接干渉緩和（ＩＭ）を開始するためのトリガー条件を満たすか否かを決定するために干渉緩和（ＩＭ）政策を検査する。すなわち、もし、政策がこの加入者端末１１６に対する干渉緩和を許容すれば、フェムトセル基地局１６０は、加入者端末１１６にスキャン報告を伝送するようにさらに要請することができる。加入者端末は、スキャン報告（例えば、ＳＣＮ−ＲＥＰ）をフェムトセル基地局１６０に伝送することができる。それで、フェムトセル基地局１６０は、ＳＣＮ−ＲＥＰでスキャン結果に基づいて加入者端末（ＳＳ）と直接干渉緩和（ＩＭ）を開始するための条件を満たすか否かを決定する。いくつかの実施例において、ブロック５２０〜５５０は、組み合わせることができる。または、そのような干渉緩和（ＩＭ）が許容されるか否かを決定するための政策を検査することのシーケンス及び保安検査は、変更されることができる。いくつかの実施例において、ブロック５０２〜５６０の一部は、省略されることができる。
【００７４】
そのように、ＣＳＧ閉鎖基地局（例えば、フェムトセル基地局１６０）が加入者端末（ＳＳ）と直接干渉緩和（ＩＭ）を開始するためのトリガー条件は、これに制限されないが、ＣＳＧ閉鎖基地局がＣＳＧ閉鎖基地局に対して非会員加入者端末（例えば、加入者端末１１６）が干渉を経験していることを示すか、または干渉緩和（ＩＭ）を要請するために、加入者端末１１６からこの目的のために設定された目的指示子を有するレインジング要請（ＲＮＧ−ＲＥＱ）のようなシグナリングを受信する場合；非会員加入者端末（ＳＳ）がＣＳＧ閉鎖基地局の非会員であるが、適法なシステムユーザであるものと検査された場合；非会員加入者端末がＣＳＧ閉鎖基地局で探すことができるすべての基地局及びそれら各々れの信号強度をレポートした場合；及び／またはＣＳＧ閉鎖基地局が非会員加入者端末が探すことができる可能な基地局であるか、または非会員加入者端末がいかなる接続可能な基地局を聴取することができないように誘発する最大強度を有する基地局（マクロセル基地局、マイクロセル基地局、開放基地局、ＣＳＧ開放基地局、加入者端末が加入されたＣＳＧ閉鎖基地局などを含む）の場合；ＣＳＧ閉鎖基地局が一定の期間臨界値によって（ＣＩＮＲのような）最大信号強度及び／または（ＣＩＮＲのような）次の最大信号強度より大きい信号強度を有する場合；及び／またはＣＳＧ閉鎖基地局が、一定期間加入者端末が基地局に接続するために最小で収容可能な（ＣＩＮＲのような）信号強度より高い信号強度を有する基地局の場合；を含むことができる。信号強度は、平均または瞬時ＳＩＮＲ（干渉及びノイズの和と信号の比率）、ＣＩＮＲ（干渉及びノイズの和とキャリアの比率）、ＣＩＲ（キャリアノイズの比率）、ＣＮＲ（キャリアノイズの比率）、ＲＳＳＩ（受信信号電界強度）、ＣＱＩ（チャネル品質指示子）などのような、基地局の下りリンク（例えば、スーパーフレームヘッダー、パイロットなどのような、同期チャネル、放送チャネル）信号の測定になることができる。本発明の実施例によって論議されるすべての条件は、前述した条件及び／または他の条件の１つ以上の組合になることができる。
【００７５】
トリガー条件が加入者端末（ＳＳ）と直接干渉緩和（ＩＭ）を開始するためのトリガー条件を満たすことができなければ（またはただ一部の加入者端末またはパートナーにのみ干渉緩和（ＩＭ）することを楽しむ政策を有していれば）、フェムトセル基地局１６０は、（ブロック５３０で）干渉緩和（ＩＭ）指示子を‘００’に設定した（すなわち、干渉緩和（ＩＭ）は、許容されず、再度試みない）拒否メッセージ（例えば、ＲＮＧ−ＲＳＰ）を加入者端末１１６に伝送することができる。いくつかの実施例において、これは、加入者端末１１６が同一のスキャン結果下で再度試みることを許容しないことを示すことができる。
【００７６】
もし、加入者端末に対して直接干渉緩和（ＩＭ）を開始するためのトリガー条件を満たす場合、フェムトセル基地局１６０は、ブロック５７０で、加入者端末１１６に対する干渉緩和（ＩＭ）を開始し、通知（例えば、‘０１’に設定したＩＭ指示子を有するＲＮＧ＿ＲＳＰを介して）を伝送する。例えば、政策がフェムトセル基地局１６０が新しい周波数割当（ＦＡ）を選択することを許容し、これが成功なら、フェムトセル基地局１６０は、（ＩＭ指示子‘０１’を有するＲＮＧ−ＲＳＰメッセージのような）シグナリングで加入者端末１１６に応答する。このシグナリングは、干渉緩和（ＩＭ）が成功的に行われ、加入者端末１１６は、接続するための他の基地局を続いて探しなければならないという意味を有する。もし、政策がフェムトセル基地局１６０がパワー制御を行うことを許容し、フェムトセル基地局１６０が下りリンク制御チャネル（同期チャネルまたは放送チャネルのような）上のパワー、データチャネル上の制御メッセージ上のパワー、データチャネル上のパワーなどのような伝送パワーを成功的に減少させれば、フェムトセル基地局１６０は、ＩＭ指示子‘０１’を有するＲＮＧ−ＲＳＰメッセージに応答する。これは、干渉緩和（ＩＭ）が成功的に行われ、加入者端末１１６は、接続するための他の基地局を続いて探しなければならないという意味を有する。応答を受信すれば、加入者端末１１６は、接続するための他の基地局を探すために試みることができる。
【００７７】
一実施例において、フェムトセル基地局１６０による干渉緩和（ＩＭ）を開始するための試みは、加入者端末に対して直接干渉緩和（ＩＭ）を開始するためのトリガー条件を満たす場合にも、失敗することができる。例えば、もし、政策がフェムトセル基地局１６０が新しい周波数割当（ＦＡ）を選択するように許容したが、利用することができる新しい周波数割当（ＦＡ）が存在しない場合、そして、政策がパワー制御を許容したが、フェムトセル基地局１６０が下りリンク制御チャネル（同期チャネルまたは放送チャネルのような）上のパワー、データチャネルの制御メッセージ上のパワー、データチャネル上のパワーなどのようなその伝送パワーを減少しない場合、（またはそのパワーをこれ以上減少させることができない場合）、フェムトセル基地局１６０は、（ＩＭ指示子‘１０’を有するＡＡＩ＿ＲＮＧ−ＲＳＰメッセージのような）シグナリングで応答する。これは、干渉緩和（ＩＭ）が許容されたが、失敗したという意味を有する。応答を受信すれば、加入者端末１１６は、このような目的のために設定されたレインジング目的指示（Ｒａｎｇｉｎｇ ｐｕｒｐｏｓｅ ｉｎｄｉｃａｔｉｏｎ）を有するＲＮＧ−ＲＥＱメッセージを伝送することによって干渉を経験しているという表示を再度試みる。
【００７８】
いくつかの実施例において、もし、政策が非会員加入者端末（例えば、加入者端末１１６）が会員加入者端末より低い優先順位で一時的にフェムトセル基地局１６０に接続することを許容すれば、フェムトセル基地局１６０は、加入者端末（ＳＳ）にシグナリングを伝送することができる。このシグナリングは、加入者端末１１６が低い優先順位でフェムトセル基地局１６０に接続することを許容するという意味を有する。加入者端末１１６は、位置アップデートを行うことが必要とすることができ、フェムトセル基地局１６０は、加入者端末１１６にペイジングを伝達しなければならない。すなわち、フェムトセル基地局１６０は、非会員加入者端末１６０がフェムトセル基地局１６０に接続することを許容することができ、ＣＳＧにある会員加入者端末（例えば、加入者端末１１７）のサービス品質（ＱｏＳ）が毀損されない限り、低い優先順位でサービスを提供する。フェムトセル基地局１６０は、非会員加入者端末１１６に対して一時的に仮想のＣＳＧ開放基地局になることができる（すなわち、ただサービス／接続の観点で）。しかし、フェムトセル基地局１６０は、ＣＳＧ閉鎖からＣＳＧ開放にその形式を実際に切り替えるものではない。実際形式変更は、ＣＳＧ閉鎖及びＣＳＧ開放状態がセル識別子の一部分によって示されるとしたら、フェムトセル基地局１６０のセル識別子（ｃｅｌｌ ＩＤ）の変更をもたらす。いくつかの実施例において、フェムトセル基地局１６０は、その形式をＣＳＧ開放に変更することができる。もし、ＣＳＧ閉鎖及びＣＳＧ開放に対するセル識別子（ｃｅｌｌ ＩＤ）が異なるセットから来たものなら、ＣＳＧ閉鎖基地局は、セル識別子を変更することが必要とすることができる。
【００７９】
もし、加入者端末１１６にフェムトセル基地局１６０に対する臨時的な接続が与えられれば、加入者端末１１６は、フェムトセル基地局１６０が加入者端末１１６がフェムトセル基地局１６０に対する接続を得る以前に有したものとは異なるペイジンググループ識別子を有すれば、ペイジング制御機に対する位置アップデートを有することができる。加入者端末１１６がフェムトセル基地局１６０に連結される間に、フェムトセル基地局１６０は、ペイジングを加入者端末１１６に伝達しなければならない。
【００８０】
いくつかの実施例において、フェムトセル基地局１６０において政策は、ただ１つの形式の干渉緩和（ＩＭ）または多重形式の干渉緩和（ＩＭ）を許容することができる。もし、フェムトセル基地局１６０の政策が多重形式の干渉緩和を許容すれば、各形式の干渉緩和（ＩＭ）に対する条件（例えば、伝送パワー（ＴＸ）減少、周波数割当（ＦＡ）変更、臨時接続許容またはＣＳＧ−閉鎖形式からＣＳＧ開放形式への変更など）は、分離した条件または同一の条件を有することができる。干渉緩和（ＩＭ）要請を受諾または拒否するか否か、どのように干渉緩和（ＩＭ）を行うかを決定するフェムトセル基地局の干渉緩和政策は、フェムトセル基地局１６０のサービス提供者によって定義されることができる。一実施例において、フェムトセル基地局１６０の政策は、少なくとも一部分が定義されるか、及び／または直接フェムトセル基地局１６０で地域的にまたは遠隔で修正されることができる。一実施例において、政策は、加入者端末１１６に例えば、フリープロビゾンニング（ｐｒｅ−ｐｒｏｖｉｓｉｏｎｉｎｇ）、再登録応答（ｒｅｇｉｓｔｒａｔｉｏｎ ｒｅｓｐｏｎｓｅ）、または他のメッセージを介して、伝送されることができる。
【００８１】
いくつかの実施例において、干渉緩和（ＩＭ）要請に対する応答の干渉緩和（ＩＭ）指示子は、さらに強健（ｒｏｂｕｓｔ）になってもよい。一実施例において、ビットマップがその政策が成功であるか否かを示すために使用されてもよい。例えば、２個のビットが各政策に対して存在し、ここで、一番目のビットは、政策が支援されるか否かを言及し（許容しないことに対しては、‘０’、許容することに対しては、‘１’）、二番目のビットは、政策が成功的に行われたか否かを言及する（失敗に対しては、‘０’、成功に対しては、‘１’）。他の実施例において、ビットの数は、結果のインデックスに対応することができる（例えば、‘０００’：干渉緩和（ＩＭ）は、許容されない、再度試みしなさい［これを受信すれば、加入者端末は、再度試みることができない］、‘００１’：干渉緩和（ＩＭ）許容、しかし、リソース調節失敗、再度試みることができる｛これを受信すれば、加入者端末は、再度試みることができる、干渉緩和（ＩＭ）要請を再伝送するか、試みなくてもよい］；‘０１０’：干渉緩和（ＩＭ）許容、周波数割当（ＦＡ）変更される、接続のために接続可能な基地局を探すことを試みなさい［これを受信すれば、加入者端末は、接続のために接続可能な基地局を探すことを試みることができる。もし、探すことができなければ、干渉緩和（ＩＭ）要請再送信することができる］；‘０１１’干渉緩和（ＩＭ）許容、下りリンク送信制御チャネルパワー減少、接続のために接続することができる基地局を探すように試みます［これを受信すれば、加入者端末は、接続のために接続可能な基地局を探すことを試みることができる。もし、探すことができなければ、干渉緩和（ＩＭ）要請再伝送することができる］；‘１００’：干渉緩和（ＩＭ）許容、加入者端末が低い優先順位で接続することを許容、しかし、残った資源なし［これを受信すれば、加入者端末は、再度試みるか、試みなくてもよい］；‘１０１’：干渉緩和（ＩＭ）許容、加入者端末が低い優先順位で接続することを許容し、残りのリソースがある。［これを受信すれば、加入者端末は、接続不可能な基地局に接続する］；‘１１０’、‘１１１’：予約される）。これは、ただ実施例である。類似の例が干渉緩和（ＩＭ）に対する政策に基づいて容易に記述されることができる。
【００８２】
図６は、行われる干渉緩和（ＩＭ）を維持、終了、または調節するか否かを決定するための干渉基地局でのプロセスを示す。プロセス６００は、干渉基地局（例えば、フェムトセル基地局１６０）が加入者端末（例えば、加入者端末１１６）の代わりに交渉するサービング基地局（例えば、基地局１０３）と通信を行う状況、または加入者端末の代わりに干渉緩和（ＩＭ）を交渉するサービング基地局が存在しないので、干渉基地局が加入者端末と直接通信を行う時の状況、両方共にに適用されることができる。図６を参照すれば、図１のフェムトセル基地局１６０は、ＣＳＧ閉鎖基地局であり、加入者端末１１６は、フェムトセル基地局１６０の会員ではなく、基地局１０３は、加入者端末１１６に対して接続可能な基地局であると仮定する。さらに、プロセス６００は、フェムトセル基地局１６０が加入者端末１１６のために干渉緩和（ＩＭ）を行う中であると仮定する。
【００８３】
ブロック６１０で、フェムトセル基地局１６０は、非会員加入者端末（例えば、加入者端末１１６）が接続可能な基地局に対するスキャンをするように要請する。以前に論議したように、フェムトセル基地局１６０は、干渉緩和（ＩＭ）が成功的に開始したことを示す同一のメッセージ（ＲＮＧ−ＲＳＰ）で加入者端末１１６に接続可能な基地局に対するスキャンをするように要請することができる。
【００８４】
ブロック６２０で、フェムトセル基地局１６０は、干渉緩和（ＩＭ）が行われた加入者端末１１６は、基地局１０３のような、接続可能な基地局にハンドオーバーするか否かを決定する。すなわち、フェムトセル基地局１６０は、干渉緩和（ＩＭ）を中断するためのトリガー条件を満たすか否かを判断する。干渉緩和（ＩＭ）を中断するためのトリガー条件は、これに限定されないが、干渉緩和（ＩＭ）を行うための時間が満了すれば、非会員加入者端末（例えば、加入者端末１１６）は、臨界値より大きい信号強度（例えば、平均ＳＩＮＲ、ＣＩＮＲ、ＣＩＲ、ＣＮＲ、ＲＳＳＩ、ＣＱＩなど）で、または臨界期間より長い一定期間そのような信号強度が臨界値以上を維持することによって、接続可能な基地局（例えば、基地局１０３）をスキャンし発見する場合；干渉緩和（ＩＭ）が行われた接続不可能な基地局（例えば、フェムトセル基地局１６０）は、臨界期間より長い一定期間臨界値より小さい信号強度を有する場合；フェムトセル基地局１６０が臨界期間より長い一定期間最高信号強度を有しない場合；及び／またはフェムトセル基地局１６０が臨界期間より長い時間の間臨界値より大きい量によって接続可能な基地局より小さい信号強度を有する場合；などを含むことができる。また、前記条件は、ハンドオーバーのための条件になることができる。本発明の実施例において言及された臨界値それぞれは、他の臨界値とは独立的であり、異なることができることを言及する。既に論議したように、すべてのトリガー条件は、前述した条件及び／または他の条件中の１つまたは組合になることができる。
【００８５】
もし、干渉緩和（ＩＭ）実行を中断するためのトリガー条件を満たす場合、フェムトセル基地局１６０は、ブロック６３０で、干渉緩和（ＩＭ）を終了するかまたは維持するかを決定することができる。例えば、フェムトセル基地局１６０は、もし、すべての会員加入者端末（例えば、加入者端末１１７）が最小パワーレベルを満たす満足な信号強度を有しているか、または他の非会員加入者端末が相変らず干渉緩和（ＩＭ）が必要であれば、干渉緩和（ＩＭ）を維持する。その代案として、フェムトセル基地局１６０は、干渉緩和（ＩＭ）を全体的に終了するか、または干渉緩和（ＩＭ）の量を減少させることによって、干渉緩和（ＩＭ）を部分的に終了することを決定することができる。または、もし、フェムトセル基地局１６０が多重形式の干渉緩和（ＩＭ）を行うとしたら、少なくとも１つの形式の干渉緩和（ＩＭ）を維持しながら、ただ１つまたはいくつかの形式の干渉緩和（ＩＭ）を終了させることができる。
【００８６】
もし、加入者端末１１６にフェムトセル基地局１６０に対する臨時的な接続が与えられ、フェムトセル基地局１６０が、加入者端末１１６がフェムトセル基地局１６０に臨時的な接続を得る前の識別子とは異なるペイジンググループ識別子を有していれば、加入者端末１１６は、ペイジング制御機に対して位置アップデートを有する。フェムトセル基地局１６０に接続する間に、フェムトセル基地局１６０は、加入者端末１１６に対するペイジングを伝達する。加入者端末１１６がフェムトセル基地局１６０からハンドアウトした後、加入者端末１１６は、もし、適用することができれば、他の位置アップデートを有することができる。その時点に、フェムトセル基地局１６０は、これ以上ペイジングを加入者端末１１６に伝達しない。
【００８７】
加入者端末１１６が他の基地局にハンドオーバーをしない場合（またはハンドオーバー中ではない場合）、フェムトセル基地局１６０は、ブロック６４０で追加干渉緩和（ＩＭ）のために測定された信号強度と一緒にスキャニングレポート（ＳＣＮ−ＲＥＰ）またはレインジング要請（ＲＮＧ−ＲＥＱ）を受信することができる。スキャン報告は、会員加入者端末（加入者端末１１７）及び非会員加入者端末（加入者端末１１６）の両方から受信することができる。前述したように、各加入者端末は、トリガー条件に基づいて、または周期的に各加入者端末によって自体的にスキャン報告を伝送することができる。また、フェムトセル基地局１６０は、各加入者端末に（例えば、要請しないスキャン応答（ＳＣＮ−ＲＳＰ）またはレインジング応答（ＲＮＧ−ＲＳＰ）を介して）スキャン報告を伝送するように要請することができる。
【００８８】
ブロック６５０で、フェムトセル基地局１６０は、加入者端末１１６が追加干渉緩和（ＩＭ）に対して要請があるか否かを判断する。もし、加入者端末１１６が追加干渉緩和を要請すれば、フェムトセル基地局１６０は、ブロック６６０で、干渉緩和（ＩＭ）を増加させることを試みる。フェムトセル基地局１６０は、まず、追加干渉緩和（ＩＭ）のためのトリガー条件を満たすか否かを決定することができる。追加干渉緩和（ＩＭ）のためのトリガー条件は、加入者端末と直接干渉緩和（ＩＭ）を開始するためのトリガー条件と類似である。また、フェムトセル基地局１６０は、追加的な干渉緩和（ＩＭ）を行うことが、会員加入者端末が最小パワーレベルを満たす満足な信号強度を有することができない状況を誘発するか否かを考慮することができる。もし、追加的な干渉緩和（ＩＭ）のためのトリガー条件を満たし、会員加入者端末は、相変らず満足な信号強度を有する場合、フェムトセル基地局１６０は、ブロック６５０で、追加干渉緩和（ＩＭ）を開始する。
【００８９】
例えば、もし、フェムトセル基地局１６０が相変らず最小収容可能なＲＳＳＩまたはＣＩＮＲより高いＲＳＳＩまたはＣＩＮＲを有する唯一の基地局なら、加入者端末１１６は、この目的のために設定されたレインジング目的指示子（Ｒａｎｇｉｎｇ Ｐｕｒｐｏｓｅ Ｉｎｄｉｃａｔｉｏｎ）を有する他のＲＮＧ−ＲＥＱメッセージを伝送し、“ＣＳＧ閉鎖基地局から干渉を経験している”指示（指示子、ｉｎｄｉｃａｔｉｏｎ）または干渉緩和（ＩＭ）要請を再度試みることができる。加入者端末１１６は、干渉緩和（ＩＭ）指示子‘１０’を有するＲＮＧ−ＲＳＰメッセージを受信するまで、干渉緩和（ＩＭ）指示子‘１０’を有するＲＮＧ−ＲＳＰメッセージは、干渉緩和（ＩＭ）が許容されたが、失敗したことを意味する。すなわち、加入者端末１１６とフェムトセル基地局１６０は、加入者端末１１６が干渉緩和（ＩＭ）要請を中断するまで、またはフェムトセル基地局１６０が干渉緩和（ＩＭ）が許容されたが、失敗したことを示すまで、繰り返して干渉緩和（ＩＭ）を調節することができる。他の実施例において、加入者端末１１６は、干渉緩和（ＩＭ）がフェムトセル基地局１６０と既に成功的に開始された後、後続で干渉緩和（ＩＭ）を要請するか否かを決定するための分離したトリガー条件を有することができる。同様に、この実施例において、フェムトセル基地局１６０は、干渉緩和（ＩＭ）を連続して調節するか否かを決定するためのトリガー条件を有することができる。
【００９０】
もし、追加的な干渉緩和（ＩＭ）のためのトリガー条件を満たさない場合、フェムトセル基地局１６０は、追加的な干渉緩和（ＩＭ）を行わず、‘００’に設定された干渉緩和指示子と一緒に加入者端末１１６に拒否メッセージ（例えば、ＲＮＧ−ＲＳＰ）を伝送することができる（すなわち、干渉緩和（ＩＭ）は、許容されず、再度試みないことを通知する）。いくつかの実施例において、これは、加入者端末１１６が同一のスキャン結果下で再度試みることができないことを示すことができる。もし、追加的な干渉緩和（ＩＭ）のための追加的な条件が満されたが、リソースを利用することができないか、または追加干渉緩和（ＩＭ）を行うことが会員加入者端末が最小パワーレベルを満たす満足な信号強度を有することができない状況を誘発したら、それで、フェムトセル基地局１６０は、‘１０’に設定された干渉緩和（ＩＭ）指示子と一緒に拒絶メッセージ（例えば、ＲＮＧ−ＲＳＰ）を加入者端末１１６に伝送することができる。（すなわち、干渉緩和（ＩＭ）は、許容するが、成功しなかったことを通知する。）さらに、フェムトセル基地局１６０は、加入者端末１１６近くの接続可能な基地局から 支援を要請するためにバックホール（またはＳＯＮサーバー、基地局制御機など）を介して連絡を取ることができる（例えば、接続可能な基地局がハンドオーバーを可能にするための交渉変更）。
【００９１】
もし、加入者端末１１６が追加干渉緩和（ＩＭ）を要請しない場合（例えば、フェムトセル基地局１６０がただ会員及び／または非会員加入者端末からスキャン報告を受信した場合）、フェムトセル基地局１６０は、（ブロック６７０で）スキャン報告に基づいて干渉緩和（ＩＭ）を維持するかまたは調節するか否かを決定することができる。例えば、フェムトセル基地局１６０は、会員加入者端末が最小パワーレベルを満たす満足な信号強度を有しているか否かを検査することができる。もしそうなら、フェムトセル基地局１６０は、干渉緩和（ＩＭ）を維持するものに決定することができる。もし、会員加入者端末のうちいずれか１つが満足な信号強度を有していなければ、フェムトセル基地局は、干渉緩和（ＩＭ）を適切に調節することができる。それで、フェムトセル基地局１６０は、ブロック６１０に戻って、加入者端末１１６が接続することができる基地局に対するスキャンをするように要請することができる。
【００９２】
非会員加入者端末が接続不可能な基地局に直接干渉緩和（ＩＭ）を要請する以前実施例において説明されたアプローチは、待機モード（ｉｄｌｅ ｍｏｄｅ）または連結モード（ｃｏｎｎｅｃｔｅｄ ｍｏｄｅ）の非会員加入者端末（例えば、加入者端末１１６）に対しても使用されることができる。例えば、加入者端末と一緒に直接干渉緩和（ＩＭ）を開始するためのトリガー条件のために、いかなる基地局にも連結されていない非会員加入者端末のために前述したアプローチ；及び干渉緩和（ＩＭ）を中断するためのトリガー条件のために、いかなるモード／状態の加入者端末に対しても適用することができる。
【００９３】
図７は、本発明のいくつかの実施例によって、非会員加入者端末がサービング基地局に連結されていない場合、干渉管理のために非会員加入者端末とＣＳＧ閉鎖基地局との間の直接通信を表現した例示的な信号フローを示す。信号フロー７００は、プロセス５００及び６００に対して論議されたいくつかの実施例を反映する。また、これは、フェムトセル基地局１６０が、加入者端末１１６がその会員ではないＣＳＧ閉鎖基地局であると仮定する。
【００９４】
ブロック７１０で、加入者端末（例えば、加入者端末１１６）は、接続不可能な干渉基地局（例えば、フェムトセル基地局１６０）によって誘発されたカバレッジホール（ｃｏｖｅｒａｇｅ ｈｏｌｅ）に起因して、いかなる基地局にも連結されていない。すなわち、加入者端末１１６は、フェムトセル基地局１６０から強い干渉によって、または加入者端末１１６が待機モード（ｉｄｌｅｍｏｄｅ）にある理由で、そのサービング基地局に対する連結を失うことができる。任意の条件（例えば、非会員加入者端末がＣＳＧ閉鎖基地局から干渉を経験していることを示すために信号を直接ＣＳＧ閉鎖基地局に伝送するための条件）を満たすことを決定すれば、加入者端末１１６は、フェムトセル基地局１６０に直接干渉緩和（ＩＭ）を要請するか、または指示子（例えば、予約されたまたは割当されたレインジング目的指示（Ｒａｎｇｉｎｇ ｐｕｒｐｏｓｅ ｉｎｄｉｃａｔｉｏｎ）コード）を含むレインジング要請メッセージ（ＲＮＧ−ＲＥＱ）７１５を介してフェムトセル基地局１６０に非会員加入者端末１１６が干渉を経験していることを示すことができる。
【００９５】
ブロック７２０で、フェムトセル基地局１６０は、そのような形式の干渉緩和（ＩＭ）要請（例えば、非会員加入者端末から直接干渉緩和（ＩＭ）要請）が許容されるか否かを判断するために政策検査を行うことができる。もし、そのような形式の干渉緩和（ＩＭ）要請が許容されなければ、フェムトセル基地局１６０は、メッセージ（例えば、ＲＮＧ−ＲＳＰ）でその要請が断れたことを加入者端末１１６に応答することができる。また、一実施例において、そのメッセージは、再度試みないことを加入者端末１１６に通知することができる。
【００９６】
もし、政策がそのような干渉緩和（ＩＭ）を許容すれば、ＣＳＧ閉鎖フェムトＡＢＳは、ブロック７３０で、加入者端末１１６を考慮する保安検査をさらに行うことができる。保安検査は、加入者端末１１６が非会員にもかかわらず、適法なユーザであるか否かを決定するためのものであることができる。保安検査プロセスは、認証（ａｕｔｈｅｎｔｉｃａｔｉｏｎ）、認可（ａｕｔｈｏｒｉｚａｔｉｏｎ）、勘定（ａｃｃｏｕｎｔｉｎｇ）を含むことができる係わるプロセスＡＡＡ（ａｕｔｈｅｎｔｉｃａｔｉｏｎ、ａｕｔｈｏｒｉｚａｔｉｏｎ、ａｃｃｏｕｎｔｉｎｇ）になることができる。保安検査は、基地局１０３及びバックホールネットワークのようなネットワークエンティティーで動作を含むことができる。もし、ブロック７３０で、保安検査が加入者端末１１６が適法でないか、またはその干渉緩和（ＩＭ）サービスが特定の非会員加入者端末１１６に対して許容されないという結果になる場合、加入者端末１１６からのいかなる要請も拒否される。その拒否は、レインジング応答メッセージ（ｒａｎｇｉｎｇ ｒｅｓｐｏｎｓｅ ｍｅｓｓａｇｅ）または登録応答メッセージ（ｒｅｇｉｓｔｒａｔｉｏｎ ｒｅｓｐｏｎｓｅ ｍｅｓｓａｇｅ）によって伝達される。
【００９７】
もし、保安検査結果が、政策が加入者端末１１６に対する干渉緩和を許容するものなら、フェムトセル基地局１６０は、加入者端末と直接干渉緩和（ＩＭ）を開始するためのトリガー条件を満たすか否かを検査する。すなわち、もし、政策がこの加入者端末１１６に対する干渉緩和（ＩＭ）を許容すれば、フェムトセル基地局１６０は、加入者端末１１６に対して測定要請（７３４）を介して（例えば、ＳＣＮ−ＲＳＰを介して）スキャン報告を伝送することをさらに要請することができる。加入者端末は、測定レポート７３６（例えば、ＳＣＮ−ＲＥＰを介して）をフェムトセル基地局１６０に伝送することができる。いくつかの実施例において、ブロック７２０、７３０、信号７２５、７３２、７３４、７３６は、組み合わせられ、一部は、省略されることができ、または、そのような干渉緩和（ＩＭ）を許容するか否かを決定するための政策を検査すること、そして、保安検査のシーケンスは、変更されることができる。
【００９８】
ブロック７４０で、フェムトセル基地局１６０は、測定レポート７３６に基づいて、加入者端末と直接干渉緩和（ＩＭ）を開始するための条件を満たすか否かを判断する。いくつかの実施例において、フェムトセル基地局１６０は、地域的に（ｌｏｃａｌｌｙ）決定を下すか、またはこの決定を下すためにバックホールを介してネットワークエンティティーと通信を行うことができる。
【００９９】
加入者端末と直接干渉緩和（ＩＭ）を開始するための条件を満たすものと仮定すれば、フェムトセル基地局１６０は、ブロック７５０で、干渉緩和（ＩＭ）を行う。地域的にまたはサービス提供者によって定義されることができる、その政策に基づいて、フェムトセル基地局１６０は、干渉緩和（ＩＭ）方法のうちいずれか１つまたはその組合を行うことができる。干渉緩和（ＩＭ）方法は、これに制限されないが、伝送パワー減少、（以下で説明される環境によって）ＣＳＧ閉鎖からＣＳＧ開放に（実際または仮想で）変更、及び／または周波数割当（ＦＡ）変更などを含む。信号フロー７００に示されていないが、フェムトセル基地局１６０は、加入者端末１１６に通知（例えば、ＲＮＧ−ＲＳＰを介して）を伝送することができる。また、フェムトセル基地局１６０は、加入者端末１１６に接続することができる基地局に対するスキャンを持続するように要請することができる。
【０１００】
ブロック７６０で、加入者端末１１６は、接続可能な基地局に対するスキャンを続く。ブロック７６５で、加入者端末１１６が相変らず接続可能な基地局を探すことができず、フェムトセル基地局１６０から干渉があまり強ければ、加入者端末１１６は、干渉緩和（ＩＭ）のための要請をさらに伝送することができる。したがって、フェムトセル基地局は、加入者端末１１６に対する追加的な干渉緩和（ＩＭ）を行うことができる。フェムトセル基地局１６０は、政策が許可すれば、追加的な干渉緩和（ＩＭ）実行を試みることができる。もし、加入者端末１１６がネットワークに接続することができる接続可能な基地局を探す場合、加入者端末は、ネットワークエントリーを行い、接続を得て、そして、通信を樹立することができる。
【０１０１】
ブロック７７０で、フェムトセル基地局１６０がＣＳＧ閉鎖基地局からＣＳＧ開放基地局形式に変更されれば、加入者端末は、フェムトセル基地局１６０に接続することができる。フェムトセル基地局１６０が仮想ＣＳＧ開放形式に変更されれば（すなわち、フェムトセル基地局が接続を許可した特定非会員加入者端末（加入者端末１１６がそうであると仮定する）に対して臨時接続を提供するために）、ＣＳＧ閉鎖形式に対してセル識別子（ｃｅｌｌ ＩＤ）を利用することを続く間に、そして、システムのＣＳＧ閉鎖形式で動作を続く間に、すなわち、フェムトセル基地局によって許容された接続を有しない非会員加入者端末に対して閉じられている間に、すなわち、フェムトセル基地局が接続を許容しない（干渉緩和に対する要請がない非会員加入者端末のような）他の非会員加入者端末に対して接続不可能な状態で残っている間に、特定の非会員加入者端末１１６は、会員加入者端末より低い優先順位でフェムトセル基地局１６０に接続することを許可されることができる。対照的に、フェムトセル基地局１６０がＣＳＧ開放形式に実際に変更されれば、フェムトセル基地局１６０は、一般的なＣＳＧ開放基地局のように動作することができ、これは、すべての非会員加入者端末がその会員加入者端末より低い優先順位で接続するように許容する。ブロック７８０で、加入者端末１１６は、もし、接続可能な基地局がハンドオーバー条件を満たす場合、接続可能な基地局にハンドオーバーする（例えば、加入者端末１１６がフェムトセル基地局１６０から移動する）。ブロック７９０で、フェムトセル基地局１６０は、地域的に干渉緩和を逆転する(reverse)か否かを決定するか、またはバックホールを介してネットワークエンティティーから通知を受信することができる。ブロック７９５で、フェムトセル基地局１６０は、その干渉緩和（ＩＭ）政策及び／または（例えば、干渉緩和（ＩＭ）が他の非会員加入者端末に対して行っているもののような）環境によって、現在全体的にまたは部分的に行われている、一部または全部の干渉緩和（ＩＭ）方法を逆転するものと決定することができる。
【０１０２】
次の段落で、干渉管理に関してさらに論議される。次の段落の実施例は、図５または図６の流れに従う必要はない。次の段落の実施例が、加入者端末がサービング基地局を有しないか、またはサービング基地局に連結されていてときについて説明されても、これに制限されるものではない。例えば、実施例は、加入者端末がサービング基地局に連結されたときのような他の設定にも適用されることができる。
【０１０３】
ＣＳＧ閉鎖（ＣＳＧ−Ｃｌｏｓｅｄ）からＣＳＧ開放（ＣＳＧ−Ｏｐｅｎ）に変更
いくつかの実施例において、政策は、フェムトセル基地局１６０を実際に変更することを許容するか、またはＣＳＧ閉鎖形式からＣＳＧ開放形式に実際に変更するようにバックホールを介してネットワークエンティティーに対して要請することができる。すなわち、もし、加入者端末と直接干渉緩和（ＩＭ）を開始するためのトリガー条件が満されれば、フェムトセル基地局１６０は、それで、ＣＳＧ閉鎖基地局からＣＳＧ開放基地局に実際に変更することを試みることができる。これは、以前の実施例において論議されたように、干渉緩和（ＩＭ）を要請する非会員加入者端末に対する接近を一時的に許容すること（すなわち、仮想ＣＳＧ開放基地局になること）とは区分されるという点を留意しなければならない。仮想ＣＳＧ開放基地局とは異なって、もし、セル識別子分割（ｃｅｌｌ ＩＤ ｐａｒｔｉｔｉｏｎｉｎｇ）がＣＳＧ閉鎖及びＣＳＧ開放形式を区分するのに使用される場合、ＣＳＧ閉鎖からＣＳＧ開放に実際変更（またはＣＳＧ開放からＣＳＧ閉鎖に実際変更）は、セル識別子変更が必要である。一方、ＣＳＧ閉鎖からＣＳＧ開放への仮想変更時には、セル識別子を同一に維持することができる。
【０１０４】
図８は、ＣＳＧ閉鎖基地局（例えば、フェムトセル基地局１６０）が実際ＣＳＧ閉鎖形式からＣＳＧ開放形式に、そして逆に実際に変更することによって干渉緩和を行う実施例のためのタイムライン（ｔｉｍｅｌｉｎｅ）を示す。時間８１０で、フェムトセル基地局１６０は、非会員加入者端末（例えば、加入者端末１１６）と直接干渉緩和（ＩＭ）を開始するためのトリガー条件を満たすか否かを決定し、ＣＳＧ閉鎖形式からＣＳＧ開放形式に変更することを試みる。一実施例において、フェムトセル基地局１６０は、干渉緩和プロセスを調整（ｃｏｏｒｄｉｎａｔｅ）するために、バックホールまたは一部のネットワークエンティティーと通信を行うことができる。
【０１０５】
形式変更要請が行われた場合、もし、他の形式のＣＳＧ基地局が他のセットのセル識別子を使用する場合、セル識別子プール（ｐｏｏｌ）から新しいセル識別子が割当されることができる。新しいセル識別子割当は、セル組職ネットワーク（ＳＯＮ、Ｓｅｌｆ−ＯｒｇａｎｉｚｉｎｇＮｅｔｗｏｒｋ）サーバー、マクロ基地局（例えば、基地局１０３）、基地局制御機、オペレータ及びそのような権限を有する他のものによって、バックホールを介して行われることができる。新しいセル識別子及び有効期間は、フェムトセル基地局１６０のカバレッジ領域内にある加入者端末、そして、各々のネイバーリスト（ｎｅｉｇｈｂｏｒ ｌｉｓｔ）をアップデートするために隣り合う基地局にに通知しなければならない。
【０１０６】
実際にＣＳＧ開放形式に変更するためのトリガー条件は、これに限定されないが、以前実施例においてのトリガー条件と類似しているか、または同一であり、そして、以前実施例において他の設定及び側面も類似しているか、または同一である。例えば、ＣＳＧ開放形式に変更するためのトリガー条件は、他の干渉緩和（ＩＭ）方法が成功しないか、及び／または要請加入者端末が例外的なクラス（例えば、関連した緊急サービス、政府機能（ｇｏｖｅｒｎｍｅｎｔ ｆｕｎｃｔｉｏｎ）、または他の高い優先順位の加入者）であることを要求することもできる。
【０１０７】
時間８２０で、もし、干渉緩和（ＩＭ）を終了するためのトリガー条件が満されれば、非会員加入者端末（例えば、加入者端末１１６）は、フェムトセル基地局１６０からハンドアウト（ｈａｎｄｏｕｔ）しなければならない。そしてフェムトセル基地局１６０は、その結果によってＣＳＧ閉鎖形式にさらに変更するか、またはＣＳＧ閉鎖形式にさらに変更するように要請することができる。
【０１０８】
いくつかの実施例において、ユーザは、手作業で（ｍａｎｕａｌｌｙ）ＣＳＧ基地局（例えば、フェムトセル基地局１６０）を異なる形式（例えば、ＣＳＧ閉鎖からＣＳＧ開放に、そしてその逆に、ＣＳＧ開放から開放に、そしてその逆になど）に設定することもできる。一実施例において、ユーザは、フェムトセル基地局１６０に信号を伝送し、形式を設定するように加入者端末（例えば、加入者端末１１６及び加入者端末１１７）を使用することができる。または、ユーザは、フェムトセル基地局１６０の形式をオンラインで変更することもできる。手動変更は、上位階層及びバックホールに対して変更要請を生成することができる。形式変更要請が行われるとき、もし異なる形式の基地局が異なるセットのセル識別子を使用している場合、セル識別子プールから新しいセル識別子が割当されなければならない。新しいセル識別子割当は、バックホールを介して（例えば、ＳＯＮサーバー、マクロ基地局、基地局制御機、オペレータオンラインなどによって）行われることができる。このような実施例のための使用は、例えば、フェムトセル基地局ユーザが手動構成設定によってゲスト／外国人ユーザを許容するように一時的に基地局形式を変更することができる。その後、ゲストが帰った後、ＣＳＧ閉鎖にその形式をさらに変更することができる。
【０１０９】
ＣＳＧ閉鎖（ＣＳＧ−Ｃｌｏｓｅｄ）から仮想ＣＳＧ開放（ＶｉｒｔｕａｌＣＳＧ−Ｏｐｅｎ）に変更
いくつかの実施例において、政策は、ＣＳＧ閉鎖基地局（例えば、フェムトセル基地局１６０）が要請する非会員加入者端末（例えば、加入者端末１１６）に接続を一時的に許可するように許容することができる。すなわち、加入者端末と直接干渉緩和（ＩＭ）を開始するためのトリガー条件を満たす場合、フェムトセル基地局１６０は、それで、一時的に仮想ＣＳＧ開放基地局になるか否かを決定することができる。既に言及したように、仮想ＣＳＧ開放基地局は、２個の異なるセットのセル識別子がＣＳＧ閉鎖及びＣＳＧ開放形式にそれぞれ割当される場合、ＣＳＧ閉鎖形式のために割当されたセル識別子を使用することを維持することもできるという点から、仮想ＣＳＧ開放基地局は、実際ＣＳＧ開放基地局とは区別される。仮想ＣＳＧ開放基地局は、フェムトセル基地局によって許可された接続を有しない非会員加入者端末に対しては、ＣＳＧ閉鎖形式で動作することを持続する間に、すなわち、フェムトセル基地局が接続を許容しない（干渉緩和に対して要請しないそのような非会員加入者端末のような）他の非会員加入者端末に対して接続不可能なまま残された間に、特定された非会員加入者端末（例えば、加入者端末１１６）にただ臨時的な接続を許容することができる。他の実施例において、仮想ＣＳＧ開放基地局によって許可された非会員加入者端末に対する臨時接続は、会員加入者端末より低い優先順位を有することができる。
【０１１０】
図９は、ＣＳＧ閉鎖基地局（例えば、フェムトセル基地局１６０）が仮想ＣＳＧ開放形式に臨時的になることによって干渉緩和を行う実施例のためのタイムライン（ｔｉｍｅｌｉｎｅ）を示す。時間９１０で、フェムトセル基地局１６０は、フェムトセル基地局１６０は、非会員加入者端末（例えば、加入者端末１１６）がフェムトセル基地局１６０に臨時に接続することを許容するための条件を満たすか否かを決定し、仮想ＣＳＧ開放形式に変更する。
【０１１１】
フェムトセル基地局１６０が仮想ＣＳＧ開放形式になるとき、フェムトセル基地局１６０は、他の非会員加入者端末に関してＣＳＧ閉鎖基地局に残っているので、フェムトセル基地局１６０に新しいセル識別子は、セル識別子プールから割当されない。フェムトセル基地局１６０が加入者端末１１６にフェムトセル基地局１６０に対する接続を許容するとき、フェムトセル基地局１６０が、加入者端末１１６がフェムトセル基地局１６０に対する臨時接続を得る前に有したものと異なるペイジンググループ識別子を有する場合、加入者端末１１６は、ページ制御機に対して位置アップデートを有することができる。もし、加入者端末１１６に対するペイジングがあれば、フェムトセル基地局１６０は、ペイジングを加入者端末１１６に伝達しなければならない。
【０１１２】
一時的に仮想ＣＳＧ開放形式に変更するための条件は、これに限定されないが、以前実施例においてトリガー条件と同一であるか、または類似の条件を含むことができ、また、以前実施例においての他の設定及びアプローチも同一であるか、または類似することができる。例えば、仮想ＣＳＧ開放形式に変更するためのトリガー条件は、他の干渉緩和（ＩＭ）方法が成功しないか、及び／または要請加入者端末が例外的なクラス（例えば、関連した緊急サービス、政府機能（ｇｏｖｅｒｎｍｅｎｔ ｆｕｎｃｔｉｏｎ）、または他の高い優先順位の加入者）であることを要求することもできる。
【０１１３】
時間９２０で、もし、干渉緩和（ＩＭ）を終了するためのトリガー条件を満たす場合、非会員加入者端末（例えば、加入者端末１１６）は、フェムトセル基地局１６０からハンドアウト（ｈａｎｄｏｕｔ）しなければならない。そして、フェムトセル基地局１６０は、その結果によってＣＳＧ閉鎖形式にさらに変更するか、またはＣＳＧ閉鎖形式にさらに変更するように要請することができる。加入者端末１１６がフェムトセル基地局１６０からハンドアウト（ｈａｎｄｏｕｔ）するとき、加入者端末１１６は、もし可能であれば、他の位置アップデートを有することができる。これによって、フェムトセル基地局１６０は、これ以上加入者端末１１６に対してペイジングを伝達しない。
【０１１４】
伝送（ＴＸ）パワー減少
図１０は、ＣＳＧ閉鎖基地局（例えば、フェムトセル基地局１６０）が、非会員加入者端末（例えば、加入者端末１１６）が接続可能な基地局（例えば、基地局１０３）に連結することを支援するために、その伝送（Ｔｘ）パワーを減少させることによって干渉緩和（ＩＭ）を行う実施例に対するタイムライン（ｔｉｍｅｌｉｎｅ）を示す。時間１０１０で、フェムトセル基地局１６０は、加入者端末１１６と直接干渉緩和（ＩＭ）を開始するための条件を決定する。すなわち、もし、政策がフェムトセル基地局１６０下りリンク伝送（Ｔｘ）パワー制御を行うことを許容すれば（下りリンク制御チャネルなどのような）、フェムトセル基地局１６０は、フェムトセル基地局１６０のカバレッジ内の会員加入者端末にメッセージ（例えば、要請しない（ｕｎｓｏｌｉｃｉｔｅｄ）ＳＣＮ−ＲＳＰ）を介して受信パワーを測定しレポートすることを要請する。また、フェムトセル基地局１６０は、フェムトセル基地局１６０の会員加入者端末（例えば、加入者端末１１７）に最小要求パワーを伝送することができる。会員加入者端末は、もし、最小要求パワーがフェムトセル基地局１６０で決定される場合、フェムトセル基地局１６０に最小要求パワー及び受信パワーのパワー差異を送り返す（ｓｅｎｄｂａｃｋ）ことができる。または会員加入者端末は、もし、最小要求パワーが会員加入者端末で定義されれば、フェムトセル基地局１６０に最小要求パワー及び受信パワーと最小要求パワーとの差異を両方とも伝送することができる。フェムトセル基地局１６０は、フェムトセル基地局１６０の会員加入者端末（例えば、加入者端末１１７）による受信パワーが最小要求パワーに劣らないように、フェムトセル基地局１６０の（制御チャネルパワーなどのような）下りリンクパワーを減少させることができる。
【０１１５】
時間１０２０で、もし、加入者端末１１６が基地局１０３がハンドオーバー条件を満たすものと決定すれば、加入者端末１１６は、基地局１０３に連結することができる。時間１０３０で、もし、フェムトセル基地局１６０が干渉緩和（ＩＭ）を終了または逆転する（reverse） ための条件を満たすものと決定すれば（例えば、フェムトセル基地局１６０の信号強度が、臨界期間より長い時間の間に臨界値より高い量による、基地局１０３より低い場合）、フェムトセル基地局１６０は、その下りリンク伝送パワーを増加させることができる。以前に論議されたように、フェムトセル基地局１６０は、フェムトセル基地局１６０が他の加入者端末のために干渉緩和（ＩＭ）を行うこともできるので、加入者端末１１６が接続可能な基地局に連結されるとき、直ちに干渉緩和（ＩＭ）を終了させたり、または逆転したりしてもよく、そうではなくてもよい。
【０１１６】
政策が伝送パワー調節を許容する一実施例において、フェムトセル基地局１６０は、（制御チャネルのパワーなどのような）下りリンク伝送パワーを制御するか、バックホールまたはＳＯＮ（Ｓｅｌｆ−Ｏｒｇａｎｉｚｉｎｇ Ｎｅｔｗｏｒｋ）サーバーを介して基地局（例えば、基地局１０３）に接続することができる非会員加入者端末と伝送パワーを交渉することができる。すなわち、加入者端末と直接干渉緩和（ＩＭ）を開始するためのトリガー条件を満たす場合、フェムトセル基地局１６０は、フェムトセル基地局１６０の伝送パワー減少を試みることができる。
【０１１７】
例えば、もしフェムトセル基地局がサービスを提供している（フェムトセル基地局１６０のカバレッジの下にある連結された状態、待機状態などのすべての加入者端末を含む）会員加入者端末（例えば、加入者端末１１７）が存在すれば、フェムトセル基地局１６０は、サービスされている加入者端末に下りリンク信号（例えば、同期チャネル（プリアンブル）、放送チャネル（ＢＣＨ）（例えば、ＩＥＥＥ ８０２．１６ｍの場合ＳＦＨ）、パイロットなど）に対して測定された信号強度各々、及び／またはそれらの最小要求信号強度と信号強度の差異を報告するように要請することができる。報告された信号強度に基づいて、フェムトセル基地局１６０は、サービスされている各加入者端末が相変らず最小要求強度を満たす信号強度を有するように、次第に、伝送パワーの程度を減少させることができる。一実施例において、最小で収容可能な強度は、任意のサービス品質（ＱｏＳ）レベルに基づくものであることができる。各加入者端末は、他の最小要求信号強度または収容可能な強度を有することができる。
【０１１８】
パワー減少後、フェムトセル基地局１６０は、一部のる接続可能な基地局を探すことができるかを測定するように一部のメッセージ（例えば、ＲＮＧ−ＲＳＰまたはＳＣＮ−ＲＳＰ）を介して、フェムトセル基地局１６０が干渉緩和（ＩＭ）を行うための非会員加入者端末（例えば、加入者端末１１６）に要請することができる。そのメッセージは、信号測定を報告するための指示子を含むことができる。加入者端末１１６が相変らずいかなる接続可能な基地局に接続することができなければ、加入者端末１１６は、他のスキャン報告（ｓｃａｎ ｒｅｐｏｒｔ）を伝送するか、または接続不可能な基地局から直接干渉緩和（ＩＭ）を要請するためのトリガー条件を満たす場合（または接続不可能な基地局から直接追加干渉緩和（ＩＭ）を要請するためのトリガー条件を満たす場合）、基地局が追加干渉緩和（ＩＭ）（例えば、追加伝送パワー減少）を行うように干渉緩和（ＩＭ）のための他の要請を伝送することができる。この時点では、フェムトセル基地局１６０は、政策が追加干渉緩和（ＩＭ）を許容するか否かを決定するために、そして、パワー減少の量を決定するために、報告された信号強度及び／または会員加入者端末の最小要求強度を考慮することができる。一実施例において、フェムトセル基地局１６０は、政策に基づいて、他の形式の干渉緩和（ＩＭ）を提供するか、または干渉緩和（ＩＭ）の形式を変更することができる。
【０１１９】
フェムトセル基地局１６０が干渉緩和（ＩＭ）を許容し実行している限り、加入者端末１１６は、（すなわち、サービスされている会員加入者端末のうちいずれか１つが最小要求／収容パワーに至るので）伝送パワーをこれ以上減少させることができないまで、追加干渉緩和（ＩＭ）に対する要請を繰り返すことができる。一実施例において、フェムトセル基地局１６０は、パワー減少の量を増加させることによって、繰り返しを減少させることができる。（例えば、フェムトセル基地局１６０によってサービスされている加入者端末のうちいずれか１つが最小要求パワーに至るように伝送パワーを減少させる。）
【０１２０】
政策がフェムトセル基地局１６０伝送パワーの追加減少を許容しないとき、フェムトセル基地局１６０は、バックホールまたはＳＯＮ（Ｓｅｌｆ−Ｏｒｇａｎｉｚｉｎｇ Ｎｅｔｗｏｒｋ）サーバーを介して基地局（例えば、基地局１０３）に接続することができる非会員加入者端末と伝送パワーを交渉するために試みることもできる。すなわち、フェムトセル基地局１６０は、加入者端末１１６の媒体接近制御識別子（ＭＡＣＩＤ；Ｍｅｄｉａ Ａｃｃｅｓｓ Ｃｏｎｔｒｏｌ ｉｄｅｎｔｉｆｉｅｒ）及び加入者端末１１６から受信されたスキャン報告（またはスキャンレポート）を伝送し、バックホール（またはＳＯＮサーバー、基地局制御機など）を介して要請を伝送することができる。その後、バックホール（またはＳＯＮサーバーまたは基地局制御機）は、フェムトセル基地局１６０の伝送パワーを増加させ、ハンドオーバーのために加入者端末１１６を引き付けるために、加入者端末１１６の近くにあるいかなる接続可能な基地局（例えば、基地局１０３）、またはフェムトセル基地局１６０の重畳基地局に至るために試みることができる。一実施例において、フェムトセル基地局１６０は、加入者端末１１６からのスキャン報告によって、パワーを報告するか、または交渉するために、ＳＯＮ、基地局制御機、ゲートウェイなどのうちいずれか１つを選択するとか、またはバックホールを介して他の基地局にパワーを報告するか、または交渉することを選択することができる。例えば、フェムトセル基地局１６０は、加入者端末１１６にサービスする最も高い可能性を有するか、またはハンドオーバーする最も高い可能性を有する基地局（例えば、基地局１０３）との交渉を選択することができる。
【０１２１】
いくつかの実施例において、加入者端末１１６は、相変らずいかなる接続可能な基地局も探さなかったことをフェムトセル基地局１６０に報告すれば、フェムトセル基地局１６０は、サービスされているフェムトセル基地局１６０の一部の会員加入者端末に他の基地局にハンドオーバーするように要請することができる。したがって、フェムトセル基地局１６０は、フェムトセル基地局の伝送パワーをさらに減少させることができる。一実施例において、フェムトセル基地局１６０は、加入者端末１１６が接続可能な基地局を発見し、接続可能な基地局に連動するまで、加入者端末１１６及び会員加入者端末（例えば、加入者端末１１７）からの測定報告（ｍｅａｓｕｒｅｍｅｎｔ ｒｅｐｏｒｔｉｎｇ）を反復して繰り返すことができる。その代案として、フェムトセル基地局１６０は、現在サービスを提供されている会員加入者端末にサービスを続くことができ、その代わりに、加入者端末１１６が以前実施例において説明されたように、フェムトセル基地局１６０の会員加入者端末より低い優先順位で、フェムトセル基地局１６０に臨時に接続することができるように許容することができる。下りリンク制御ソングパワーレベルが減少した後、フェムトセル基地局１６０は、また、類似の量で、データチャネルのパワーレベルをも減少させることができる。加入者端末１１６が他の基地局にハンドオーバーしたとき、フェムトセル基地局１６０は、サービスされている会員加入者端末、フェムトセル基地局１６０からハンドアウトするように要請された会員加入者端末、及び／または相変らず干渉緩和（ＩＭ）からの利得を有する非会員加入者端末から受信されたスキャン報告に基づいて干渉緩和（ＩＭ）方法を部分的に逆転するか、または終了させるか否かを決定することができる。
【０１２２】
上述した実施例が伝送パワー減少に関連して説明されたが、上述したプロセス（すなわち、加入者端末１１６に対して潜在的に魅力的なハンドオーバー候補になることができる接続可能な基地局と交渉）は、他の形式の干渉緩和（ＩＭ）とともに行われることもできる。
【０１２３】
周波数割当（ＦＡ；Ｆｒｅｑｕｅｎｃｙ Ａｌｌｏｃａｔｉｏｎ）変更
いくつかの実施例において、政策は、接続不可能な基地局（例えば、フェムトセル基地局１６０）がその周波数割当（ＦＡ；Ｆｒｅｑｕｅｎｃｙ Ａｌｌｏｃａｔｉｏｎ）を変更するように許容することができる。すなわち、加入者端末と直接干渉緩和（ＩＭ）を開始するためのトリガー条件（または加入者端末の代わりに交渉する基地局と干渉緩和（ＩＭ）を開始するためのトリガー条件）を満たす場合、フェムトセル基地局１６０は、重畳基地局（例えば、基地局１０３）または非会員加入者端末（例えば、加入者端末１１６）にサービスする近接基地局と異なる周波数割当（ＦＡ）または周波数キャリア（ｆｒｅｑｕｅｎｃｙ ｃａｒｒｉｅｒ）を選択するために試みることができる。一実施例において、加入者端末１１６は、異なる周波数割当（ＦＡ）に対するスキャン結果（例えば、ＳＣＮ−ＲＥＰを介して）をフェムトセル基地局１６０に報告することができる。スキャン報告を受信すれば、フェムトセル基地局１６０は、周波数割当（ＦＡ）選択を決定するか（例えば、基地局１０３と異なる周波数割当（ＦＡ）選択）、バックホールまたはＳＯＮサーバーを介して周波数割当（ＦＡ）を交渉することができる。（バックホールを介して）フェムトセル基地局１６０、ＳＯＮサーバー、基地局１０３と連結される加入者端末、または他の隣接する基地局などは、そのような周波数割当（ＦＡ）の変更を隣接する基地局に通知することができる。また、そのような他の基地局は、したがってそれらの周波数割当（ＦＡ）を変更するように決定することができる。
【０１２４】
加入者端末１１６が他の基地局にハンドオーバーするとき、フェムトセル基地局１６０の周波数割当（ＦＡ）は、必要に応じて、さらに変更される。例えば、加入者端末１１６は、フェムトセル基地局１６０の信号強度を測定し、基地局にハンドオーバー／連結するためのトリガー条件を満たすか否かを決定することによって接続することができる基地局（例えば、基地局１０３）にハンドオーバーすることができる。例えば、トリガー条件は、信号強度が臨界期間より長い一定の期間或る臨界値より低い場合、他の臨界期間より長い一定の期間フェムトセル基地局１６０の信号強度が基地局１０３の信号強度から臨界値より低い場合、及び／または位置（ＧＯＳ、位置基盤サービス（ＬＢＳ；ｌｏｃａｔｉｏｎ−ｂａｓｅｄ ｓｅｒｖｉｃｅ）など）によって、決定される。基地局１０３にハンドオーバーすれば、加入者端末１１６は、フェムトセル基地局１６０から干渉緩和（ＩＭ）がこれ以上必要ではないことを（例えば、基地局１０３に報告することによって）ネットワークが知るようにすることができる。ネットワークがフェムトセル基地局またはＳＯＮサーバーに通知するとき、周波数割当（ＦＡ）は、必要に応じて、さらに変更される（すなわち、干渉緩和（ＩＭ）は終了する）。いくつかの実施例において、周波数割当（ＦＡ）の変更は、図１０に示されたタイムライン（ｔｉｍｅｌｉｎｅ）に反映されることができる。
【０１２５】
部分周波数再使用（ＦＦＲ；Ｆｒａｃｔｉｏｎａｌ Ｆｒｅｑｕｅｎｃｙ Ｒｅｕｓｅ）
いくつかの実施例において、政策は、接続不可能な基地局（例えば、フェムトセル基地局１６０）が干渉緩和（ＩＭ）を行うとき、部分周波数再使用（ＦＦＲ）を行うように許容することができる。すなわち、部分周波数再使用（ＦＦＲ）を行うためのトリガー条件を満たす場合、フェムトセル基地局１６０は、干渉を緩和させるために、周波数パーティションを選択し使用するための試みをすることができる。部分周波数再使用（ＦＦＲ）を行うための条件は、加入者端末と直接干渉緩和（ＩＭ）を開始するためのトリガー条件（または加入者端末の代わりに交渉する基地局と干渉緩和（ＩＭ）を開始するためのトリガー条件）と同一であるか、または類似することができ、以前実施例において論議されたように、追加条件も同一であるか、または類似することができる。例えば、部分周波数再使用を行うためのトリガー条件は、フェムトセル基地局１６０が現在、周波数パーティションを使用するか、または少なくとも１つの隣り合う基地局のセクターに重畳されるそのカバレッジ領域の部分を使用する重畳基地局のセクターに位置することが要求される。
【０１２６】
一実施例において、フェムトセル基地局１６０は、隣接する基地局の下りリンク制御チャネルに対してスキャンすることができる。フェムトセル基地局１６０は、部分周波数再使用（ＦＦＲ）情報を決定するために、隣接する基地局のスーパープレヘッダー（ＳＦＨ；Ｓｕｐｅｒｆｒａｍｅ Ｈｅａｄｅｒ）をスキャンするか、バックホールからスーパープレヘッダー（ＳＦＨ）を得るか、及び／または他の基地局のスーパープレヘッダー（ＳＦＨ）をフェムトセル基地局１６０に伝達することができる加入者端末（例えば、加入者端末１１６または加入者端末１１７）からスーパープレヘッダー（ＳＦＨ）を得ることができる。フェムトセル基地局１６０は、周波数パーティションの干渉レベル及び／または信号強度を測定することができる。一実施例において、フェムトセル基地局によって現在サービスされている会員加入者端末は、また、周波数パーティションの干渉レベル及び／または信号強度を測定し、報告することができる。隣接する基地局の周波数パーティションを考慮して測定され、報告された情報、及び／またはスーパープレヘッダー（ＳＦＨ）からの部分周波数再使用（ＦＦＲ）の情報、及び／または基地局の位置情報に基づいて、フェムトセル基地局１６０またはＳＯＮサーバーは、どまような周波数パーティションを干渉緩和（ＩＭ）のために使用するかを決定することができる。例えば、フェムトセル基地局１６０が他の基地局（例えば、基地局１０３）によって重畳され、特定の周波数パーティションに使用されるセクターにあることを認知すれば、フェムトセル基地局１６０は、基地局１０３との干渉を避けるために使用されない周波数パーティションのうち選択することができる。その後、フェムトセル基地局１６０は、重畳マクロによって使用されない周波数パーティションのうち低い干渉レベルを有する周波数パーティションをさらにピックアップ（ｐｉｃｋｕｐ）することができる。その代案として、フェムトセル基地局１６０は、フェムトセル基地局１６０の隣り合う基地局及び隣り合う基地局各々の部分周波数再使用設定を認知するか、または決定することができる。したがって、フェムトセル基地局１６０は、もしあれば、隣り合う基地局が使用していない周波数パーティションをピックアップすることができる。
【０１２７】
低負荷モード（ＬＤＭ；Ｌｏｗ Ｄｕｔｙ Ｍｏｄｅ）で接続不可能な基地局のための干渉緩和（ＩＭ）
いくつかの実施例において、接続不可能な基地局（例えば、フェムトセル基地局１６０）は、低負荷モード（ＬＤＭ）中に、要請する非会員加入者端末（例えば、加入者端末１１６）のための干渉緩和（ＩＭ）を行うことができる。一実施例において、低負荷モード（ＬＤＭ）中に、接続不可能な基地局は、その低負荷モード（ＬＤＭ）状態の指示子をブロードキャストしてもよく、またはしなくてもよい。もし、低負荷モード（ＬＤＭ）状態の指示子がブロードキャストされれば、一般モードと比較される低負荷モード（ＬＤＭ）の差異は、非会員加入者端末が放送チャネル（ＢＣＨ）からの指示子をデコーディングし、基地局が低負荷モード（ＬＤＭ）にあることを認知することになる。それで、非会員加入者端末は、すべての信号が、測定のために、利用不可能な区間（ＵＡＩ；ｕｎａｖａｉｌａｂｌｅ ｉｎｔｅｒｖａｌ）（例えば、同期チャネルまたは放送チャネル（ＢＣＨ）またはパイロットなど）の間に存在するものではない場合、利用可能な区間（ＡＩ；ａｖａｉｌａｂｌｅ ｉｎｔｅｒｖａｌ）を測定するために、低負荷モード（ＬＤＭ）パターン情報（例えば、キャッシュされた（ｃａｃｈｅｄ）情報またはあらかじめ権限設定された（ｐｒｅ−ｐｒｏｖｉｓｉｏｎｅｄ）情報）を利用することができる。［参照として、フェムトセル基地局は、一般モードと低負荷モード（ＬＤＭ）で動作し、低負荷モード（ＬＤＭ）で制御情報を伝送する区間であるＡＩと制御情報を伝送しない区間であるＵＡＩを有する。］
【０１２８】
一実施例において、そして、図１を参照すれば、待機モードである（すなわち、いかなる基地局にも連結されていない）非会員加入者端末（例えば、加入者端末１１６）は、接続不可能な基地局（例えば、フェムトセル基地局１６０）の低負荷モード（ＬＤＭ）の利用不可能な区間（ＵＡＩ）の間に接続可能な基地局（例えば、基地局１０３）に対してスキャンすることができ、接続可能な基地局に接続して連動するように試みることができる。もし、加入者端末１１６が低負荷モード（ＬＤＭ）でフェムトセル基地局１６０の利用可能な区間（ＡＩ）をスキャンし、任意の臨界値より高い信号強度を測定すれば、加入者端末１１６は、フェムトセル基地局１６０の低負荷モード（ＬＤＭ）の利用可能な区間（ＡＩ）から干渉を考慮して基地局１０３（またはサービング基地局）に報告することができる。基地局１０３は、フェムトセル基地局１６０の下りリンク制御チャネル上の伝送パワーを考慮してフェムトセル基地局１６０と交渉することができる。例えば、基地局１０３は、下りリンク制御チャネルの伝送パワーを減少させるように低負荷モード（ＬＤＭ）でフェムトセル基地局１６０に要請することができる。フェムトセル基地局１６０は、会員加入者端末（例えば、加入者端末１１７）によって受信された信号強度が最小要求パワーより低くないように、下りリンク制御チャネルパワーを減少させることができる。もし、フェムトセル基地局１６０が待機モードまたはスリップモードにあるフェムトセル基地局の会員のうちどれもハンドアウトすることを希望しないが、加入者端末１１６が相変らずフェムトセル基地局１６０の低負荷モード（ＬＤＭ）の利用可能な区間（ＡＩ）間臨界値より高い干渉を測定すれば、フェムトセル基地局１６０は、加入者端末１１６が政策が許容すれば、例外的な場合として、接続を許容することができ、フェムトセル基地局１６０は、加入者端末１１６が活性化されたとき、低負荷モード（ＬＤＭ）を終了するか、または覚めることができる。
【０１２９】
加入者端末がサービング基地局に連結されたときの干渉緩和（ＩＭ）
図１１は、本発明の実施例によって加入者端末がサービング基地局に連結されるとき、干渉基地局と干渉緩和（ＩＭ）交渉を開始するか否かを決定するためのプロセスを示す。加入者端末１１６が相変らず基地局１０３と連結されている間に、フェムトセル基地局１６０によって誘発された干渉を経験しているとき、干渉緩和（ＩＭ）のためのトリガー条件を満たすと仮定すれば、基地局１０３は、加入者端末１１６の代わりにフェムトセル基地局１６０と干渉緩和（ＩＭ）を開始する。いくつかの実施例において、プロセス１１００は、加入者端末がハンドオーバーのために候補基地局をスキャンし、干渉緩和（ＩＭ）のために干渉基地局をスキャンするように基地局１０３のＢＴＳ制御機２２５によって調整されることができる。他の実施例において、プロセス１１００は、加入者端末１１６のメインプロセッサによって調整されることができる。この加入者端末１１６は、ハンドオーバーのために候補基地局と、干渉緩和（ＩＭ）のために干渉基地局を自体的にスキャンする。プロセス１１００は、サービング基地局として基地局１０３を、そして、干渉基地局としてフェムトセル基地局１６０を参照にして説明される。しかし、これは、ただ既に言及されたように、説明のためのものであり、サービング基地局及び干渉基地局は、いかなる形式の基地局に代替されることができる。次の段落は、まず、基地局１０３が干渉緩和（ＩＭ）を開始するためのスキャンプロシージャを調整する実施例に対するプロセス１１００を説明する。
【０１３０】
ブロック１１１０で、基地局１０３は、加入者端末がその隣り合う基地局をスキャンするように指示するか否かを決定する。一実施例において、基地局１０３は、このような決定をスキャン要請（ＳＣＮ−ＲＥＱ）のようなメッセージに基づいて下ることができる。加入者端末１１６は、いかなる条件を満たす場合、ＳＣＮ−ＲＥＱメッセージを伝送することができる。条件は、基地局１０３信号強度が任意の臨界レベル以下に低下すること、基地局１０３の信号強度が干渉基地局（例えば、フェムトセル基地局１６０）の信号強度より弱くなること、またはフェムトセル基地局１６０信号強度が臨界レベル以上に至ることを含むことができる。信号強度は、基地局下りリンク信号（例えば、同期チャネル（プリアンブル）、放送チャネル（ＢＣＨ）（例えば、ＩＥＥＥ ８０２．１６ｍの場合、ＳＦＨ）、パイロットなど）から測定されることができる。信号強度測定は、ＳＩＮＲ（Ｓｉｇｎａｌ ｔｏ Ｉｎｔｅｒｆｅｒｅｎｃｅ−ｐｌｕｓ−Ｎｏｉｓｅ Ｒａｔｉｏ）、ＣＩＮＲ（Ｃａｒｒｉｅｒ ｔｏ Ｉｎｔｅｒｆｅｒｅｎｃｅ−ｐｌｕｓ−Ｎｏｉｓｅ Ｒａｔｉｏ）、ＣＩＲ（Ｃａｒｒｉｅｒ ｔｏ Ｉｎｔｅｒｆｅｒｅｎｃｅ Ｒａｔｉｏ）、ＣＮＲ（Ｃａｒｒｉｅｒ ｔｏ Ｎｏｉｓｅ Ｒａｔｉｏ）、ＲＳＳＩ（Ｒｅｃｅｉｖｅｄ Ｓｉｇｎａｌ Ｓｔｒｅｎｇｔｈ Ｉｎｄｉｃａｔｉｏｎ）、及び他の類似の測定のうち１つ以上に基づく平均または瞬時値になることができる。
【０１３１】
ブロック１１２０で、基地局１０３は、加入者端末１１６に特定時間スロットで隣り合う基地局をスキャンするように指示する。一実施例において、加入者端末１１６からのスキャン要請（ＳＣＮ−ＲＥＱ）は、基地局１０３にハンドオーバーのために候補基地局をスキャンするためのインストラクション及び時間スロットを要請する。基地局１０３は、隣り合う基地局（ＮＢＲ、ｎｅｉｇｈｂｏｒ）リストの基地局を含むスキャン応答（ＳＣＮ−ＲＳＰ）を加入者端末１１６に伝送する。隣り合う基地局（ＮＢＲ）リストは、マクロセル基地局を含む、基地局１０３に知られた周辺基地局を識別する。また、隣り合う基地局（ＮＢＲ）リストは、マイクロセル、ピコセル、開放フェムトセルなどを含むことができる。隣り合う基地局（ＮＢＲ）リストは、基地局によって、加入者端末にブロードキャストされる。加入者端末１１６は、基地局１０３からのＳＣＮ−ＲＳＰによって隣り合う基地局（ＮＢＲ）リストの基地局をモニターする。
【０１３２】
ブロック１１３０で、基地局１０３は、加入者端末１１６に特定時間スロットで（ブロードキャストされた隣り合う基地局リストにない）接続可能な基地局をスキャンするように指示する。一実施例において、基地局１０３は、加入者端末１１６から他のスキャン要請（ＳＣＮ−ＲＥＱ）を受信する。基地局１０３は、加入者端末１１６に、加入者端末１１６が、加入者端末１１６が会員である、ＣＳＧ開放基地局及びＣＳＧ閉鎖基地局のような、隣り合う基地局（ＮＢＲ）リストに含まれない接続可能な基地局をスキャンすることができる時間スロットを提供するスキャン応答（ＳＣＮ−ＲＳＰ）を伝送する。図１で、フェムトセル基地局１６０は、加入者端末１１７に対して接続可能な基地局になることができる。加入者端末１１６は、基地局１０３からスキャン応答（ＳＣＮ−ＲＳＰ）による隣り合う基地局（ＮＢＲ）リストにない接続可能な基地局をモニターする。隣り合う基地局（ＮＢＲ）リストの基地局及び隣り合う基地局（ＮＢＲ）リスト上にない接続可能な基地局は、ハンドオーバーのための候補になる。いくつかの実施例において、ブロック１１２０及び１１３０は、加入者端末１１６がすべての接続可能な基地局を同時にスキャンするように組み合わせられることができる。いくつかの実施例において、基地局１０３は、また、加入者端末１１６に伝送されたスキャン応答（ＳＣＮ−ＲＳＰ）に、干渉緩和（ＩＭ）開始のためのスキャンプロシージャを開始するためのトリガー条件を含ませることができる。
【０１３３】
ブロック１１４０で、接続不可能な基地局（例えば、フェムトセル基地局１６０）がモニターのために加入者端末に指示される。いくつかの実施例において、基地局１０３は、加入者端末１１６が接続不可能な基地局をスキャンするように、メッセージを介して（例えば、ＳＣＮ−ＲＳＰ）、要請を伝送することができる。一実施例において、基地局１０３は、もし一部のトリガー条件（すなわち、干渉緩和（ＩＭ）開始のためのスキャンプロシージャを開始するためのトリガー条件）を満たす場合、加入者端末１１６に接続不可能な基地局をモニターするように要請することができる。干渉緩和（ＩＭ）開始のためのスキャンプロシージャを開始するためのトリガー条件は、これに限定されないが、サービング基地局信号強度が臨界値より低いこと、ハンドオーバーのためのすべての候補基地局が任意の臨界値より弱い信号強度を有すること、接続不可能な基地局信号強度が臨界値より強いことなどを含む。また、本実施例において論議されたすべてのトリガー条件は、時間期間コンポネントを含むことができ、メッセージに伝送されるとき、ＴＬＶ（ｔｙｐｅ−ｌｅｎｇｔｈ−ｖａｌｕｅ）形式でエンコードされることができる。ＴＬＶ形式は、表１及び表２と関連して以下でさらに説明される。基地局１０３は、隣り合う基地局（ＮＢＲ）リストにない基地局をスキャンするために、受信されるスキャン要請（ＳＣＮ−ＲＥＱ）に応答してスキャン応答（ＳＣＮ−ＲＳＰ）を伝送することができる。その代案として、基地局１０３は、要請しないメッセージまたはスキャン応答（ＳＣＮ−ＲＳＰ）を介して接続不可能な基地局をスキャンするように加入者端末１１６に要請することができる。いくつかの実施例において、基地局１０３は、接続可能な基地局にハンドオーバーが可能ではないことを決定することによって、接続不可能な基地局をスキャンするように加入者端末１１６に要請することができる。
【０１３４】
基地局をスキャンするとき、加入者端末１１６は、同期チャネルをスキャンすることができ、同期チャネルの信号強度、プリアンブル（セル識別子）及び関連した信号強度を得ることができる。ＣＳＧ閉鎖基地局が接続可能であるか否かを決定するために、加入者端末１１６は、ＢＳＩＤまたはＣＳＧＩＤが加入者端末１１６のローカルホワイトリスト４６２にあるか否かを検査することによって基地局が接続可能であるか否かを検査するために、同期チャネルの信号強度によって、スーパーフレームヘッダー（ＳＦＨ；ｓｕｐｅｒｆｒａｍｅ ｈｅａｄｅｒ）（放送チャネル）のうち一部をスキャンすることができる。
【０１３５】
一実施例において、移動端末（ＭＳ）は、強い信号強度を有する接続不可能なフェムトをモニターすることができる。例えば、移動端末（ＭＳ）は、同期チャネルをスキャンし、同期チャネルの信号強度、プリアンブル（セル識別子）及び連関された信号強度を得る。その後、移動端末（ＭＳ）は、移動端末（ＭＳ）のすべての加入された基地局の地域リストである、移動端末（ＭＳ）ホワイトリストのうち一部を有するＢＳＩＤまたはＣＳＧＩＤを比較することによって、基地局が接続可能なものでるか否かを検査するために、（ＣＳＧ閉鎖基地局形式に対して、ＢＳＩＤ／ＣＳＧＩＤがホワイトリストにあれば、これは、接続可能なものを意味する；ホワイトリストになければ、これは、接続不可能なものであることを意味する。）同期チャネルの信号強度によって、（例えば、スーパーフレームヘッダー、ＳＦＨのような）放送チャネルのうち追加一部をスキャンすることができる（例えば、最高の強度、二番目の最高強度同期チャネルを有する基地局の一部をピックアップし、その後、それらの放送チャネルをスキャンする。）。または他の実施例において、移動端末（ＭＳ）は、同期チャネルをスキャンし、同期チャネルの信号強度、関連したセル識別子（プリアンブル）を得て、最も強い信号強度を有する一番目の若干の基地局をピックアップし、その後、セル識別子がホワイトリストにあるか否かを調べるためにホワイトリストを検査し、ＣＳＧ閉鎖基地局形式の場合、ホワイトリストになければ、これは、接続不可能であることを意味し、ホワイトリストにあれば、ＣＳＧＩＤまたはＢＳＩＤがホワイトリストにあるかに関してさらに検査するために、放送チャネル（ＢＣＨ）を追加にデコーディングすることができ、ＣＳＧ−閉鎖基地局形式の場合、もしホワイトリストにあれば、これは、接続可能であることを意味し、もしホワイトリストになければ、これは、接続不可能であることを意味する。また、移動端末（ＭＳ）は、どの基地局が接続不可能であるか、そして強い信号強度を有するかを把握することができる。またはサービング基地局が移動端末（ＭＳ）に接続可能な隣り合う基地局リストを提供すれば、移動端末は、この接続可能な隣り合う基地局リストを接続不可能な基地局を把握するために使用することができ、もし、接続可能な隣り合うリストが接続可能な基地局のセル識別子の情報を含む場合、移動端末（ＭＳ）は、サービング基地局によって提供されたリストの接続可能な基地局のセル識別子のセットにないセル識別子を有する基地局が接続不可能な基地局になることができることが分かる。その後、移動端末（ＭＳ）は、それらを追加にモニターするために、セル識別子に基づいて接続不可能な基地局から１つまたは複数をピックアップすることができる（例えば、放送チャネルをデコーディングすることができ、パイロットをモニターするなどを行うことができる。）。
【０１３６】
いくつかの実施例において、加入者端末１１６は、干渉緩和（ＩＭ）開始のためのスキャンプロシージャを開始するためのトリガー条件を満たすとき、接続不可能な基地局を自体的にスキャンすることができる。他の実施例において、加入者端末１１６は、トリガー条件が基地局１０３から受信されたか否かに関係なく、いかなる時でも、接続不可能な基地局を自体的にスキャンまたはモニターすることができる。さらに他の実施例において、ブロック、１１３０及び１１４０は、同時に行われることができる。他の実施例において、ブロック１１２０、１１３０及び１１４０は、いかなる手順でも組み合わせられることができ、ブロック１１２０、１１３０及び１１４０のうち一部は、省略されることができる。
【０１３７】
ブロック１１５０で、基地局１０３は、ハンドオーバーが可能であるか否かを判断する。すなわち、基地局１０３は、スキャン報告（例えば、ＳＣＮ−ＲＥＰまたは一部の他のメッセージ）を受信する。これは、加入者端末１１６によってモニターされた、サービング基地局１０３、接続可能な基地局及び接続不可能な基地局のスキャン結果を含むことができる。スキャン報告であるＳＣＮ−ＲＥＰのパラメータは、表３に関連したこの記載で後で説明される。一実施例において、基地局１０３は、いかなるトリガー条件（すなわち、干渉緩和（ＩＭ）開始に対するスキャン結果を伝送するためのトリガー条件）を満たすとき、加入者端末１１６にスキャン報告（ＳＣＮ−ＲＥＰ）を伝送するように要請することができる。干渉緩和（ＩＭ）開始のためのスキャン結果を伝送するためのトリガー条件は、基地局１０３によって定義されることができ、ＴＬＶ形式でエンコードされることができ、スキャン応答（ＳＣＮ−ＲＳＰ）を介して加入者端末１１６に伝送されることができる。いくつかの実施例において、加入者端末１１６は、加入者端末１１６が基地局１０３から要請を受信したか否かに関係なく、干渉緩和（ＩＭ）開始のためのスキャン結果を伝送するためのトリガー条件を満たすとき、基地局１０３にスキャン報告（ＳＣＮ−ＲＥＰ）を伝送することができる。干渉緩和（ＩＭ）開始のためのスキャン結果を伝送するためのトリガー条件は、これに限定されないが、接続不可能な基地局の信号強度がサービング基地局より臨界値だけ高いこと、または接続不可能な基地局の信号強度が任意の臨界値より高いことになることができる。スキャン結果に基づいて、基地局１０３は、まず、加入者端末１１６がいかなる接続可能な基地局にハンドオーバーすることができるか否かを判断する。
【０１３８】
もし、スキャン結果に基づいて、加入者端末１１６が接続可能な基地局にハンドオーバーすることができる場合、基地局１０３は、ハンドオーバーのための候補基地局を選択し、ブロック１１６０で、ハンドオーバープロシージャを開始する。
【０１３９】
もし、ハンドオーバーが可能ではない場合、基地局１０３は、スキャン結果（例えば、ＳＣＮ−ＲＥＰ）に基づいて、ブロック１１７０で、接続不可能な基地局とともに干渉緩和（ＩＭ）を開始するためのトリガー条件を満たすか否かを判断する。干渉緩和（ＩＭ）を開始するためのトリガー条件は、これに限定されないが、接続不可能な基地局の信号強度がサービング基地局より臨界値だけ高いこと、または接続不可能な基地局の信号強度が任意の臨界値より高いことなどを含むことができる。トリガー条件は、基地局のうち多様であることができる。いくつかの実施例において、干渉緩和（ＩＭ）を開始するためのトリガー条件は、基地局１０３によって定義され、ＴＬＶ形式でＳＣＮ−ＲＳＰにエンコードされ、そして、加入者端末１１６に伝送される。加入者端末１１６が干渉緩和（ＩＭ）を開始するためのトリガー条件を認知する実施例において、加入者端末１１６は、干渉緩和（ＩＭ）を開始するためのトリガー条件を満たすか否かを判断し、干渉緩和（ＩＭ）を開始するように基地局１０３に要請することができる。基地局１０３は、干渉緩和（ＩＭ）を開始するためのトリガー条件を満たすか否かを二重で検査することができる。加入者端末１１６が接続可能な基地局にハンドオーバーが可能ではないものと判断した直後、すべての接続可能な基地局の信号強度を別々に報告し、接続不可能な基地局をスキャンする他の実施例において、スキャン報告（ＳＣＮ−ＲＥＰ）は、本質的に干渉緩和（ＩＭ）を開始するように要請することを表現する。例えば、実施例、ブロック１１５０は、ブロック１１４０の以前に行われることができる。
【０１４０】
もし、干渉緩和（ＩＭ）を開始するためのトリガー条件を満たさない場合、基地局１０３は、ブロック１１１０に戻って、加入者端末１１６に隣り合う（ＮＢＲ）リストの基地局をスキャンするように要請する。一実施例において、基地局１０３は、干渉緩和（ＩＭ）を開始するための要請が拒否されたことを加入者端末１１６に通知するメッセージを伝送することができる。
【０１４１】
もし、干渉緩和（ＩＭ）を開始するためのトリガー条件を満たす場合、基地局１０３、またはネットワークは、ブロック１１８０で、バックホールまたはネットワークを介して干渉する接続可能な基地局（例えば、フェムトセル基地局１６０）と干渉緩和（ＩＭ）交渉を開始することができる。フェムトセル基地局１６０との干渉緩和（ＩＭ）は、これに限定されないが、周波数分割多重化（ＦＤＭ；ｆｒｅｑｕｅｎｃｙ ｄｉｖｉｓｉｏｎ ｍｕｌｔｉｐｌｅｘｉｎｇ）または時間分割多重化（ＴＤＭ；ｔｉｍｅ−ｄｉｖｉｓｉｏｎ ｍｕｌｔｉｐｌｅｘｉｎｇ）を利用する静的、または半静的リソース予約及びリソース共有、及び／または下りリンク（ＤＬ）パワー制御を含むことができる。一実施例において、もし、干渉緩和（ＩＭ）がバックホールまたはネットワークを介して、成功的に開始されれば、基地局１０３は、加入者端末１１６に専用メッセージ（例えば、ＩＭ−ＩＮＩ）を介して、またはいかなるメッセージのいかなるフィールドを利用して、シグナリングすることができる。そのシグナリングは、干渉緩和（ＩＭ）が開始されたことを示すとともに、接続不可能な基地局の識別子（例えば、基地局識別子（ＢＳＩＤ）、プリアンブルインデックス（Ｐｒｅａｍｂｌｅ＿Ｉｎｄｅｘ）、周波数割当（ＦＡ）など）及び‘１’に設定された状態ビットを含むことができる。干渉緩和開始（ＩＭ−ＩＮＩ）は、カテゴリーの指示子、及び詳細的な干渉緩和（ＩＭ）調節のような、どのように干渉緩和（ＩＭ）が行われるかに対する（干渉緩和遂行方法に対する）いくつかの追加情報を含むことができる。これは、例えば、カテゴリーパワー制御（例えば、これは、ｄＢ値減少を含むことができる）、カテゴリーリソース予約（例えば、これは、いかなるリソースが予約されたかを含むことができる）などである。干渉緩和開始（ＩＭ−ＩＮＩ）のパラメータは、表４に関連した記載で後で説明される。
【０１４２】
加入者端末１１６自体で接続可能な及び接続不可能な基地局をモニターする実施例に対して、加入者端末１１６は、基地局１０３から指示を受信せず、ブロック１１２０〜１１６０を自体的に行うことができる。いくつかの実施例において、加入者端末１１６が周期的に基地局をモニターするように、ブロック１１１０は、省略されることができる。また、ブロック１１２０〜１１６０は、加入者端末１１６がすべての接続可能な基地局及び接続不可能な基地局を同時にスキャンすることができるように、組み合わせられることができる。ブロック１１４０で、もし、加入者端末１１６は、接続可能な基地局にハンドオーバーが可能であると判断されれば、加入者端末１１６は、基地局１０３にシグナリングし、ブロック１１５０で、候補接続可能な基地局にハンドオーバーを開始する。もし、ハンドオーバーが可能ではない場合、加入者端末１１６は、ブロック１１６０で、干渉緩和（ＩＭ）開始のためのスキャン結果を伝送するためのトリガー条件を満たすかを判断する。干渉緩和（ＩＭ）開始のためにスキャン結果を伝送するためのトリガー条件を満たす場合、加入者端末１１６は、基地局１０３にＳＣＮ−ＲＥＰを介してまたはいかなる他のメッセージ（例えば、干渉緩和要請メッセージ、ＩＭ−ＲＥＱ）を介して干渉緩和（ＩＭ）交渉手続を開始するように要請する。もし、トリガー条件を満たしない場合、加入者端末１１６は、基地局をモニターするためにリターンする。
【０１４３】
本質的に、もし、ＣＳＧ閉鎖基地局の非会員である加入者端末がサービング基地局とＣＳＧ閉鎖基地局との間のＲＳＳＩ（Ｒｅｃｅｉｖｅｄ Ｓｉｇｎａｌ Ｓｔｒｅｎｇｔｈ Ｉｎｄｉｃａｔｉｏｎ）またはＣＩＮＲ（Ｃａｒｒｉｅｒ ｔｏ Ｉｎｔｅｒｆｅｒｅｎｃｅ−ｐｌｕｓ−Ｎｏｉｓｅ Ｒａｔｉｏ）の差異が臨界時間期間より長い一定の期間臨界差異より小さく下りリンク信号を測定すれば、加入者端末は、ＣＳＧ閉鎖基地局で、リソース予約のような、下りリンク／上りリンク（ＤＬ／ＵＬ）干渉緩和をトリガーするようにこれをサービング基地局に報告することができる。
【０１４４】
プロセス１１００は、干渉緩和（ＩＭ）（例えば、半静的／動的（Ｓｅｍｉ−ｓｔａｔｉｃ／ｄｙｎａｍｉｃ）干渉緩和など）がハンドオーバー（ＨＯ）より低い優先順位を有する現在本発明の実施例を反映する。例えば、干渉緩和（ＩＭ）は、ただ、ハンドオーバー（ＨＯ）が行われないとき、そして、接続不可能な基地局から干渉が干渉緩和（ＩＭ）開始のためのトリガー条件を満たすときにのみ、トリガーされなければならない。しかし、本発明の範囲をこれにだけ限定するものではなく、ブロックは、ハンドオーバー及び干渉緩和（ＩＭ）の優先順位を変更し、他のシーケンスで行われることもできる。例えば、いくつかの実施例において、基地局１０３は、干渉緩和（ＩＭ）を開始するためのトリガー条件がただ、ハンドオーバーが可能ではないことを要求することもできる。いくつかの実施例において、干渉緩和（ＩＭ）は、ハンドオーバーと独立的に行われることもできる。これは、干渉緩和（ＩＭ）がハンドオーバーより優先であるか、ハンドオーバーと同一優先順位であるか、またはハンドオーバーより遅い順位になることができるということを意味する。
【０１４５】
以前に説明された実施例は、加入者端末１１６が基地局１０３に連結されるとき、適用する。加入者端末１１６が基地局１０３に連結されるとき、基地局１０３は、加入者端末１１６の代わりにフェムトセル基地局１６０と干渉緩和（ＩＭ）パラメータを交渉する。干渉緩和（ＩＭ）パラメータは、これに限定されないが、干渉緩和（ＩＭ）の形式／カテゴリー、干渉緩和（ＩＭ）の期間、干渉緩和（ＩＭ）を終了／調節するためのトリガー条件などを含むことができる。
【０１４６】
いくつかの実施例において、加入者端末１１６は、加入者端末１１６が基地局１０３によって現在サービスされていないし、他の基地局に連結することもできないとき、プロセス１１００のいかなる部分を行うことができる。そのような状況は、フェムトセル基地局１６０によって誘発される強力な干渉に起因したカバレッジホール（ｃｏｖｅｒａｇｅ ｈｏｌｅ）にある間に、加入者端末１１６が基地局１０３との連結を失ったとき、発生することができる。いくつかの実施例において、干渉管理に関連したいかなるまたはすべてのトリガー条件になることができる。一実施例において、加入者端末１１６は、いかなるトリガー条件ハ（カバレッジホールを示すためのトリガー条件）で、フェムトセル基地局１６０に要請を直接伝送することができる。この状況は、図５に関連して追加に説明される。
【０１４７】
図１２は、本発明の実施例によって加入者端末がサービング基地局に連結されたとき、干渉基地局とともに干渉緩和（ＩＭ）を終了するかまたは調節するか否かを決定するためのプロセスを示す。サービング基地局（例えば、基地局１０３）が干渉緩和（ＩＭ）が調整され、干渉基地局（例えば、フェムトセル基地局１６０と一緒に行われることを認知するとき、サービング基地局は、フェムトセル基地局１６０と干渉緩和（ＩＭ）を終了するかまたは調節するか（例えば、交渉する）否かを決定するために、加入者端末１１６とスキャンプロシージャを調整する。いくつかの実施例において、プロセス１２００は、フェムトセル基地局１６０をモニターし、いつ干渉緩和（ＩＭ）を終了するかを決定するために、基地局１０３のＢＴＳ制御機２２５によって調整されることができる。他の実施例において、プロセス１２００は、加入者端末１１６のメインプロセッサ４４０によって調整されることができ、これは、自体的にフェムトセル基地局１６０をスキャンし、いつ干渉緩和（ＩＭ）を終了するか要請することを決定する。プロセス１２００は、基地局１０３をサービング基地局として、フェムトセル基地局１６０を干渉基地局として説明される。しかし、これは、ただ説明のための目的であり、既に言及されたように、サービング基地局及び干渉基地局は、いかなる形式の基地局によって代替されることができる。次の段落は、まず、基地局１０３が干渉緩和（ＩＭ）終了のためのスキャンプロシージャを調整する場合の実施例に関するプロセス１２００が説明される。
【０１４８】
ブロック１２１０で、基地局１０３は、メッセージ（例えば、ＳＣＮ−ＲＳＰ）を介してフェムトセル基地局１６０をスキャンするように加入者端末１１６に要請することができる。いくつかの実施例で、基地局１０３は、もし、いかなるトリガー条件（干渉緩和（ＩＭ）終了のためのスキャンプロシージャを開始するためのトリガー条件）を満たす場合、干渉緩和（ＩＭ）が調整される干渉基地局の信号強度をスキャンし報告するように加入者端末１１６に要請する。干渉緩和（ＩＭ）終了のためにスキャンプロシージャを開始するためいのトリガー条件は、これに限定されないが、フェムトセル基地局１６０の信号強度が基地局１０３より臨界値だけ低いこと、またはフェムトセル基地局１６０の信号強度が任意の臨界値より低いことなどを含むことができる。干渉緩和（ＩＭ）終了のためにスキャンプロシージャを開始するためのトリガー条件は、、基地局１０３とフェムトセル基地局１６０との間に交渉された干渉緩和（ＩＭ）の属性に基づいて設定されることができる。そのような、干渉緩和（ＩＭ）終了のためにスキャンプロシージャを開始するためのトリガー条件は、各干渉緩和（ＩＭ）実体（ｉｎｓｔａｎｃｅ）によって多様であることができる。一実施例において、基地局１０３は、干渉緩和（ＩＭ）終了のためにスキャンプロシージャを開始するためのトリガー条件を満たすとき、フェムトセル基地局１６０をスキャンするために、スキャン要請（ＳＣＮ−ＲＥＱ）を受信することができる。そして、基地局１０３は、加入者端末１１６にフェムトセル基地局１６０をスキャンするためのスキャン要請（ＳＣＮ−ＲＥＱ）を受信したことに応答してスキャン応答（ＳＣＮ−ＲＳＰ）を伝送することができる。その代案として、基地局１０３は、要求しないメッセージまたはスキャン応答（ＳＣＮ−ＲＳＰ）を介して加入者端末１１６に接続不可能な基地局をスキャンするように要請することができる。干渉緩和（ＩＭ）終了のためにスキャンプロシージャを開始するためのトリガー条件は、ＴＬＶ形式でエンコードされ、スキャン応答（ＳＣＮ−ＲＳＰ）に含まれることができる。
【０１４９】
加入者端末１１６は、干渉緩和（ＩＭ）終了のためにスキャンプロシージャを開始するためのトリガー条件に基づいて、フェムトセル基地局１６０をスキャンし、メッセージ（例えば、ＳＣＮ−ＲＥＰ）で基地局１０３にそのスキャン結果を報告する。一実施例において、スキャン報告（ＳＣＮ−ＲＥＰ）は、周期的に伝送されることもできる。他の実施例において、加入者端末１１６は、分離したセットのトリガー条件（干渉緩和（ＩＭ）に対するスキャン結果を伝送するためのトリガー条件）下でスキャン報告を伝送する。また、干渉緩和（ＩＭ）終了のためにスキャン結果を伝送するためのトリガー条件は、加入者端末１１６で定義されることができる。
【０１５０】
一実施例において、加入者端末１１６は、加入者端末１１６が基地局１０３から要請を受信したか否かに関係なく、干渉緩和（ＩＭ）に対するスキャン結果を伝送するためのトリガー条件を満たす場合、基地局１０３にスキャン報告（ＳＣＮ−ＲＥＰ）を伝送することができる。その代案として、干渉緩和（ＩＭ）に対するスキャン結果を伝送するためのトリガー条件は、干渉緩和（ＩＭ）終了のためのスキャンプロシージャを開始するためのトリガー条件によって、基地局１０３によって定義されることができ、ＴＬＶ形式でエンコードされることができ、スキャン応答（ＳＣＮ−ＲＳＰ）を介して加入者端末１１６に伝送されることができる。干渉緩和（ＩＭ）を終了するためのスキャン結果を伝送するためのトリガー条件は、これに限定されないが、フェムトセル基地局１６０のいかなる測定メートリックで測定された値（例えば、信号時期など）が基地局１０３より臨界値だけ低いこと、またはフェムトセル基地局１６０の信号強度が任意の臨界値より低いことなどを含むことができる。干渉緩和（ＩＭ）終了のためにスキャン結果を伝送するためのトリガー条件は、基地局１０３とフェムトセル基地局１６０との間に交渉された干渉緩和（ＩＭ）の属性に基づいて設定されることができる。そのような、干渉緩和（ＩＭ）終了のためにスキャン結果は、伝送するためのトリガー条件は、各干渉緩和（ＩＭ）実体（ｉｎｓｔａｎｃｅ）に対して多様であることができる。
【０１５１】
ブロック１２２０で、基地局１０３は、スキャン報告（ＳＣＮ−ＲＥＰ）でスキャン結果に基づいて干渉緩和（ＩＭ）を終了するか否かを決定する。すなわち、基地局１０３は、いかなるトリガー条件（干渉緩和（ＩＭ）を終了するためのトリガー条件）を満たすか否かによって干渉緩和（ＩＭ）を終了するか否かを決定する。干渉緩和（ＩＭ）を終了するためのトリガー条件は、これに限定されないが、フェムトセル基地局１６０のいかなる測定メートリック（ｍｅｔｒｉｃ）で測定された値（例えば、信号時期など）が基地局１０３より臨界値だけ低いこと、またはフェムトセル基地局１６０の信号強度がいかなる臨界値、時間期間などより低いことなどを含むことができる。干渉緩和（ＩＭ）終了のためにスキャン結果は、伝送するためのトリガー条件は、基地局１０３及びフェムトセル基地局１６０の間に直接交渉された干渉緩和（ＩＭ）の属性に基礎することができる。そのような、干渉緩和（ＩＭ）終了のためにスキャン結果は、伝送するためのトリガー条件は、、各干渉緩和（ＩＭ）実体（ｉｎｓｔａｎｃｅ）によって多様であることができる。
【０１５２】
干渉緩和（ＩＭ）を終了するためのトリガー条件を満たす場合、基地局１０３またはネットワークは、ブロック１２３０で、バックホールをまたはネットワークを介してフェムトセル基地局と干渉緩和（ＩＭ）を終了することができる。干渉緩和（ＩＭ）を終了するか、または干渉緩和（ＩＭ）を調節するためのトリガー条件は、しばしば干渉緩和（ＩＭ）を終了し、そして干渉緩和（ＩＭ）を開始することによるピンポン効果（ｐｉｎｇ−ｐｏｎｇ ｅｆｆｅｃｔ）を最小化するために定義されることができることを留意しなければならない。例えば、すべてのトリガー条件は、時間期間コンポネントを含み、または臨界値は、調節することができるか（ｆｌｅｘｉｂｌｅ）、または調整されることができる。もし、干渉緩和（ＩＭ）が終了すれば、基地局１０３は、加入者端末１１６にメッセージまたは信号を伝送して通知することができる。一実施例において、基地局１０３は、干渉緩和（ＩＭ）を終了するためのメッセージとして、干渉緩和（ＩＭ）開始のためのメッセージ（例えば、ＩＭ−ＩＮＩ）を再使用することができる。ＩＭ−ＩＮＩは、干渉緩和（ＩＭ）が終了した接続不可能な基地局の識別子（例えば、基地局識別子（ＢＳＩＤ）、プリエムブルインデックス（Ｐｒｅａｍｂｌｅ＿Ｉｎｄｅｘ）、周波数割当（ＦＡ）など）及び‘０’に設定された状態ビットを含むことができる。その代案として、基地局１０３は、新しいメッセージを使用することができる。干渉緩和（ＩＭ）終了メッセージのコンテンツは、干渉緩和（ＩＭ）開始メッセージと類似することができる。
【０１５３】
もし、干渉緩和（ＩＭ）を終了するためのトリガー条件を満たさない場合、基地局１０３は、スキャン結果に基づいてフェムトセル基地局１６０と干渉緩和（ＩＭ）を調節する（例えば、逆転するか、または交渉する）か否かを決定することができる。いくつかの実施例において、基地局１０３は、トリガー条件（干渉緩和（ＩＭ）を調節するためのトリガー条件）のうち１つまたは組合に基づいてこのような終了を決定することができる。干渉緩和（ＩＭ）を調節するか、そしてどのように調節するかの決定は、一定時間多重（複数）加入者端末からの多重の（複数の）報告に基づくことができる。そのような一定時間は、基地局１０３で他の状況に基づいて調節されることができる。例えば、加入者端末１１６が時間１で干渉が弱くなることを報告するが、他の加入者端末（図１に図示せず）は、何も報告しなければ、（これは、干渉基地局からの信号強度または干渉が充分に弱くないことを意味することができる。）基地局１０３は、干渉緩和を調節するように決定することができる。干渉緩和（ＩＭ）調節が利用されることができない代案的な実施例において、干渉緩和（ＩＭ）を終了するためのトリガー条件を満たさない場合、ブロック１２４０及び１２５０は、省略される。そして基地局１０３は、ブロック１２１０にリターンすることができ、加入者端末１１６がフェムトセル基地局１６０をスキャンするように要請する。
【０１５４】
干渉緩和（ＩＭ）を調節するためのトリガー条件は、これに限定されないが、フェムトセル基地局１６０の一部の測定メートリックで測定された値（例えば、信号時期など）が基地局１０３より臨界値だけ低いこと、またはフェムトセル基地局１６０の信号強度が任意の臨界値より低いこと、加入者端末１１６がフェムトセル基地局１６０から離れる（ｍｏｖｅａ ｗａｙ）こと、加入者端末１１６の連結状態が変更されたこと、交渉された干渉緩和（ＩＭ）期間が満了すること、接続可能な基地局がハンドオーバーを利用することができることなどを含むことができる。干渉緩和（ＩＭ）終了のためにスキャン結果を伝送するためのトリガー条件は、基地局１０３とフェムトセル基地局１６０との間に直接交渉された、または基地局１０３とフェムトセル基地局１６０との間に交渉された干渉緩和（ＩＭ）の属性に基づいて設定されることができる。そのような、干渉緩和（ＩＭ）終了のためのトリガー条件は、各干渉緩和（ＩＭ）実体（ｉｎｓｔａｎｃｅ）によって多様であることができる。
【０１５５】
もし、干渉緩和（ＩＭ）を調節するためのトリガー条件を満たさない場合、基地局１０３は、ブロック１２１０にリターンし、加入者端末１１６がフェムトセル基地局１６０をスキャンするように要請する。
【０１５６】
もし、干渉緩和（ＩＭ）を調節するためのトリガー条件を満たす場合、基地局１０３は、ブロック１２５０で、干渉緩和（ＩＭ）調節を行う。すなわち、基地局１０３は、どのように干渉緩和（ＩＭ）を調節するかを決定し、加入者端末１１６の代わりに、フェムトセル基地局１６０と交渉する。干渉緩和調節に対するいくつかのオプション（ｏｐｔｉｏｎｓ）は、以下でさらに説明される。
【０１５７】
干渉緩和（ＩＭ）調節が行われた後、基地局１０３は、加入者端末１１６に要請しないスキャン応答（ＳＣＮ−ＲＳＰ）または干渉緩和（ＩＭ）開始メッセージ（ＩＭ−ＩＮＩ）のような、メッセージを介して通知（ｎｏｔｉｆｉｃａｔｉｏｎ）を伝送し、ブロック１２１０にリターンする。ＩＭ−ＩＮＩのコンテンツは、成功した干渉緩和（ＩＭ）開始と等しいとか、または似たり寄ったりなことがある。いくつかの実施例において、基地局１０３は、いかなるトリガー条件（例えば、干渉緩和（ＩＭ）終了のためのスキャンプロシージャ開始のためのトリガー条件、干渉緩和（ＩＭ）終了のためにスキャン結果を伝送するためのトリガー条件など）下で、加入者端末１１６にフェムトセル基地局１６０をモニターするように要請することができる。トリガー条件は、ＴＬＶ形式でエンコードされることができ、スキャン応答（ＳＣＮ−ＲＳＰ）に含まれることができる。いくつかの実施例において、基地局１０３は、干渉緩和開始メッセージ（ＩＭ−ＩＮＩ）を伝送した後、スキャン応答メッセージ（ＳＣＮ−ＲＳＰ）を伝送することができる。
【０１５８】
加入者端末１１６がフェムトセル基地局１６０を自体的にモニターする場合の実施例を参照すれば、加入者端末１１６は、フェムトセル基地局１６０を自体的にスキャンし、いつ干渉緩和（ＩＭ）を終了するように基地局１０３に要請するかを結節することができる。本質的に、もし、ＣＳＧ閉鎖基地局の非会員である加入者端末１１６がサービング基地局１０３とフェムトセル基地局１６０の間のＲＳＳＩ（Ｒｅｃｅｉｖｅｄ Ｓｉｇｎａｌ Ｓｔｒｅｎｇｔｈ Ｉｎｄｉｃａｔｉｏｎ）またはＣＩＮＲ（Ｃａｒｒｉｅｒ ｔｏ Ｉｎｔｅｒｆｅｒｅｎｃｅ−ｐｌｕｓ−ＮｏｉｓｅＲａｔｉｏ）の差異が臨界期間より長い一定時間臨界量より大きい下りリンク信号を測定すれば、加入者端末は、フェムトセル基地局１６０で、下りリンク／上りリンク（ＤＬ／ＵＬ）上の予約されたリソースの解除をトリガーするようにこれを基地局１０３に報告することができる。
【０１５９】
例えば、ブロック１２１０で、加入者端末１１６は、周期的にフェムトセル基地局１６０を自体的にスキャンすることができる。他の実施例で、加入者端末１１６は、干渉緩和（ＩＭ）終了のためのスキャンプロシージャを開始するためのトリガー条件に基づいてフェムトセル基地局１６０をスキャンすることができる。また、加入者端末１１６は、周期的に、または干渉緩和（ＩＭ）終了のためのスキャン結果を伝送するためのトリガー条件下で、スキャン保護を基地局１０３に伝送することもできる。また、一実施例において、干渉緩和（ＩＭ）を終了するためのトリガー条件は、加入者端末１１６で定義されることができる。そのように、加入者端末１１６は、ブロック１２２０を行うこともでき、干渉緩和（ＩＭ）を終了するためのトリガー条件を満たすか否かを決定することもできる。また、同様に、加入者端末１１６は、干渉緩和（ＩＭ）を調節するためのトリガー条件が加入者端末１１６で定義されれば、干渉緩和（ＩＭ）が調節されなければならないか否かを決定するために、ブロック１２４０を行うこともできる。
【０１６０】
実際に、干渉緩和（ＩＭ）に連関された一部または全部の利用することができるトリガー条件（すなわち、干渉緩和（ＩＭ）を開始／終了するためにスキャンプロシージャを開始するためのトリガー条件、干渉緩和（ＩＭ）を開始／終了するためにスキャン結果を伝送するためのトリガー条件、干渉緩和（ＩＭ）を開始／終了するためのトリガー条件、干渉緩和（ＩＭ）を調節するためのトリガー条件など）は、加入者端末１１６で定義されることができる。加入者端末１１６が干渉緩和（ＩＭ）を終了するためのトリガー条件及び干渉緩和（ＩＭ）を調節するためのトリガー条件のうち少なくとも１つを認知する場合の実施例において、加入者端末１１６は、基地局１０３に伝送するスキャン報告に満足されたトリガー条件を示すことができる。スキャン報告に基づいて、基地局１０３は、干渉緩和（ＩＭ）を終了するか、または調節する。その代案として、基地局１０３は、ブロック１２２０及び１２４０でトリガー条件を満たすことを確認することができる。
【０１６１】
図１３は、本発明のいくつかの実施例によって、干渉緩和（ＩＭ）開始及び干渉緩和（ＩＭ）終了を要請するための加入者端末及びそのサービング基地局の間の通信を表現する例示的な信号フローを示す。信号フロー１３００は、プロセス１１００及び１２００に関連して論議されたいくつかの実施例を反映する。
【０１６２】
最初に、加入者端末（例えば、加入者端末１１６）及びそのサービング基地局（例えば、基地局１０３）は、通信を行う（１３１０）。基地局１０３と連結される間に、加入者端末１１６は、干渉緩和（ＩＭ）のためにスキャンプロシージャを開始するためのトリガー条件を満たすとき、ブロック１３２０で、干渉基地局に対してスキャンすることができる。プロセス１１００を参照して論議されたように、（干渉緩和（ＩＭ）開始のためのスキャンプロシージャを開始するためのトリガー条件が加入者端末１１６で定義されるか、または基地局１０３から受信されるとき）、加入者端末は、自体的に、または基地局１０３から要請（例えば、スキャン応答（ＳＣＮ−ＲＳＰ）を介して）によって干渉基地局に対してスキャンすることができる。干渉緩和（ＩＭ）開始のためにスキャン報告を伝送するためのトリガー条件を満たすとき、加入者端末１１６は、ブロック１３３０で、スキャン報告（ＳＣＮ−ＲＥＰ）を生成することができる。スキャン報告は、セル識別子（ｃｅｌｌ ＩＤ）、信号強度、基地局形式（例えば、接続可能な基地局及び加入者端末１１６が会員ではないＣＳＧ閉鎖基地局）、及び／またはスキャンされた基地局の基地局識別子（ＢＳＩＤ）を含むことができる。加入者端末１１６は、スキャン報告に含まれる基地局の数を制限するか、すべてのスキャンされた基地局を含ませることができる。その後、加入者端末１１６は、接続不可能な基地局（または加入者端末１１６が会員ではないＣＳＧ閉鎖基地局）の指示子と一緒に基地局１０３にスキャン報告（ＳＣＮ−ＲＥＰ）を伝送することができる（１３３５）。
【０１６３】
干渉緩和（ＩＭ）を開始するためのトリガー条件が加入者端末１１６に定義される場合の実施例において、加入者端末１１６は、ブロック１３４０段階で、また、干渉緩和（ＩＭ）開始のためのトリガー条件を満たすか否かを決定することができる。干渉緩和（ＩＭ）開始のためのトリガー条件を満たす場合、加入者端末１１６は、基地局１０３に干渉緩和（ＩＭ）を開始するための要請（干渉緩和開始を要請する指示子を有するＩＭ−ＲＥＱ）を伝送することができる（１３４５）。干渉緩和（ＩＭ）を開始するための（または干渉緩和（ＩＭ）を終了するための）干渉緩和（ＩＭ）要請のための信号は、干渉基地局及び隣り合うのセル識別子（ｃｅｌｌＩＤ）、周波数割当（ＦＡ）、基地局識別子（ＢＳＩＤ）などと、干渉基地局、サービング基地局、隣り合うの測定報告（ｍｅａｓｕｒｅｍｅｎｔ ｒｅｐｏｒｔ）を含むことができる。また、その信号は、干渉緩和（ＩＭ）開始、終了などのように、目的のための指示子を含まなければならない。
【０１６４】
ブロック１３５０で、基地局１０３は、干渉緩和（ＩＭ）を開始するためのトリガー条件を満たすか否かを判断する。既に言及されたように、いくつかの実施例で、基地局１０３は、加入者端末から受信されたスキャン報告（ＳＣＮ−ＲＥＰ）に基づいて干渉緩和（ＩＭ）のためのトリガー条件を満たすか否かを判断することができる。干渉緩和（ＩＭ）開始のためのトリガー条件が加入者端末１１６で定義されるか、加入者端末１１６に既に伝送された場合の実施例において、接続不可能な基地局の指示子を有する受信スキャン報告（ＳＣＮ−ＲＥＰ）または干渉緩和要請（ＩＭ−ＲＥＱ）は、基地局１０３に対して十分であることができる。干渉緩和（ＩＭ）開始のためのトリガー条件を満たすもの決定すれば、基地局１０３は、調整された干渉緩和（ＩＭ）（すなわち、サービング基地局が加入者端末の代わりに干渉管理のために他の基地局と交渉する場合の干渉緩和）を開始するために、接続不可能な基地局（例えば、ＣＳＧ閉鎖フェムトセル基地局１６０）と交渉する。交渉は、バックホールを介して通信されることができる。それでは、基地局１０３は、調整された干渉緩和（ＩＭ）がフェムトセル基地局１６０と成功的に開始されたか否かを示すために、（例えば、ＩＭ−ＩＮＩメッセージ（１３５５）を介して）加入者端末１１６にシグナリングすることができる。後で論議するが、ＩＭ−ＩＮＩ １３５５は、干渉緩和（ＩＭ）が成功的に開始されたか（または失敗したか）否かに関する情報、調整された干渉緩和（ＩＭ）の形式、基地局１０３と干渉緩和（ＩＭ）を調節する接続不可能な基地局（例えば、フェムトセル基地局１６０）の基地局識別子（ＢＳＩＤ）、及び／または他の干渉緩和（ＩＭ）詳細事項を含む。
【０１６５】
サービング基地局（例えば、基地局１０３）が、干渉緩和（ＩＭ）が調整され、干渉緩和（ＩＭ）が干渉基地局（例えば、フェムトセル基地局１６０）と一緒に行われることを認知する場合の実施例において、基地局１０３は、（例えば、要請しないＳＣＮ−ＲＳＰ（１３６０）を介して）フェムトセル基地局１６０（または干渉緩和（ＩＭ）を行っているいかなる干渉基地局）を周期的にまたはいかなるトリガー条件下で、スキャンし報告するように加入者端末１１６に要請することができる。例えば、基地局１０３は、加入者端末１１６にフェムトセル基地局１６０を周期的にスキャンするように指示することができ、干渉緩和（ＩＭ）終了のためにスキャン報告を伝送するためのトリガー条件を満たすとき、スキャン報告を伝送するように指示することができる。
【０１６６】
ブロック１３７０で、加入者端末１１６は、干渉緩和（ＩＭ）を終了するためにスキャン報告を伝送するためのトリガー条件を満たすか否かを判断する。干渉緩和終了のためのスキャン報告を伝送するための条件を満たす場合、加入者端末１１６は、スキャン報告（ＳＣＮ−ＲＥＰ）を基地局１０３に伝送する（１３７５）。スキャン報告（ＳＣＮ−ＲＥＰ、１３７５）は、フェムトセル基地局１６０の基地局識別子（ＢＳＩＤ）を含むことができる。加入者端末１１６が自体的にスキャンする場合の実施例において、スキャン報告（ＳＣＮ−ＲＥＰ、１３７５）は、調整された干渉緩和（ＩＭ）が開始される時から受信された干渉緩和開始メッセージ（ＩＭ−ＩＮＩ）に含まれた基地局識別子（ＢＳＩＤ）を含むことができる。
【０１６７】
干渉緩和（ＩＭ）終了のためのトリガー条件が加入者端末１１６に定義される場合の実施例において、加入者端末１１６は、ブロック１３８０で、干渉緩和（ＩＭ）のためのトリガー条件を満たすか否かを判断することもできる。干渉緩和を終了するためのトリガー条件を満たす場合、加入者端末１１６は、基地局１０３に干渉緩和（ＩＭ）を終了するようにする要請（干渉緩和（ＩＭ）終了を要請するための指示子を有するＩＭ−ＲＥＱ）を伝送することができる（１３８５）。干渉緩和（ＩＭ）を終了するように要請する干渉緩和（ＩＭ）に対する信号は、、干渉緩和（ＩＭ）を開始するように要請（１３４５）することに関連して論議されたもののような情報を含むことができる。
【０１６８】
ブロック１３９０で、基地局１０３は、干渉緩和（ＩＭ）終了のためのトリガー条件が加入者端末１１６に定義されているか、または加入者端末１１６にあらかじめ伝送されたか否かによって、スキャン報告（ＳＣＮ−ＲＥＰ）または干渉緩和要請（ＩＭ−ＲＥＱ）を基礎にして、干渉緩和（ＩＭ）終了のためのトリガー条件を満たすとき、干渉緩和（ＩＭ）終了に対してフェムトセル基地局１６０と調整することができる。その後、基地局１０３は、干渉緩和（ＩＭ）がフェムトセル基地局１６０で成功的に終了したか否かを示すように、加入者端末１１６に（例えば、ＩＭ−ＩＮＩメッセージ１３９５を介して）シグナリングすることができる。一実施例において、基地局１０３は、（開始／終了指示子を有するＩＭ−ＩＮＩメッセージ代わり）干渉緩和終了（ＩＭ−ＴＭＴ）メッセージを伝送することもできる。
【０１６９】
サービング基地局が干渉基地局と交渉するとき、干渉緩和（ＩＭ）終了及び調整
干渉緩和（ＩＭ）が開始された干渉基地局（例えば、フェムトセル基地局１６０）とサービング基地局（例えば、基地局１０３）との間に交渉された干渉緩和（ＩＭ）調節のためのいくつかのオプションが、これから説明される。既に論議されたように、干渉緩和（ＩＭ）が成功的に開始されるか、調節されるか、または終了すれば、基地局１０３は、干渉緩和（ＩＭ）状態を加入者端末１１６に通知するために、ＩＭ−ＩＮＩを伝送することができる。その後、基地局１０３は、また、周期的に、または各トリガー条件下で、スキャン及び報告をするように加入者端末１１６に指示するために、要請しないスキャン応答（ＳＣＮ−ＲＳＰ）を伝送することができる。干渉緩和（ＩＭ）終了のためのスキャン結果を伝送するためのトリガー条件は、干渉緩和（ＩＭ）を調節するためのトリガー条件に基礎することができる。干渉緩和（ＩＭ）を終了するか、または調節するためのトリガー条件を満たす場合、基地局１０３は、干渉緩和（ＩＭ）を終了するかまたは調節するための基地局１０３の処理で次のオプションのうち少なくとも１つを有することができる。干渉緩和（ＩＭ）終了または調節の形式は、、基地局１０３とフェムトセル基地局１６０との間に初期に交渉された干渉緩和（ＩＭ）の形式、干渉緩和（ＩＭ）を調節するためのトリガー条件などによることができる。
【０１７０】
サービング基地局（例えば、基地局１０３）が干渉緩和（ＩＭ）を開始し、終了し、そして、調節するためのサービング基地局自分のトリガー条件を有している一方、干渉緩和（ＩＭ）開始、終了及び調節は、いずれも干渉基地局（例えば、フェムトセル基地局１６０）と交渉されるという点に留意しなければならない。干渉緩和（ＩＭ）は、結局フェムトセル基地局１６０で行われ、フェムトセル基地局１６０は、干渉緩和を開始し、終了し、そして、調節するための自分のトリガー条件のセットを有していてもよい。これは、なぜなら、フェムトセル基地局が、その閉鎖ＣＳＧの会員（例えば、加入者端末１１７）に主にサービスを提供しているからである。さらに、フェムトセル基地局１６０は、基地局１０３だけでなく、加入者端末１１６を除いた他の加入者端末の代わりに交渉を行う他のサービング基地局から干渉緩和（ＩＭ）要請を受信することができる。そのような、フェムトセル基地局１６０は、基地局１０３が干渉緩和（ＩＭ）終了を要請しているとしても、干渉緩和（ＩＭ）を調節するように決定することもできる。
【０１７１】
一実施例において、加入者端末１１６は、任意の時間Ｔ後に、フェムトセル基地局１６０及び基地局１０３に対するスキャン結果をモニターすることを開始することができる。干渉緩和（ＩＭ）を調節するためのトリガー条件を満たすとき、基地局１０３は、干渉緩和（ＩＭ）を終了するか、または調節するようにフェムトセル基地局１６０に要請することができる。例えば、フェムトセル基地局がその伝送パワーを減少させることによって干渉緩和（ＩＭ）を開始したら、そして、スキャン結果が、フェムトセル基地局１６０の信号強度が臨界値より低いことを示す場合、基地局１０３は、フェムトセル基地局１６０がその伝送パワーを増加させて一般的な水準に戻るか、または他の量でその伝送パワーを増加させなければならないことをフェムトセル基地局１６０に通知することができる。その代案として、もし、フェムトセル基地局１６０の信号強度が臨界値より高ければ、基地局１０３は、フェムトセル基地局１６０の伝送パワーをさらに減少させるようにフェムトセル基地局１６０に要請することができる。それでは、フェムトセル基地局１６０は、その状態に基づいてフェムトセル基地局１６０の伝送パワーを上昇させるか否かを決定する。時間Ｔは、開始された干渉緩和（ＩＭ）の形式、加入者端末トラフィック形式などのような多様なパラメータに基づいて調節されることができる。一例として、干渉緩和（ＩＭ）は、初期干渉緩和（ＩＭ）解決策（ｓｏｌｕｔｉｏｎ）として伝送パワー減少を利用して開始される。しかし、干渉緩和解決策は、制限されず、部分周波数再使用（ＦＦＲ、ｆｒａｃｔｉｏｎａｌ ｆｒｅｑｕｅｎｃｙ ｒｅｕｓｅ）リソース予約、キャリア変更、ビームフォーミング（ｂｅａｍ ｆｏｒｍｉｎｇ）などのうち１つまたは組合になることができる。しかも、干渉緩和（ＩＭ）終了及び調節は、開始された干渉緩和（ＩＭ）解決策と同時に行う必要はなく、また、干渉緩和（ＩＭ）解決策のうち１つまたは組合になることもできる。
【０１７２】
図１４は、本発明の実施例によるトリガー条件に基づく干渉緩和（ＩＭ）中に加入者端末がスキャン結果をサービング基地局にレポートする時のタイムラインを示す。図１４は、干渉緩和（ＩＭ）を開始するためにスキャン結果を伝送するための条件が干渉基地局の信号強度が臨界値より高いことを要求すると仮定する。しかし、これは、ただタイムラインの説明を単純化するためのものであり、本発明の範囲を限定するためのものではない。初期に、加入者端末（例えば、加入者端末１１６）は、サービング基地局（例えば、基地局１０３）に連結される間に、干渉基地局（例えば、フェムトセル基地局１６０）によって誘発される干渉を経験するようになる。時間１４１０で、加入者端末（例えば、加入者端末１１６）は、スキャンを行い、干渉基地局（例えば、フェムトセル基地局１６０）の信号強度が第１臨界値（Ｔｈ１）より大きいものと判断する。すなわち、干渉緩和（ＩＭ）を開始するためにスキャン結果を伝送するための条件を満たす。そのような、加入者端末１１６は、フェムトセル基地局１６０を加入者端末１１６のサービング基地局（例えば、基地局１０３）に報告する。基地局１０３は、干渉緩和（ＩＭ）開始を要請するためのトリガー条件を満たすと判断し、加入者端末１１６の代わりにフェムトセル基地局１６０と干渉緩和（ＩＭ）開始を交渉する。このような交渉結果、フェムトセル基地局１６０がフェムトセル基地局１６０の伝送（ＴＸ）パワーを減少させるようにする。
【０１７３】
成功的な干渉緩和（ＩＭ）開始につながる時間期間Ｔ後、基地局１０３は、加入者端末１１６にフェムトセル基地局１６０を周期的にモニターし、フェムトセル基地局１６０の信号強度が第２臨界値（Ｔｈ２）より低い時、スキャン結果（すなわち、干渉緩和（ＩＭ）終了のためにスキャン結果を伝送するための条件）を報告するように指示する。条件は、スキャンするように指示することに含まれることができる（例えば、要請しないＳＣＮ−ＲＳＰ）。したがって、加入者端末１１６は、フェムトセル基地局１６０を時間１４２０、時間１４３０、及び時間１４５０で周期的にスキャンする。時間１４２０及び時間１４３０で、加入者端末１１６は、フェムトセル基地局１６０の信号強度が第２臨界値（Ｔｈ２）より低いので、スキャン結果を報告しない。しかし、時間１４４０で（時間１４３０と時間１４５０との間に）、加入者端末は、フェムトセル基地局１６０から離れる。これは、フェムトセル基地局１６０の測定された信号強度を減少させるようにする。
【０１７４】
時間１４５０で、フェムトセル基地局１６０の信号強度は、第２臨界値（Ｔｈ２）以下に下がる。これは、加入者端末１１６が基地局１０３に対してスキャン報告を伝送するようにトリガーする。スキャン報告を受信すれば、基地局１０３は、干渉緩和（ＩＭ）終了を要請するための条件を満たすと判断し、干渉緩和（ＩＭ）を逆転するようにフェムトセル基地局１６０に要請する。図１４が干渉緩和（ＩＭ）開始及び干渉緩和（ＩＭ）終了に関連して説明されても、同じものが（伝送パワー増加または減少のための）干渉緩和（ＩＭ）調節のために適用されることもできる。
【０１７５】
一実施例において、時間Ｔは、干渉緩和（ＩＭ）調節交渉の結果に基づいて続いて調節されることができる。例えば、報告または干渉緩和（ＩＭ）終了または調節交渉の結果または報告に基づいて、フェムトセル基地局１６０は、時間期間Ｔ２、Ｔ３などの後にモニターされることができる。基地局１０３は、報告を収集し、干渉緩和（ＩＭ）を終了または調節するためにいつフェムトセル基地局１６０に報告するかまたはフェムトセル基地局１６０と交渉するかを決定する。また、Ｔ、Ｔ１、Ｔ２などは、複数の加入者端末から報告、加入者端末１１６の移動、加入者端末のトラフィック形式などに基づいて調節されることもできる。例えば、加入者端末１１６が早く移動する時、時間は、短くなることができる。
【０１７６】
図１５は、本発明の実施例による加入者端末がサービング基地局から命令に基づいて干渉緩和（ＩＭ）中にサービング基地局に対するスキャン結果を報告する時にタイムラインを示す。図１５は、図１４と同一の開始シナリオ及び仮定を利用して説明される。時間１５１０で、加入者端末１１６は、干渉基地局（例えば、フェムトセル基地局１６０）の信号強度が第１臨界値（Ｔｈ１）より高いものと判断し、加入者端末１１６のサービング基地局（例えば、基地局１０３）にスキャン報告を伝送する。基地局１０３は、フェムトセル基地局１６０とフェムトセル基地局１６０の伝送パワー（Ｔｘ ｐｏｗｅｒ）を減少させるために交渉する。
【０１７７】
成功的な干渉緩和（ＩＭ）開始につながる時間期間Ｔ後、基地局１０３は、加入者端末１１６にフェムトセル基地局１６０をスキャンし、スキャン報告を伝送するように指示する。干渉緩和（ＩＭ）終了を要請するためのトリガー条件を満たさないことを示す、時間１５２０で受信されたスキャン報告（加入者端末スキャン２）に基づいて、基地局１０３は、フェムトセル基地局１６０をスキャンし、他のスキャン報告を伝送するように加入者端末１１６に指示する前に、時間Ｔ１の間に待機する。干渉緩和（ＩＭ）終了を要請するためのトリガー条件を満たさないことを示す、時間１５３０で受信されたスキャン報告（加入者端末スキャン３）に基づいて、基地局１０３は、フェムトセル基地局１６０をスキャンし、他のスキャン報告を伝送するように加入者端末１１６に指示する前に、時間Ｔ２の間に待機する。
【０１７８】
一方、時間１５４０で加入者端末１１６がフェムトセル基地局１６０から離れる。結果的に、時間１５５０で、基地局１０３は、干渉緩和（ＩＭ）終了を要請するためのトリガー条件を満たすものと判断する。すなわち、フェムトセル基地局１６０の信号強度は、第２臨界値（Ｔｈ２）より低い。したがって、基地局１０３は、フェムトセル基地局１６０に干渉緩和（ＩＭ）を逆転するように要請する（すなわち、干渉緩和（ＩＭ）終了）。図１５が干渉緩和（ＩＭ）開始及び干渉緩和（ＩＭ）終了に関連して説明されても、同一のものが（伝送パワー増加または減少のための）干渉緩和（ＩＭ）調節のために適用されることもできる。
【０１７９】
一実施例において、干渉緩和（ＩＭ）タイマーは、フェムトセル基地局１６０で設定されることができる。干渉緩和（ＩＭ）タイマーが満了するとき、フェムトセル基地局１６０は、一般状態にリターンすることができる。１つ以上の形式の干渉緩和（ＩＭ）解決策が開始されれば、干渉緩和（ＩＭ）は、フェムトセル基地局１６０で開始された１つ、一部、または全部の干渉緩和（ＩＭ）解決策に連動することができる。いくつかの実施例において、干渉緩和（ＩＭ）タイマーは、加入者端末単位当たり設定されるか、またはすべての加入者端末に対して共通で、設定されることができる。干渉緩和（ＩＭ）は、ネットワークを介して値を交渉するか、またはフェムトセル基地局１６０であらかじめ定義されることができる。 
【０１８０】
図１６は、本発明の実施例によって、干渉基地局が干渉緩和（ＩＭ）タイマーに基づいて干渉緩和（ＩＭ）を逆転する時のタイムラインを示す。図１６は、図１４と同一の開始シナリオ及び仮定を利用して説明される。時間１５１０で、加入者端末１１６は、干渉基地局（例えば、フェムトセル基地局１６０）の信号強度が臨界値（Ｔｈ）より高いものと判断し、加入者端末１１６のサービング基地局（例えば、基地局１０３）にスキャン報告を伝送する。基地局１０３は、フェムトセル基地局１６０とフェムトセル基地局１６０の伝送パワー（Ｔｘ ｐｏｗｅｒ）を減少させるために交渉する。さらに、フェムトセル基地局１６０は、タイマーを時間期間Ｔに設定し、カウントダウンを開始する。タイマーＴが満了するとき、フェムトセル基地局１６０は、干渉緩和（ＩＭ）を逆転し（すなわち終了し）、フェムトセル基地局１６０の伝送パワーを元々レベル、または他の高いレベルにあげる。図１５のタイマーが干渉緩和（ＩＭ）開始に関連して説明されても、同一のものが（伝送パワー増加または減少のための）干渉緩和（ＩＭ）調節のために適用されることもできる。
【０１８１】
いくつかの実施例において、干渉緩和（ＩＭ）タイマーは、固定された値であるか、または調節される（ｆｌｅｘｉｂｌｅ）値になることができる。タイマーは、ネットワークを介して交渉されることができる。スケジューリング周期または間隔が基地局１０３に知られれば、基地局１０３は、スケジューリング間隔に基づいてタイマーを調節するようにフェムトセル基地局１６０に通知する。さらに、説明されたいかなるトリガー条件も干渉緩和（ＩＭ）タイマーを基礎にすることができる。いくつかの実施例において、干渉緩和（ＩＭ）開始及び調節以後の干渉緩和（ＩＭ）タイマー値は、乗算するかまたは追加する方式で増加することができる。干渉緩和（ＩＭ）タイマーは、使用された干渉緩和（ＩＭ）解決策の形式、加入者端末１１６とフェムトセル基地局１６０との距離、及び／または加入者端末１１６の速度に基づいて調節されることもできる。例えば、リソース解除／ブロックまたは伝送パワー増加／減少のような、本質的に非常に動的な干渉緩和（ＩＭ）解決策に適用される干渉緩和（ＩＭ）タイマーは、短い期間を有することができる。反対に、状態（例えば、部分周波数再使用（ＦＦＲ）、周波数割当（ＦＡ）変更、ＣＳＧ閉鎖とＣＳＧ開放との間のスイッチングなど）がしばしば変わらない干渉緩和（ＩＭ）解決策のための干渉緩和（ＩＭ）タイマーは、長い期間を有することができる。また、これは、フェムトセル基地局１６０をモニターするための時間期間に適用することができる。
【０１８２】
図１７は、本発明の実施例によって調節することができるタイマーに基づいて干渉基地局が干渉緩和（ＩＭ）を逆転する時に対するタイムラインを示す。都１７は、図１４と同一の開始シナリオ及び仮定を利用して説明される。時間１７１０で、加入者端末１１６は、干渉基地局（例えば、フェムトセル基地局１６０）の信号強度が第１臨界値（Ｔｈ１）より高いものと判断し、加入者端末１１６のサービング基地局（例えば、基地局１０３）にスキャン報告を伝送する。基地局１０３は、フェムトセル基地局１６０とフェムトセル基地局１６０の伝送パワー（Ｔｘ ｐｏｗｅｒ）を減少させるために交渉する。さらに、フェムトセル基地局１６０は、調節可能なタイマーを時間期間Ｔに設定し、カウントダウンを開始する。調節可能なタイマーが満了する時、フェムトセル基地局１６０は、干渉緩和（ＩＭ）を逆転し（すなわち、終了し）、フェムトセル基地局１６０の伝送パワーを元々のレベル、または他の高いレベルに上げる。
【０１８３】
時間１７２０で、加入者端末１１６は、干渉基地局（例えば、フェムトセル基地局１６０）の信号強度が臨界値（Ｔｈ）より高いものと判断し、加入者端末１１６のサービング基地局（例えば、基地局１０３）にスキャン報告を伝送する。基地局１０３は、フェムトセル基地局１６０の伝送パワーを減少させるためにフェムトセル基地局１６０と再度交渉する。フェムトセル基地局１６０は、干渉緩和（ＩＭ）を開始するための交渉を加入者端末１１６から連続された要請に基づいて決定し、その後、フェムトセル基地局１６０は、ａが任意の定数値である時、調節可能なタイマーを時間期間ｔ＋ａに設定することに決定した後、カウントダウンを開始する。調節可能なタイマーが満了する時、フェムトセル基地局１６０は、干渉緩和（ＩＭ）を逆転し（終了し）、フェムトセル基地局１６０の伝送パワーを元々のレベル、または他の高いレベルに上げる。
【０１８４】
時間１７３０で、加入者端末１１６は、再び、干渉基地局（例えば、フェムトセル基地局１６０）の信号強度が臨界値（Ｔｈ）より高いものと判断し、加入者端末１１６のサービング基地局（例えば、基地局１０３）にスキャン報告を伝送する。基地局１０３は、フェムトセル基地局１６０とフェムトセル基地局１６０の伝送パワーを再び減少させるために交渉する。フェムトセル基地局１６０は、干渉緩和（ＩＭ）を開始するための交渉を加入者端末１１６から他の連続された要請に基づいて決定し、その後、フェムトセル基地局１６０は、調節可能なタイマーを時間期間ｔ＋２ａ（すなわち、開始時間期間は、２増分（ｉｎｃｒｅｍｅｎｔｓ）ずつ増加する）に設定することに決定した後、カウントダウンを開始する。
【０１８５】
一方、時間１７４０で、加入者端末１１６は、フェムトセル基地局１６０から離れる。一実施例において、フェムトセル基地局１６０は、フェムトセル基地局１６０が干渉緩和（ＩＭ）を逆転し（すなわち、終了し）、フェムトセル基地局１６０の伝送パワーを元々のレベルまたは他の高いレベルに上げる前に、調節可能なタイマーが、満了するまで、続いて待機することができる。図１７の調節可能なタイマーが干渉緩和（ＩＭ）開始に関連して説明されても、同一のものが（伝送パワー増加または減少のための）干渉緩和（ＩＭ）調節のために適用されることもできる。
【０１８６】
一実施例において、基地局１０３は、加入者端末１１６が他のサービング基地局にハンドオーバーした後、セッションを完了した後、待機状態（ｉｄｌｅ ｓｔａｔｅ）に進入した後など、これ以上リソースが必要ではない時、フェムトセル基地局１６０に干渉緩和（ＩＭ）を終了するように要請することができる。干渉緩和（ＩＭ）終了をトリガーするためのイベントは、、ハンドオーバー（ＨＯ）完了、ネットワークトポロジー変更、加入者端末連結状態変更登録解除（ｄｅｒｅｇｉｓｔｒａｔｉｏｎ）などになることができる。基地局１０３がそのようなイベントを感知した時、基地局１０３は、フェムトセル基地局１６０をモニターするためのいかなる時間期間が満了する前にフェムトセル基地局１６０に通知することができる。同様に、フェムトセル基地局１６０は、加入者端末１１６に対応する干渉緩和（ＩＭ）方法を終了し、及び／または満了する前に干渉緩和（ＩＭ）タイマーをリセットすることができる。
【０１８７】
図１８は、ネットワークトポロジーの変化または移動端末（ＭＳ）連結状態がまだ満了しない干渉緩和（ＩＭ）タイマーをオーバーライド（ｏｖｅｒｒｉｄｅ）する時のタイムラインを示す。図１８は、図１４と同一の開始シナリオ及び仮定を利用して説明される。時間１８１０で、加入者端末１１６は、干渉基地局（例えば、フェムトセル基地局１６０）の信号強度が第１臨界値（Ｔｈ１）より高いものと判断し、加入者端末１１６のサービング基地局（例えば、基地局１０３）にスキャン報告を伝送する。基地局１０３は、フェムトセル基地局１６０とフェムトセル基地局１６０の伝送パワー（Ｔｘ ｐｏｗｅｒ）を減少させるために交渉する。また、フェムトセル基地局１６０は、タイマーを時間ｔに設定し、カウントダウンを開始する。タイマーは、あらかじめ定義されたタイマーまたは調節可能なタイマーになることができる。
【０１８８】
一方、時間１８２０で、加入者端末１１６がフェムトセル基地局１６０から離れる。または加入者端末１１６は、他の基地局にハンドオーバーすることができる。または加入者端末１１６は、セッションを終了させ、連結モード（ｃｏｎｎｅｃｔｅｄ ｍｏｄｅ）から待機モード（ｉｄｌｅ ｍｏｄｅ）に進入することができる。結局、基地局１０３は、フェムトセル基地局１６０に通知する。一実施例において、フェムトセル基地局１６０は、調節可能なタイマーが満了する前に、干渉緩和（ＩＭ）を逆転し（すなわち、終了し）、フェムトセル基地局１６０の伝送パワーを元々のレベルまたは他の高いレベルに上げることができる。図１８の調節可能なタイマーが干渉緩和（ＩＭ）開始に関連して説明されても、同一のものが（伝送パワー増加または減少のための）干渉緩和（ＩＭ）調節のために適用されることもできる。
【０１８９】
いくつかの実施例において、基地局１０３は、フェムトセル基地局１６０から干渉を経験している加入者端末１１６によって干渉緩和（ＩＭ）のために介入するように要請されることができる。例えば、基地局１０３は、フェムトセル基地局１６０に加入者端末１１６のために意図されたトラフィックがスケジューリングされたリソース位置（加入者端末１１６に割り当てされた伝送資源、すなわち、リソースブロック（ＲＢ）、リソース要素（ＲＥ）などの位置）を通知することができる。フェムトセル基地局１６０は、該当するリソースにいかなるトラフィックをも伝送しないことに同意することができる。これにより、自動で干渉を減少させることができる。
【０１９０】
一実施例において、基地局１０３は、フェムトセル基地局１６０がいかなるスケジュールされたトラフィックも有しない時間インストンスを決定するために、フェムトセル基地局１６０と通信を行うことができる。結果的に、基地局１０３は、フェムトセル基地局１６０がスケジュールされたトラフィックがない当該時間に加入者端末１１６のためのトラフィックをスケジューリングすることができる。
【０１９１】
一実施例において、基地局１０３は、複数の干渉基地局から干渉を経験している加入者端末グループによって、干渉緩和（ＩＭ）から介入するように要請されることができる。基地局１０３は、下りリンク上で加入者端末に干渉を減少させる結果を有することができるスケジューリング動作を交渉するために干渉基地局と通信を行うことができる。基地局１０３及び干渉基地局のグループは、最小の干渉を有する意図されたトラフィックのための最適のスケジューリングパターンを決定する制御機とともに動作することができる。制御機は、サービング基地局のエンティティーになるか、またはバックホールをネットワークでスタンドアローンエンティティー（ｓｔａｎｄａｌｏｎｅ ｅｎｔｉｔｙ）になることができる。
【０１９２】
本発明が実行されとか、または終了するものとして干渉緩和（ＩＭ）を説明したが、本発明の範囲をこの２つの状態に限定するものではない。干渉緩和（ＩＭ）は、実行されるか、終了するか、または複数の調節可能なレベルに調節されることができる。例えば、伝送パワー、時間期間、及び干渉緩和タイマーは、他のレベルによって変更されるか（すなわち、増加するか、または減少することができる）、漸進的に変更されるか、または各干渉緩和（ＩＭ）適応（ａｄｊｕｓｔｍｅｎｔ）で他のレベルに設定されることができる。他の例において、リソース予約は、漸進的にブロック（リソースブロック）を使用しないようにするか（ｓｉｌｅｎｃｉｎｇ）、各干渉緩和（ＩＭ）適応で設定によって行われることができる。
【０１９３】
トリガー条件
本発明の実施例で説明されたように、干渉緩和（ＩＭ）プロセスは、強健な（ｒｏｂｕｓｔ）トリガー条件によって案内される。以前の実施例で説明されたように、トリガー条件は、メッセージに簡単に含ませることができるように、ＴＬＶ（ｔｙｐｅ−ｌｅｎｇｔｈ−ｖａｌｕｅ）形式でエンコードされる。サービング基地局（例えば、基地局１０３）がサービング基地局と連結された加入者端末（例えば、加入者端末１１６）の代わりに干渉緩和（ＩＭ）のために干渉基地局（例えば、フェムトセル基地局１６０）と交渉するいくつかの以前実施例で言及されたように、サービング基地局は、次の動作についてトリガー条件を定義することができる。
【０１９４】
１．加入者端末が干渉緩和（ＩＭ）開始のためにスキャンプロシージャを開始しなければならない時に対するトリガー条件
２．加入者端末が干渉緩和（ＩＭ）開始のためにサービング基地局に干渉基地局のスキャン結果を報告しなければならない時に対するトリガー条件
３．加入者端末が干渉緩和（ＩＭ）終了のために干渉基地局に対するスキャンプロシージャを開始しなければならない時に対するトリガー条件
４．加入者端末が干渉緩和（ＩＭ）終了のためにサービング基地局に干渉基地局のスキャン結果を報告しなければならない時に対するトリガー条件
５．干渉緩和（ＩＭ）開始のためのトリガー条件
６．干渉緩和（ＩＭ）終了のためのトリガー条件
７．非会員加入者端末が干渉基地局によって誘発されるカバレッジホール（ｃｏｖｅｒａｇｅ ｈｏｌｅ）に関して干渉基地局に直接シグナリングを開始しなければならない時を定義するトリガー条件（例えば、レインジング要請を伝送することによって）
【０１９５】
前記の例示的なトリガー条件は、ＴＬＶ形式でエンコードされることができ、加入者端末に伝送されるメッセージに含まれることができる。サービング基地局は、例えば、図５及び図６を参照として記述された実施例によって、またはいくつかの他のプロシージャによって、トリガー条件を連続に伝送することができる。いくつかの実施例において、サービング基地局は、単一のＳＣＮ−ＲＳＰメッセージに加入者端末に１つ以上のトリガー条件を挿入することができる。加入者端末が自体的に接続不可能な基地局をスキャンする実施例において、サービング基地局は、一部または全部のトリガー条件を単一のＳＣＮ−ＲＳＰメッセージで加入者端末に伝送することができる。いくつかの実施例において、トリガーの一部は、省略されてもよく、または定義されたが、伝送されなくてもよい。例えば、もし、サービング基地局がスキャン及び報告を制御するか、または加入者端末が自体的に干渉基地局をスキャンして報告する場合、スキャン要請を伝送することと連関されたトリガー条件は、サービング基地局で省略されてもよく、加入者端末に伝送しなくてもよく、または受信される時、加入者端末によって無視されてもよい。表１で、形式／機能／動作（Ｔｙｐｅ／Ｆｕｎｃｔｉｏｎ／Ａｃｔｉｏｎ）（Ｔｙｐｅ ｘｘ．１）に対するトリガーＴＬＶは、表２のディスクリプション（ｄｅｓｃｒｉｐｔｉｏｎ）を利用してエンコードされたものである。他の基地局形式に対するトリガーＴＬＶ（これは、マクロ、マクロホット−ゾーン（ｍａｃｒｏ ｈｏｔ−ｚｏｎｅ）、フェムト、リレーなどのような、基地局形式パラメータを含む）は、表２のディスクリプションを利用してエンコードされることができる。
【０１９６】
【表１】
0005647258.tif 000002
【０１９７】
【表２】
0005647258.tif 000003
【０１９８】
以前に言及されたように、干渉緩和（ＩＭ）は、接続不可能な基地局に制限されない。干渉緩和（ＩＭ）は、いかなる基地局によっても行われることができる。したがって、本発明は、ただ接続不可能な基地局にのみ限定されるものではない。接続不可能な基地局（例えば、ＣＳＧ閉鎖フェムトセル基地局１６０）が実施例を説明するのに使用されたが、本発明は、ＣＳＧフェムトセル基地局、ＣＳＧ開放フェムトセル基地局、ピコセル基地局、ホット−ゾーン（ｈｏｔ−ｚｏｎｅ）などのような、接続可能な、または接続不可能ないかなる基地局に拡張されることができる。例えば、表２で、接続不可能なＣＳＧフェムト（ＣＳＧｆｅｍｔｏ）は、いかなる隣り合う基地局になることができる。
【０１９９】
一実施例において、サービング基地局は、同一の複合ＴＬＶで多重トリガーＴＬＶエンコードを含むことによって複合トリガー条件を定義することができる。このような実施例において、含まれたすべてのトリガーは、（表２に定義されたような）同一の動作コード（Ａｃｔｉｏｎ ｃｏｄｅ）を有することができる。加入者端末は、複合トリガー条件のすべての条件の論理‘ＡＮＤ’を行うことができ、すべてのトリガー条件を満たす時にのみトリガーの動作を呼び出すことができる。単純トリガーの条件または複合トリガーのすべての条件を満たす時ごとに、加入者端末は、トリガーの動作を呼び出すことができる。複数のトリガー条件を同時に満たす場合、加入者端末は、トリガー条件を満たすトリガーのうち少なくとも１つの動作を呼び出すことができる。
【０２００】
スキャン報告
以前の実施例で論議されたように、加入者端末１１６がいかなる基地局からサービスを提供受けていない場合、加入者端末１１６は、加入者端末１１６のサービング基地局（例えば、基地局１０３）または干渉基地局（例えば、基地局１０３）にスキャン報告（例えば、ＳＣＮ−ＲＥＰ）を伝送する。各スキャン報告は、スキャンされた少なくとも１つの基地局を識別するための情報及び各信号強度値を含む。いくつかの実施例において、加入者端末１１６は、報告された基地局がＣＳＧ閉鎖基地局であるか否かを考慮して、もし、そうなら、報告された基地局が加入者端末１１６が加入されたＣＳＧ閉鎖基地局のうち１つであるか否か（すなわち、加入者端末１１６がフェムトセル基地局１６０の会員であるか否か）、または報告されたＣＳＧ閉鎖基地局のＣＳＧＩＤが加入者端末１１６のローカルホワイトリストにあるか否かを考慮して、基地局（例えば、基地局１０３またはフェムトセル基地局１６０）にスキャン報告を伝送することができる。以前に説明されたように、ローカルホワイトリストは、加入者端末１１６が会員であるＣＳＧ基地局の識別子を含む。基地局１０３がメッセージを受信する時、加入者端末のホワイトリストにあるＣＳＧ閉鎖基地局を基地局１０３は、ハンドオーバー候補として見なすことができ、一方、加入者端末のホワイトリストにないＣＳＧ閉鎖フェムトを干渉管理スキームを行うための候補に置くことができる。
【０２０１】
そのような情報が加入者端末から基地局に伝達される複数の方法が存在することができる。その情報は、加入者端末から基地局にメッセージ（すなわち、スキャン報告）に含まれることができる。加入者端末は、報告された全体基地局識別子（ＢＳＩＤ）を有する報告された基地局（すなわち、ＳＣＮ−ＲＥＰに含まれたスキャンされた基地局）の数を示すことができる。また、加入者端末は、報告された全体基地局の識別子を有する報告されたＣＳＧ閉鎖基地局の数、ＣＳＧＩＤが加入者端末のローカルホワイトリストにある報告されたＣＳＧ閉鎖基地局の数（またはＣＳＧＩＤが加入者端末のローカルホワイトリストにない報告されたＣＳＧ閉鎖基地局の数）を示すことができる。加入者端末が全体基地局識別子（ＢＳＩＤ）とともに報告された基地局を有するスキャン報告（ＳＣＮ−ＲＥＰ）を生成する時、これは、メッセージを受信する基地局が規則に従ってメッセージをデコーディングすることができるように、報告された基地局を分類するためのいかなる規則に従うことができる。例えば、報告された全体基地局識別子（ＢＳＩＤ）を有する報告された基地局のためのスキャン報告（ＣＳＮ−ＲＥＰ）を生成する時、その規則は、、加入者端末が、まず、ＣＳＧＩＤが加入者端末のホワイトリストにあるＣＳＧ閉鎖基地局を報告し、その後、ＣＳＧＩＤが加入者端末のホワイトリストにないＣＳＧ閉鎖基地局を報告し、その後、報告された全体基地局識別子（ＢＳＩＤ）を有するすべての他の報告された基地局が報告することになることができる。
【０２０２】
基地局がスキャン報告（ＳＣＮ−ＲＥＰ）を受信する時、基地局は、報告された全体基地局識別子（ＢＳＩＤ）を有する報告された基地局の数、報告された全体基地局識別子（ＢＳＩＤ）を有する報告されたＣＳＧ閉鎖基地局の数、ＣＳＧＩＤが加入者端末のローカルホワイトリストにある報告されたＣＳＧ閉鎖基地局の数（またはＣＳＧＩＤが加入者端末のローカルホワイトリストにない報告されたＣＳＧ閉鎖基地局の数）を示すフィールドを読み取ることができる。このような数に基づいて、ＳＣＮ−ＲＥＰを受信した基地局は、いかなる報告された基地局がＣＳＧＩＤが加入者端末のローカルホワイトリストにあるＣＳＧ閉鎖基地局であるか、どのように報告された基地局がＣＳＧＩＤが加入者端末のローカルホワイトリストにないＣＳＧ閉鎖基地局であるか、そして、どのような報告された基地局がＣＳＧ閉鎖基地局ではない基地局であるかを調べるために加入者端末によって使用された同一の規則を使用する。
【０２０３】
表３は、加入者端末がスキャン報告メッセージで報告された基地局の各々に対して報告された基地局を識別し、基地局形式を示すためのそのような情報を含ませることによって規則の１つの例を表現する。加入者端末は、サービング基地局がハンドオーバーを行うかまたは干渉緩和を行うか否かを適時に決定することができるように支援するために、スキャン報告（ＳＣＮ−ＲＥＰ）に報告されたＣＳＧ閉鎖基地局である加入者端末のホワイトリストにあるか否かを示す指示子を含ませなければならない。また、基地局（ＢＳ；ｂａｓｅ ｓｔａｔｉｏｎ）は、アドバンス基地局（ＡＢＳ；Ａｄｖａｎｃｅ Ｂａｓｅ Ｓｔａｔｉｏｎ）になることもできる。
【０２０４】
【表３】
0005647258.tif 000004
【０２０５】
いくつかの実施例において、異なるスキームが、加入者端末から基地局が干渉緩和（ＩＭ）を要求する基地局にＣＳＧ閉鎖基地局を考慮して、情報を伝達するために使用されることができる。（例えば、サービング基地局が加入者端末１１６の代わりに交渉する時の基地局１０３、または加入者端末１１６が待機モード（ｉｄｌｅ ｍｏｄｅ）にあり、干渉緩和（ＩＭ）のために干渉基地局に直接シグナリングする時のフェムトセル基地局１６０）。例えば、加入者端末は、報告された全体基地局識別子（ＢＳＩＤ）を有する報告された基地局の数を示すことができる。その後、加入者端末は、報告された全体基地局識別子（ＢＳＩＤ）を有する報告されたＣＳＧ閉鎖基地局の数Ｍを示すことができる。その後、加入者端末は、各ビットがＣＳＧ閉鎖基地局各々が加入者端末のローカルホワイトリストにあるか否かを示すＭビットビットマップを利用することができる（例えば、‘１’は、ホワイトリストにあることを示し、‘０’は、ホワイトリストにないことを示すことができる。）。次に、メッセージを受信した基地局は、いかなる基地局がＣＳＧＩＤが加入者端末のローカルホワイトリストにあるＣＳＧ閉鎖基地局であるか、いかなるＣＳＧ閉鎖基地局が移動端末（ＭＳ）のホワイトリストにないＣＳＧＩＤを有しているか、そして、ＣＳＧ閉鎖基地局を除いた基地局を判別するために、Ｍビットビットマップを利用してメッセージのフィールドをデコーディングすることができる。
【０２０６】
加入者端末から基地局に、そのような情報を伝達するための他の方法は、下記の通りである。加入者端末は、報告された全体基地局識別子（ＢＳＩＤ）を有する報告された基地局の数を示すことができる。その後、加入者端末は、報告された全体基地局識別子（ＢＳＩＤ）を有する報告されたＣＳＧ閉鎖基地局の数Ｍを示すことができる。加入者端末が報告された全体基地局識別子（ＢＳＩＤ）を有するＣＳＧ閉鎖基地局を報告する時、加入者端末は、まず、ＣＳＧ閉鎖基地局が加入者端末のローカルホワイトリストにあるか否かを示す、報告されたＣＳＧ閉鎖基地局各々に対する追加ビットを有するＣＳＧ閉鎖基地局を報告することができる（例えば、‘１’は、ＣＳＧＩＤが加入者端末のローカルホワイトリストにあるＣＳＧ閉鎖基地局を示し、‘０’は、ＣＳＧＩＤが加入者端末のローカルホワイトリストにないＣＳＧ閉鎖基地局を示す。）。次に、加入者端末は、報告された全体基地局識別子（ＢＳＩＤ）を有するすべての他の基地局を報告することができる。
留意すべきことは、メッセージで、基地局が報告されたセル（例えば、ＣＳＧ閉鎖）の形式を判断することができることに基づいてセル識別子のパーティション情報を有していることができるので、加入者端末が、報告された基地局識別子（ＢＳＩＤ）と関連したセル識別子（すなわち、第２プリエムブル（ｓｅｃｏｎｄａｒｙ ｐｒｅａｍｂｌｅ）、ＩＤセル（ＩＤ ｃｅｌｌ）パラメータなど）が報告されれば、報告された全体基地局識別子（ＢＳＩＤ）を有する報告されたＣＳＧ閉鎖基地局の数を含ませる必要がないということである。その代案として、加入者端末は、セルの形式が報告された基地局識別子（ＢＳＩＤ）に明確に示される場合、報告されたＣＳＧ閉鎖基地局の数を含ませる必要がない。
【０２０７】
いくつかの実施例において、異なるメッセージが加入者端末のホワイトリストにあるＣＳＧ閉鎖基地局を区分するために使用されることができる。一実施例において、加入者端末は、ＣＳＧ識別子が加入者端末のホワイトリストにある検出されたＣＳＧ閉鎖基地局を包含／報告する、いずれか１つの形式のメッセージ、例えば、ハンドオーバー要請メッセージを基地局に伝送することができ、そして、ＣＳＧ識別子が加入者端末のホワイトリストにない検出されたＣＳＧ閉鎖基地局を包含／報告する、他の形式のメッセージ、例えば、スキャン報告を伝送することができる。その後、以前の実施例は、ＣＳＧ識別子（ＣＳＧＩＤ）が加入者端末のホワイトリストにないＣＳＧ閉鎖基地局を含ませる方法に適用されることができる。
【０２０８】
一例は、次の通りである。スキャン報告において、加入者端末は、報告された全体基地局識別子（ＢＳＩＤ）を有する報告された全体基地局の数を示すことができる。その後、加入者端末は、報告された全体基地局識別子（ＢＳＩＤ）を有する報告されたＣＳＧ閉鎖基地局の数を示すことができ、このような基地局は、この実施例に記述された規則によって、加入者端末のホワイトリストにないＣＳＧ閉鎖フェムトセル基地局を意味する。その後、加入者端末が報告された全体基地局識別子を有する基地局を報告する時、これは、基地局形式に基づいて基地局を整列する。例えば、加入者端末は、初めてＣＳＧＩＤが移動端末（ＭＳ）のホワイトリストにないＣＳＧ閉鎖基地局を報告し、その後、報告された全体基地局識別子（ＢＳＩＤ）を有するすべての他の基地局（例えば、接続可能な基地局）を報告する。
【０２０９】
メッセージで、報告された基地局識別子（ＢＳＩＤ）と関連したセル識別子（すなわち、第２プリエムブル（ｓｅｃｏｎｄａｒｙ ｐｒｅａｍｂｌｅ）、ＩＤセル（ＩＤ ｃｅｌｌ）パラメータなど）がまた、報告されるか、セルの形式が報告された基地局識別子（ＢＳＩＤ）で明確に示される場合、加入者端末は、報告された全体基地局識別子（ＢＳＩＤ）を有する報告されたＣＳＧ閉鎖基地局の数（すなわち、カウント）を含ませる必要がないということをもう一度言及する。
【０２１０】
一実施例において、加入者端末及び基地局は、基地局が加入者端末のローカルホワイトリストにあるか否かを決定するための次のプロシージャを使用することができる。加入者端末は、そのホワイトリストにＣＳＧ識別子（ＣＳＧＩＤ）を基地局に対するメッセージ、例えば、レインジング要請メッセージ（ＲＮＧ−ＲＥＱ）に含ませる。加入者端末がレインジング要請（ＲＮＧ−ＲＥＱ）メッセージにいかなるＣＳＧＩＤをも含ませない場合、プロセスは、一般的なことである（すなわち、いかなる特別処理もない）。しかし、加入者端末が部分ＣＳＧＩＤをレインジング要請（ＲＮＧ−ＲＥＱ）に含ませる場合、基地局は、次のように行う。もし、レインジング要請（ＲＮＧ−ＲＥＱ）に基地局のＣＳＧＩＤとマッチングされる少なくとも１つのＣＳＧＩＤが含まれれば、要請を受諾する。一方、レインジング要請（ＲＮＧ−ＲＥＱ）に基地局のＣＳＧＩＤとマッチングされるいかなるＣＳＧＩＤもなければ、基地局は、要請を拒否することができ、自分のＣＳＧＩＤを伝送する。いくつかの実施例において、リディレクション（ｒｅ−ｄｉｒｅｃｔｉｏｎ）情報は、委任されてもよく、または委任されなくてもよい。リディレクション情報は、加入者端末の接続可能な隣り合う基地局、例えば、ブロードキャストされた隣り合うリストにない接続可能な隣り合う基地局に関連する情報である。
【０２１１】
加入者端末は、基地局からＣＳＧＩＤを受信し、ローカルホワイトリストにあるか否かを検査する。もしそうなら、加入者端末は、一般接続による（すなわち、ＣＳＧＩＤを含ませず、他のＲＮＧ−ＲＥＱを伝送する。）。基地局から受信されたＣＳＧＩＤのどれも加入者端末のローカルホワイトリストに存在しない場合、加入者端末は、これ以上接続を試みてはならない。
【０２１２】
一実施例において、加入者端末は、、レインジング要請（ＲＮＧ−ＲＥＱ）を基地局に伝送する時、加入者端末のホワイトリストにあるすべてのＣＳＧＩＤを含ませることができる。加入者端末は、加入者端末のホワイトリストにあるすべてのＣＳＧＩＤらが伝送されたか否かをレインジング要請（ＲＮＧ−ＲＥＱ）に示すことができる。もし、基地局がレインジング要請（ＲＮＧ−ＲＥＱ）に含まれた１つ以上のＣＳＧＩＤが基地局のＣＳＧＩＤにマッチングされるものと判断すれば、基地局は、要請を受諾する。ＣＳＧＩＤのどれも基地局のＣＳＧＩＤにマッチングされなければ、基地局は、要請を拒否することができ、いくつかの実施例において、リディレクション情報を伝送することができる。
【０２１３】
以前に論議されたように、サービング基地局（例えば、基地局１０３）は、加入者端末の代わりに、干渉基地局（例えば、フェムトセル基地局１６０）と一緒に干渉緩和が調整され、そして、行われた後、干渉緩和開始（ＩＮ−ＩＮＩ）のような、確認メッセージ（ｃｏｎｆｉｒｍａｔｉｏｎ ｍｅｓｓａｇｅ）を伝送することができる。
【０２１４】
【表４】
0005647258.tif 000005
【０２１５】
表４から明らかなように、干渉緩和開始（ＩＭ−ＩＮＩ）メッセージは、加入者端末に干渉緩和（ＩＭ）が開始される時を通知する干渉緩和開始指示子（ＩＭ ｉｎｉｔｉａｔｉｏｎ ｉｎｄｉｃａｔｏｒ）を含む。いくつかの実施例において、開始指示子は、また、いつ干渉緩和（ＩＭ）が終了したか及び／またはいつ干渉緩和（ＩＭ）開始のための試みが成功したかを示すために使用されることもできる。干渉緩和開始（ＩＭ−ＩＮＩ）は、また、干渉緩和（ＩＭ）方法が行われる干渉基地局のプリエムブルインデックス及び基地局識別子（ＢＳＩＤ）を示すことができる。いくつかの実施例において、干渉緩和開始（ＩＭ−ＩＮＩ）は、また、干渉基地局で行われる干渉緩和（ＩＭ）の形式を示すこともできる。
【０２１６】
以上、実施例を通じて本発明を説明したが、この技術分野における通常の知識を有する者によって多様な変更及び修正が提案されることができる。添付の請求範囲に範囲内のものなら、そのような変更及び修正は、本発明の権利範囲に属する。
【符号の説明】
【０２１７】
１００  無線ネットワーク
１０１  バックホール
１０２、１０３  基地局（ＢＳ）
１１２、１１３、１１４、１１５、１１６  加入者端末
１３０  インターネット
１４０  モバイルスイッチングセンター（ＭＳＣ）
１６０  フェムトセル基地局（ＦＢＳ）
１６５  ＷＧＷ
【図１】
0005647258.tif 000006
【図２】
0005647258.tif 000007
【図３】
0005647258.tif 000008
【図４】
0005647258.tif 000009
【図５】
0005647258.tif 000010
【図６】
0005647258.tif 000011
【図７】
0005647258.tif 000012
【図８】
0005647258.tif 000013
【図９】
0005647258.tif 000014
【図１０】
0005647258.tif 000015
【図１１】
0005647258.tif 000016
【図１２】
0005647258.tif 000017
【図１３】
0005647258.tif 000018
【図１４】
0005647258.tif 000019
【図１５】
0005647258.tif 000020
【図１６】
0005647258.tif 000021
【図１７】
0005647258.tif 000022
【図１８】
0005647258.tif 000023